(57)【要約】トイレアセンブリと、洗浄システムとを含む、洗浄システムの種々の実施形態を有する、トイレアセンブリが、本明細書に説明される。トイレアセンブリは、便器と、トイレタンクと、洗浄弁と、周縁入口ポートと、洗浄弁の出口から周縁入口ポートまで延在する（隔離された周縁経路であり得る）周縁流路とを有する。洗浄システムは、リザーバ本体の内部空間と流体連通する出口ポートを有する、液体洗浄剤を保持するためのリザーバと、リザーバを受容する筐体と、リザーバの内部と流体連通する供給導管と、供給導管を通る流量を制御することが可能な流量制御デバイスと、アクチュエータ特徴によってアクティブ化可能な制御システムとを有し、アクチュエータ特徴のアクティブ化に応じて、制御システムは、洗浄サイクルを開始するように適合される。
2018534451.tif 000002
【特許請求の範囲】
【請求項１】
洗浄システムを伴うトイレアセンブリであって、
（ａ）トイレアセンブリであって、
内部空間を画定する便器と、
タンク内部を画定するトイレタンクと、
洗浄弁と、
周縁入口ポートと、
前記洗浄弁の出口から前記周縁入口ポートまで延在する、隔離された周縁流路であって、前記洗浄弁は、流体を前記便器の前記周縁入口ポートに送達するように構成される、隔離された周縁流路と、
を備える、トイレアセンブリと、
（ｂ）洗浄システムであって、
液体洗浄剤を保持するためのリザーバであって、前記リザーバは、内部空間を画定する本体を有し、前記リザーバ本体の前記内部空間と流体連通する出口ポートを有する、リザーバと、
前記リザーバを受容するように構成される筐体と、
前記リザーバの前記内部と流体連通し、前記リザーバ内から流体を受容するための第１の端部を有する、供給導管と、
前記供給導管を通る流量を制御することが可能な流量制御デバイスと、
アクチュエータ特徴によってアクティブ化可能な制御システムであって、前記アクチュエータ特徴のアクティブ化に応じて、前記制御システムは、
前記供給導管から閉鎖位置における前記洗浄弁の内部空間に液体洗浄剤の投与量を送達するために十分な第１の時間周期にわたって前記流量制御デバイスを動作させるステップであって、前記洗浄弁は、前記周縁入口ポートへの流体の送達のために構成される、ステップと、
前記洗浄弁を動作させ、前記洗浄弁を開放して、少なくとも約３リットルまたはそれを上回る水洗用水を導入し、前記周縁入口ポートを通して前記便器の中へ液体洗浄剤の前記投与量を運搬するステップと、
によって、洗浄サイクルを開始するように適合される、制御システムと、
を備える、洗浄システムと、
を備える、トイレアセンブリ。
【請求項２】
前記リザーバの前記内部と流体連通し、前記リザーバ内から同伴空気および／または液体を受容するように位置する第１の端部と、前記リザーバ内の全液面の高さの少なくとも上方に位置する第２の開放端とを有するように構成される、通気管路をさらに備える、請求項１に記載のトイレアセンブリ。
【請求項３】
前記制御システムは、前記周縁入口ポートを通して前記便器の中へ液体洗浄剤の前記投与量および水洗用水を送達した後に、前記洗浄弁を少なくとも部分的に閉鎖するように動作する、請求項１に記載のトイレアセンブリ。
【請求項４】
前記制御システムは、第２の時間周期にわたって液体洗浄剤の前記投与量および水洗用水を送達するように前記洗浄弁を動作させる、請求項３に記載のトイレアセンブリ。
【請求項５】
前記リザーバ本体は、出口部分を有し、前記出口ポートは、前記出口部分の中に位置する、請求項１に記載のトイレアセンブリ。
【請求項６】
前記筐体は、前記リザーバの前記出口部分を受容するように構成されるシート部分を有する、請求項５に記載のトイレアセンブリ。
【請求項７】
前記リザーバの前記出口部分が、密閉係合で前記筐体の前記シート部分内に嵌合するように、少なくとも１つの周辺シールをさらに備える、請求項６に記載のトイレアセンブリ。
【請求項８】
前記リザーバの前記内部と流体連通している通気管路を有し、前記通気管路は、前記リザーバ内から同伴空気および／または液体を受容するように位置する第１の端部と、前記リザーバ内の全液面の高さの少なくとも上方に位置する第２の開放端とを有するように構成されている、請求項６に記載のトイレアセンブリ。
【請求項９】
前記アセンブリはさらに、管を備え、前記管は、前記管を通る通路を画定し、上向きに延在する第１の端部と、第２の端部とを有し、前記第１の端部は、前記リザーバの前記内部空間から前記管内の前記通路を通して前記供給導管の前記第１の端部の中へ流体を指向するためのものであり、前記管は、前記シート部分の中に位置する、請求項６に記載のトイレアセンブリ。
【請求項１０】
前記リザーバの前記内部と流体連通し、前記リザーバ内から同伴空気および／または液体を受容するように位置する第１の端部と、前記リザーバ内の全液面の高さの少なくとも上方に位置する第２の開放端とを有するように構成される、通気管路を有し、前記シート部分は、前記通気管路の前記第１の端部を受容するための第１の開口部と、前記供給導管の前記第１の端部を受容するための第２の開口部とを備える、請求項９に記載のトイレアセンブリ。
【請求項１１】
前記管の前記第１の端部は、尖っている、請求項９に記載のトイレアセンブリ。
【請求項１２】
前記供給導管の前記第１の端部は、前記リザーバが前記筐体内に位置するときに、前記管の前記第２の端部内に位置する、請求項９に記載のトイレアセンブリ。
【請求項１３】
前記管は、前記リザーバの前記出口部分が前記シートの前記シート部分の中にあるとき、前記管が前記リザーバの前記出口ポートを通って前記リザーバの前記出口部分内で上向きに延在するように、前記シート部分内に位置する、請求項９に記載のトイレアセンブリ。
【請求項１４】
前記管は、前記出口部分の底部領域に流入するように前記管の前記上向きに延在する端部に進入する流体のための前記管を通って延在する少なくとも１つの側面開口部を備える、請求項９に記載のトイレアセンブリ。
【請求項１５】
前記出口ポートは、前記管の前記上向きに延在する端部または液体供給弁継手によって貫通されることが可能な破れやすいシールを有し、前記出口部分の前記底部領域は、前記リザーバが前記筐体内に完全に据え付けられるときに、前記破れやすいシールの下方の領域として画定され、前記管の前記上向きに延在する端部または前記液体供給弁継手は、前記リザーバが前記筐体内に完全に据え付けられるときに、前記破れやすいシールを通過する、請求項１４に記載のトイレアセンブリ。
【請求項１６】
前記流量制御デバイスは、機械化弁、蠕動ポンプ、ピストンポンプ、歯車ポンプ、および歯車モータのうちの１つである、請求項１に記載のトイレアセンブリ。
【請求項１７】
前記リザーバの前記出口ポートは、破れやすいカバーによって被覆される、請求項１に記載のトイレアセンブリ。
【請求項１８】
前記破れやすいカバーは、箔、隔壁、ポリマー裏打ちを伴う箔、または膜を備える、請求項１７に記載のトイレアセンブリ。
【請求項１９】
前記流量制御デバイスを動作させるために前記制御システムによってアクティブ化可能な歯車モータをさらに備える、請求項１に記載のトイレアセンブリ。
【請求項２０】
上面を有し、前記タンクの上に据え付けられるように構成される、タンク蓋をさらに備え、前記タンク蓋の前記上面は、前記筐体を受容するように構成され、前記筐体のシート部分を受容するように構成される領域を含む、請求項１に記載のトイレアセンブリ。
【請求項２１】
前記タンク蓋はさらに、ロック機構を受容するために構成される、前記タンク蓋を通って延在する少なくとも１つの開口部を備える、請求項２０に記載のトイレアセンブリ。
【請求項２２】
前記ロック機構は、第１の端部および第２の端部を有する少なくとも１つのロック本体を備え、前記第２の端部は、前記少なくとも１つの開口部を通って延在するためのものであり、前記ロック機構はさらに、前記タンク蓋を固着するように前記ロック機構を解放可能に係止するために前記ロック本体の前記第１の端部上に係止キャップを備える、請求項２１に記載のトイレアセンブリ。
【請求項２３】
前記タンク蓋および筐体を覆って位置付けられるように構成されたカバーをさらに有し、前記カバーは、パネルにアクセスするための開口部を前記カバー内に有し、前記パネルは、前記パネル上にアクチュエータボタンを有する、請求項２１に記載のトイレアセンブリ。
【請求項２４】
前記タンク蓋はさらに、リフトアームアクチュエータ歯車モータによって作動される少なくとも１つの歯車を備える、リフトアームアクチュエータアセンブリの少なくとも一部の延在を可能にするために、前記タンク蓋を通って延在するアクチュエータ開口部を備え、前記少なくとも１つの歯車は、前記リフトアームを移動させ、前記周縁洗浄弁を制御可能に開放するようにリフトアームに係合することが可能であり、前記リフトアームは、直接または間接的連結部を通して前記洗浄弁に動作可能に接続している、請求項２２に記載のトイレアセンブリ。
【請求項２５】
前記リフトアームはまた、水洗ハンドルに動作可能に接続し、前記水洗ハンドルおよびリフトアームは、前記水洗ハンドルの押下に応じて、従来の水洗サイクル中に前記洗浄弁を動作させるよう接続され、前記リフトアームアクチュエータアセンブリは、前記リフトアームアクチュエータ歯車モータおよび前記少なくとも１つの歯車の動作によって、前記水洗ハンドルの押下を伴わずに前記洗浄弁を動作させるよう配列される、請求項２４に記載のトイレアセンブリ。
【請求項２６】
前記リザーバおよび筐体を保持するように構成される底部トレイと、上蓋とをさらに備え、前記底部トレイおよび上蓋は、前記上蓋が標準タンクカバーの代わりに着座し、前記底部トレイが前記洗浄弁の上方で前記タンクの前記内部内に着座するように、前記トイレタンクの上に位置付けられるように構成される、請求項１に記載のトイレアセンブリ。
【請求項２７】
前記アクチュエータ特徴に応答して、前記洗浄弁を制御可能に開放するための洗浄弁動作機構をさらに備える、請求項１に記載のトイレアセンブリ。
【請求項２８】
前記弁動作機構は、前記洗浄弁の弁体の周囲に据え付けられたフラッパリフト機構に接続された連結部と連通するリフトロッドを備え、前記リフトロッドは、前記歯車モータによって機械的に作動され、前記歯車モータは、接触に応じて前記リフトロッドを移動させるためのカム機構と機械的に動作する、請求項２７に記載のトイレアセンブリ。
【請求項２９】
前記弁動作機構は、リフトアームアクチュエータ歯車モータによって作動される少なくとも１つの歯車を備える、リフトアームアクチュエータアセンブリを備え、前記リフトアームアクチュエータアセンブリの前記少なくとも１つの歯車は、前記リフトアームが前記周縁洗浄弁を制御可能に開放することができるように、前記リフトアームアクチュエータアセンブリの中のリフトアームの一部を移動させるよう、前記リフトアームアクチュエータアセンブリに係合することが可能であり、前記リフトアームは、直接または間接的連結部を通して前記周縁洗浄弁に動作可能に接続している、請求項２７に記載のトイレアセンブリ。
【請求項３０】
前記制御システムはさらに、液体洗浄剤の前記投与量とともに前記水洗用水を送達した後に前記洗浄弁を少なくとも部分的に閉鎖するように、かつ第３の時間周期後に前記洗浄弁を再び開放し、前記洗浄サイクルの終わりに少なくとも約３リットルの新しい水洗用水で便器の内部を浄化するように適合される、請求項１に記載のトイレアセンブリ。
【請求項３１】
前記洗浄弁は、周縁洗浄弁であり、前記トイレはさらに、直接送給噴射口と、噴射洗浄弁と、別個の噴流経路とを備え、前記制御システムは、前記周縁チャネルが水洗用水を導入して前記便器を浄化するように再開放することとほぼ同時に、前記噴射洗浄弁を開放し、少なくとも約１．０ｌの水洗用水を前記噴流経路に放出するように動作する、請求項３０に記載のトイレアセンブリ。
【請求項３２】
前記リザーバの前記出口ポートと流体連通し、かつ前記供給導管と流体連通して位置するよう位置付けられる、液体供給弁をさらに備える、請求項１に記載のトイレアセンブリ。
【請求項３３】
前記リザーバ本体は、出口部分を有し、前記出口ポートは、前記出口部分の中に位置し、前記筐体は、前記リザーバが前記筐体の中に据え付けられるときに、前記リザーバの前記出口部分を受容するように構成される、シート部分を有し、前記液体供給弁は、前記液体供給弁を通る弁通路を画定し、前記液体供給弁は、前記リザーバの前記内部空間から前記弁通路を通って前記供給導管の前記第１の端部の中へ流体を指向するための第１の上端を有し、前記液体供給弁は、第２の端部を有する、請求項３２に記載のトイレアセンブリ。
【請求項３４】
前記液体供給弁の前記第２の端部を前記供給導管の前記第１の端部に接続するために前記液体供給弁の前記第２の端部と連通する弁継手をさらに備える、請求項３３に記載のトイレアセンブリ。
【請求項３５】
前記液体供給弁は、アンブレラ弁、ダックビル弁、ばね荷重弁、回転弁、通気式エラストマ弁、およびフラップエラストマ弁のうちの１つである、請求項３４に記載のトイレアセンブリ。
【請求項３６】
前記液体供給弁は、第１の機械化弁と、第２の機械化弁とを備え、前記アセンブリはさらに、前記リザーバの前記内部空間内からの液体洗浄剤の投与量を保定するように構成される投与チャンバを備え、前記投与チャンバは、内部空間を画定し、入口ポートを有し、かつ出口ポートを有し、前記投与チャンバの前記入口ポートは、前記第１の機械化弁の出口ポートと流体連通し、前記投与チャンバの前記出口ポートは、第２の機械化弁の入口と流体連通し、前記第２の機械化弁の出口は、供給導管の第１の端部と流体通信する、請求項３２に記載のトイレアセンブリ。
【請求項３７】
前記トイレアセンブリはさらに、直接送給噴射口を含み、前記洗浄弁は、周縁洗浄弁であり、前記トイレアセンブリはさらに、前記トイレの中の前記直接送給噴射口に水洗用水を導入するために動作可能な第２の洗浄弁を備える、請求項１に記載のトイレとともに使用するためのトイレアセンブリ。
【請求項３８】
前記周縁洗浄弁のための前記流体経路および前記噴射洗浄弁は、相互から分離し、前記噴射洗浄弁は、水洗サイクルの前および後にプライミングされた状態のままである、請求項３７に記載のトイレアセンブリ。
【請求項３９】
前記供給導管の前記第２の端部は、前記周縁洗浄弁に接続される溢流管の内部の中へ流体を送達するように位置付けられる、請求項３８に記載のトイレアセンブリ。
【請求項４０】
前記アクチュエータ特徴は、上蓋の下に位置付けられたボタンであり、前記ボタンは、前記上蓋内の開口部を通してアクセス可能である、請求項１に記載のトイレアセンブリ。
【請求項４１】
洗浄システムを用いてトイレアセンブリの中のトイレを周期的に洗浄するための方法であって、
請求項１に記載のトイレアセンブリを提供するステップと、
前記アクチュエータ特徴によって前記制御システムをアクティブ化し、前記洗浄サイクルを開始するステップと、
前記流量制御デバイスを動作させ、前記供給導管から閉鎖位置における洗浄弁の前記内部空間に液体洗浄剤の前記投与量を送達するために十分な前記第１の時間周期にわたって前記流量制御デバイスを開放するステップと、
前記洗浄弁を動作させ、前記洗浄弁を開放して、前記周縁入口ポートを通して前記便器の中へ液体洗浄剤の前記投与量とともに少なくとも約３リットルの水洗用水を導入するステップと、
を含む、方法。
【請求項４２】
前記トイレアセンブリはさらに、直接送給噴射口を含み、前記洗浄弁は、周縁洗浄弁であり、前記トイレアセンブリはさらに、前記トイレの中の前記直接送給噴射口に水洗用水を導入するために動作可能な第２の洗浄弁を備える、請求項４１に記載の方法。
【請求項４３】
前記周縁洗浄弁のための前記流体経路は、前記噴射洗浄弁から隔離され、前記噴射洗浄弁は、水洗サイクルの前および後にプライミングされた状態のままである、請求項４２に記載の方法。
【請求項４４】
前記制御システムは、前記第２の時間周期にわたって前記水洗用水および液体洗浄剤の前記投与量を導入するように動作し、前記方法はさらに、液体洗浄剤の前記投与量とともに前記水洗用水を導入した後に、前記洗浄弁を動作させて前記洗浄弁を少なくとも部分的に閉鎖するステップと、第３の時間周期後に前記洗浄弁を動作させて再び前記洗浄弁を開放し、前記洗浄サイクルの終わりに新しい水洗用水で便器の前記内部を浄化するステップとを含む、請求項４３に記載の方法。
【請求項４５】
トイレアセンブリとともに使用するための洗浄システムであって、
内部空間を画定する本体を有し、前記リザーバ本体の前記内部空間と流体連通する出口ポートを有する、液体洗浄剤を保持するためのリザーバと、
前記リザーバを受容するように構成される筐体と、
前記リザーバの前記内部と流体連通し、前記リザーバ内から流体を受容するための第１の端部を有する、供給導管と、
前記供給導管を通る流量を制御することが可能な流量制御デバイスと、
アクチュエータ特徴によってアクティブ化可能な制御システムであって、前記アクチュエータ特徴のアクティブ化に応じて、前記制御システムは、
前記供給導管から、便器の周縁入口ポートへの流体の送達のために構成される閉鎖された洗浄弁の内部空間に液体洗浄剤の投与量を送達するために十分な第１の時間周期にわたって、前記流量制御デバイスを動作させるステップと、
前記洗浄弁を動作させ、前記洗浄弁を開放して、液体洗浄剤の前記投与量とともに水洗用水を便器の周縁入口ポートの中に導入するステップと、
によって、洗浄サイクルを開始するように適合される、制御システムと、
を備える、トイレアセンブリとともに使用するための洗浄システム。  
【請求項４６】
前記制御システムは、第２の時間周期にわたって水洗用水および液体洗浄剤を導入し、さらに、前記水洗用水および液体洗浄剤の前記投与量を送達した後に、前記洗浄弁を少なくとも部分的に閉鎖するように動作する、請求項４５に記載のトイレとともに使用するための洗浄システム。
【請求項４７】
前記リザーバ本体は、出口部分を有し、前記出口ポートは、前記出口部分の中に位置する、請求項４５に記載のトイレとともに使用するための洗浄システム。
【請求項４８】
前記筐体は、前記リザーバの前記出口部分を受容するように構成されるシート部分を有する、請求項４５に記載のトイレとともに使用するための洗浄システム。
【請求項４９】
前記リザーバの前記出口部分が、密閉係合で前記筐体の前記シート部分内に嵌合するように、少なくとも１つの周辺シールをさらに備える、請求項４８に記載のトイレとともに使用するための洗浄システム。
【請求項５０】
前記リザーバの前記出口ポートは、前記管の前記上向きに延在する端部または液体供給弁継手によって貫通されることが可能な破れやすいシールを有し、前記出口部分の前記底部領域は、前記リザーバが前記筐体内に完全に据え付けられるときに、前記破れやすいシールの下方の領域として画定され、前記管の前記上向きに延在する端部または前記液体供給弁継手は、前記リザーバが前記筐体内に完全に据え付けられるときに、前記破れやすいシールを通過する、請求項４５に記載のトイレとともに使用するための洗浄システム。
【請求項５１】
前記流量制御デバイスは、機械化弁、蠕動ポンプ、ピストンポンプ、歯車ポンプ、または歯車モータのうちの１つである、請求項４５に記載のトイレとともに使用するための洗浄システム。
【請求項５２】
前記流量制御デバイスは、前記流量制御デバイスを動作させるために前記制御システムによってアクティブ化可能な歯車モータを備える、請求項５１に記載のトイレとともに使用するための洗浄システム。
【請求項５３】
前記リザーバの前記出口ポートは、破れやすいカバーによって被覆される、請求項４５に記載のトイレとともに使用するための洗浄システム。
【請求項５４】
前記破れやすいカバーは、箔、隔壁、または膜を備える、請求項５３に記載のトイレとともに使用するための洗浄システム。
【請求項５５】
リフトアームアクチュエータ歯車モータによって作動される少なくとも１つの歯車を備える、リフトアームアクチュエータアセンブリを備え、前記少なくとも１つの歯車は、前記リフトアームが前記洗浄弁を制御可能に開放することができるように、前記リフトアームアセンブリの中のリフトアームを移動させるよう、前記リフトアームアクチュエータアセンブリに係合することが可能であり、前記リフトアームは、直接または間接的連結部を通して前記洗浄弁に動作可能に接続している、請求項４５に記載のトイレとともに使用するための洗浄システム。
【請求項５６】
前記歯車モータを封入し、前記少なくとも１つの歯車を搭載するための歯車モータ筐体をさらに備え、前記歯車モータ筐体は、トイレタンク内に位置付けられるよう、かつ前記リザーバのために前記筐体内の少なくとも１つの開口部を通って上向きに延在するように構成される、請求項５５に記載のトイレとともに使用するための洗浄システム。
【請求項５７】
前記筐体は、前記歯車モータ筐体を、前記リザーバ筐体に、または前記リザーバおよび前記リザーバ筐体を保持するように構成されるトレイに固着するための搭載フランジを有する、請求項５６に記載のトイレとともに使用するための洗浄システム。
【請求項５８】
前記リザーバおよび筐体を保持するように構成される底部トレイと、上蓋とをさらに備え、前記底部トレイおよび上蓋は、前記上蓋が従来のタンクカバーの代わりに着座し、前記底部トレイがトイレ洗浄弁の上方でトイレタンクの内部内に着座するように、トイレタンクの上に位置付けられるように構成される、請求項４５に記載のトイレとともに使用するための洗浄システム。
【請求項５９】
前記制御システムはさらに、液体洗浄剤の前記投与量を送達した後に前記洗浄弁を少なくとも部分的に閉鎖するように、かつ第３の時間周期後に前記洗浄弁を再び開放し、前記洗浄サイクルの終わりに新しい水洗用水で便器の内部を浄化するように適合される、請求項４５に記載のトイレとともに使用するための洗浄システム。
【請求項６０】
洗浄システムを伴うトイレアセンブリであって、
（ａ）トイレアセンブリであって、
内部空間を画定する便器と、
タンク内部を画定するトイレタンクと、
洗浄弁と、
周縁入口ポートと、
前記洗浄弁の出口から前記周縁入口ポートまで延在する、隔離された周縁流路であって、前記洗浄弁は、流体を前記便器の前記周縁入口ポートに送達するように構成される、隔離された周縁流路と、
を備える、トイレアセンブリと、
（ｂ）洗浄システムであって、
内部空間を画定する本体を有し、前記リザーバ本体の前記内部空間と流体連通する出口ポートを有する、液体洗浄剤を保持するためのリザーバと、
前記リザーバを受容するように構成される筐体と、
前記リザーバの前記内部と流体連通し、前記リザーバ内から流体を受容するための第１の端部を有する、供給導管と、
前記供給導管を通る流量を制御することが可能な流量制御デバイスと、
少なくとも１つのアクチュエータ特徴によってアクティブ化可能な制御システムであって、前記アクチュエータ特徴のアクティブ化に応じて、前記制御システムは、
前記供給導管から閉鎖位置における前記洗浄弁の内部空間に液体洗浄剤の投与量を送達するために十分な第１の時間周期にわたって前記流量制御デバイスを動作させるステップであって、前記洗浄弁は、前記周縁入口ポートへの流体の送達のために構成される、ステップと、
前記洗浄弁を動作させ、前記洗浄弁を開放して、少なくとも約３リットルまたはそれを上回る水洗用水を導入し、前記周縁入口ポートを通して前記便器の中へ液体洗浄剤の前記投与量を運搬するステップと、
によって、洗浄サイクルを開始するように適合される、制御システムと、
を備える、洗浄システムと、
を備える、トイレアセンブリ。
【発明の詳細な説明】
【技術分野】
【０００１】
（関連出願の相互参照）
本願は、２０１５年１０月９日に出願された米国仮特許出願第６２／２３９，８４１号の３５  Ｕ．Ｓ．Ｃ．  §１１９（ｅ）のもとでの利益を主張するものである。本願はまた、２０１４年７月１５日に出願された米国非仮特許出願第１４／３３２，１９８号および米国非仮特許出願第１４／３３２，２０９号の一部継続出願であり、これらの各々は、２０１４年４月１６日に出願された米国仮特許出願第６１／９８０，５１４号、２０１４年３月８日に出願された第６１／９５０，０３８号、２０１３年１１月２２日に出願された第６１／９０８，０３８号、２０１３年９月２４日に出願された第６１／８８１，９４８号、２０１３年７月１５日に出願された第６１／８４６，４２７号の３５  Ｕ．Ｓ．Ｃ．  §１１９（ｅ）のもとでの利益を主張するものである。上記米国非仮特許出願および米国仮特許出願の各々の全体の開示は、参照により本明細書中に援用される。
【０００２】
本発明の分野は、水洗トイレ、より具体的には、洗浄サイクルを伴う洗浄システムを有する、ある重力動力型洗い落とし式またはサイホン式水洗トイレを含む。
【背景技術】
【０００３】
重力動力型サイホン式および洗い落とし式トイレを含む、便器を有する多種多様なタイプのトイレおよびトイレアセンブリがある。サイホン式トイレは、周縁送給便器、非噴射式、周縁噴射式、および直接噴射式便器を含んでもよい。人糞等の排泄物を除去するためのそのようなトイレが、周知である。典型的には、重力動力型トイレ等のトイレは、概して、２つの主要部分、すなわち、タンクおよび便器を有する。タンクおよび便器は、（一般的には２部品トイレと称される）トイレシステムを形成するようにともに結合された別個の部品であることができる、または（典型的には１部品トイレと称される）１つの一体ユニットに合体されることができる。
【０００４】
タンクは、存在する場合、通常、便器の背に位置付けられ、便器から下水管への排泄物の水洗を開始するとともに、新鮮な水を便器に補充するために使用される水を含有する。ユーザがトイレの水を流すことを所望するとき、タンクの外側の水洗レバーを押し下げ、そのレバーは、タンクの内側でタンク内の可動チェーンまたはレバーに接続される。水洗レバーが押下されるとき、洗浄弁を持ち上げて開放するように作用する、タンクの内側のチェーンまたはレバーを移動させ、タンクから便器の中へ水を流動させ、したがって、トイレ水洗を開始する。他のトイレは、水源から送給されるインライン配管、および水洗ハンドル、押しボタン、または同等物等の作動デバイスの作用によって作動するインライン洗浄弁を使用して、タンクを伴わずに動作する。
【０００５】
水洗サイクルで果たされる３つの一般的な目的がある。第１は、任意の固体、液体、または他の排泄物を排水管路に除去することである。第２は、使用中に便器の表面に堆積または付着した任意の固体、液体、または他の排泄物を除去するように便器を清掃することである。第３は、比較的清潔な水が使用の合間に便器の中に留まり、下水ガスの逆流に対するシール深度を復元し、次の使用および水洗サイクルのためにトイレを準備するように、便器の中の水洗前水を交換することである。
【０００６】
第２の要件、すなわち、便器の清掃は、通常、便器の上部周辺の周囲に延在する、殆どのトイレで見出される中空周縁を介して達成される。水洗用水の一部または全ては、そのような中空周縁チャネルを通して指向され、便器の表面全体にわたって水を分散し、要求される清掃を達成するように、その中に位置付けられる開口部を通って流動する。
【０００７】
重力動力型トイレは、２つの一般的カテゴリ、すなわち、洗い落とし式およびサイホン式に分類されることができる。洗い落とし式トイレでは、トイレの便器内の水位は、常に比較的一定のままである。水洗サイクルが開始されるとき、水は、タンクまたは他の水源から流動し、便器に流れ込む。これは、水位の急速な上昇を引き起こし、過剰な水がトラップウェイの堰から溢れ、それとともに液体および固体排泄物を運搬する。水洗サイクルの終わりに、便器内の水位は、堰の高さによって判定される平衡水位に自然に戻る。
【０００８】
サイホン式トイレでは、トラップウェイおよび他の水圧チャネルは、便器への水の追加に応じて、サイホンがトラップウェイの中で開始されるように設計される。サイホン管自体は、便器から廃水管路に水を引き込む、上下逆のＵ字形管である。水洗サイクルが開始されるとき、水は、便器に流入し、下水管路に向かって出口から流出することができるよりも速くトラップウェイ内の堰から溢れる。十分な空気が、最終的に、サイホンを開始するようにトラップウェイの下方脚部から除去され、ひいては、残りの水を便器から引き出す。サイホンが中断するときの便器内の水位は、その結果として、堰の高さを十分に下回り、別個の機構が、サイホン式水洗サイクルの終わりにトイレの便器を補充し、元の水位および保護シールを再確立して下水ガスの逆流を防止するために、提供される必要がある。
【０００９】
概して、サイホン式および洗い落とし式トイレは、固有の利点および不利点を有する。サイホン式トイレは、サイホンを開始するために空気の殆どがトラップウェイの下方脚部から除去されるという要件に起因して、詰まりをもたらし得る、より小型のトラップウェイを有する傾向がある。洗い落とし式トイレは、大型トラップウェイとともに機能することができるが、概して、殆どの国で配管規制によって要求される１１０：１希釈レベルを達成するために、便器の中のより少量の水洗前水を要求する（すなわち、便器内の水洗前水の量の９９％が、水洗サイクル中に便器から除去され、新鮮な水と交換されなければならない）。この少ない水洗前の量は、小さい「水スポット」として現れる。水スポット、または便器内の水洗前水の表面積は、トイレの清浄度を維持することにおいて重要な役割を果たす。大きい水スポットは、トイレのセラミック表面に接触する前に排泄物が水に接触するであろうという確率を増加させる。これは、セラミック表面への排泄物の付着を低減させ、トイレが水洗サイクルを介してそれ自体を洗浄することをより容易にする。それらの小さい水スポットを伴う洗い落とし式トイレは、したがって、使用後に便器の手動洗浄を頻繁に要求する。
【００１０】
サイホン式トイレは、便器およびより大きい水スポット内のより多くの水洗前水量とともに機能することが可能であるという利点を有する。これは、サイホン作用が水洗サイクルの終わりに便器から水洗前水量の大部分を引動するため、可能である。タンクが補充すると、補充水の一部は、水洗前水量をその元の水位に戻すように便器の中へ指向される。このようにして、多くの配管規制によって要求される１１０：１希釈レベルは、たとえ便器内の水の開始量がタンクから流出される水洗用水に対して有意に高くても達成される。北米市場では、サイホン式トイレが、幅広い支持を獲得しており、現在、トイレの標準的な受け入れられた形態と見なされている。欧州市場では、洗い落とし式トイレが、依然として受け入れられ、好評である一方で、両方のバージョンが、アジア市場では一般的である。
【００１１】
重力動力型サイホン式トイレはさらに、水洗作用を達成するために使用される水圧チャネルの設計に応じて、３つの一般的カテゴリに分類されることができる。これらのカテゴリは、非噴射式、周縁噴射式、および直接噴射式である。
【００１２】
典型的非噴射式便器では、水洗用水の全てが、便器入口領域の中へタンクから流出し、一次マニホールドを通って周縁チャネルに流入する。水は、周縁の下に位置付けられた一連の孔を介して、便器の周辺の周囲に分散される。孔のうちのいくつかは、サイズがより大きくなり、便器の中へより多くの水流を可能にするように設計され得る。比較的高い流速が、下方脚部の中で十分な空気を変位させてサイホンを開始するために十分に急速に、トラップウェイの堰から水を溢れさせるために必要とされる。非噴射式便器は、典型的には、便器の清掃および水洗前水の交換に関して十分から良好な性能を有するが、大量除去の観点からは性能が比較的不良である。トラップウェイへの水の送給は、非効率的かつ乱流であり、トラップウェイの下方脚部を十分に充填し、強力なサイホンを開始することをより困難にする。その結果として、非噴射式トイレのトラップウェイは、典型的には、直径がより小さく、水流を妨げるように設計される屈曲部および収縮部を含有する。より小さいサイズ、屈曲部、および収縮部がないと、強力なサイホンが達成されないであろう。残念ながら、より小さいサイズ、屈曲部、および収縮部は、エンドユーザにとって極めて満足のいかない状態である、大量排泄物除去の観点から不良な性能ならびに頻繁な詰まりをもたらす。
【００１３】
トイレの設計者および技術者は、「サイホン噴射口」を組み込むことによって、サイホン式トイレの大量排泄物除去を改良してきた。周縁噴射式便器では、水洗用水は、タンクから流出し、トイレ入口領域を通り、かつ一次マニホールドを通って周縁チャネルに流入する。水の一部は、周縁の下に位置付けられた一連の孔を介して、便器の周辺の周囲に分散される。水の残りの部分は、周縁の前部に位置付けられた噴射チャネルを通って流動する。本噴射チャネルは、周縁チャネルを便器のサンプの中に位置付けられた噴射開口部に接続する。噴射開口部は、トラップウェイの開口部において、直接、強力な水流を送るように定寸されて位置付けられる。水が噴射開口部を通って流動するとき、非噴射式便器で達成されることができるよりも効率的かつ急速にトラップウェイを充填する役割を果たす。このトラップウェイへのより精力的かつ急速な水流は、トイレがより大きいトラップウェイ直径およびより少ない屈曲部ならびに収縮部を伴って設計されることを可能にし、ひいては、非噴射式便器に対して大量排泄物除去の性能を改良する。より少量の水が周縁噴射式トイレの周縁から流出するが、周縁チャネルを通って流動する水が、タンクからの上流水流によって加圧されるため、便器清掃機能は、概して、容認可能である。これは、水がより高いエネルギーで周縁孔から流出し、便器を清掃するというより効果的な仕事をすることを可能にする。
【００１４】
周縁噴射式便器は、概して、非噴射式よりも優れているが、水が周縁を通って噴射開口部まで進行しなければならない長い経路は、利用可能なエネルギーの多くを放散して無駄にする。直接噴射式便器は、本概念を改良し、排泄物の大量除去の観点から、さらに優れた性能を実現する。概して、直接噴射式便器では、水洗用水は、タンクから流出し、便器入口を通り、かつ一次マニホールドを通って流動する。本時点で、水は、２つの部分、すなわち、所望の便器清掃を達成するという一次目的を伴って、周縁入口ポートを通って周縁チャネルまで流動する部分と、噴射入口ポートを通って、一次マニホールドを便器のサンプ内の噴射開口部に接続する「直接噴射チャネル」まで流動する部分とに分割する。直接噴射チャネルは、異なる形態を成すことができ、ある時は、トイレの片側の周囲で一方向である、または対称チャネルがマニホールドを噴射開口部に接続する両側を伝って進行する「二重送給」である。周縁噴射式便器と同様に、噴射開口部は、トラップウェイの開口部において、直接、強力な水流を送るように定寸されて位置付けられる。水が噴射開口部を通って流動するとき、非噴射式または周縁噴射式便器で達成されることができるよりも効率的かつ急速にトラップウェイを充填する役割を果たす。このトラップウェイへのより精力的かつ急速な水流は、トイレがより大きいトラップウェイ直径および最小限の屈曲部ならびに収縮部を伴って設計されることを可能にし、ひいては、非噴射式および周縁噴射式便器に対して大量排泄物除去の性能を改良する。
【００１５】
トイレのタイプおよびそれらの洗浄能力に加えて、より少ない水を使用するための圧力があり、洗浄機能をより困難にする。政府機関は、都市水道水ユーザが使用する水の量を低減させることを継続的に要求している。近年の焦点の大部分は、トイレ水洗動作によって要求される水需要を低減させることになっている。本点を例証するために、水洗毎にトイレで使用される水の量は、７ガロン／水洗（１９５０年代より前）から、５．５ガロン／水洗（１９６０代の終わりまで）まで、３．５ガロン／水洗（１９８０年代）まで、政府機関によって徐々に低減されている。１９９５年の国家エネルギー政策法は、現在、米国で販売されるトイレが、わずか１．６ガロン／水洗（６リットル／水洗）の量で水を使用し得ることを義務付けている。水の使用量が１．２８ガロン／水洗までさらに低下されることを要求する規制が、近年、カリフォルニア州で可決されている。現在、特許文献で説明され、市販されている１．６ガロン／水洗のトイレは、これらのより低いレベルの水消費量に推し進められたときに一貫して吸い上げる能力を失う。したがって、製造業者は、トラップウェイ直径を縮小し、改良された技術およびトイレ設計の開発を伴わずに性能を犠牲することを余儀なくされており、かつ余儀なくされ続けるであろう。
【００１６】
いくつかの発明は、したがって、直接噴射式概念の最適化を通してサイホン式トイレの水洗性能を改良することを目指している。例えば、米国特許第５，９１８，３２５号では、サイホン式トイレの性能は、トラップウェイの形状を改良することによって改良される。米国特許第６，７１５，１６２号では、性能は、半径状入口を伴う洗浄弁および便器の中への非対称水流の使用によって改良される。
【００１７】
米国特許第８，３１６，４７５Ｂ２号は、現在の環境水を使用する規格による、少量の水とともに使用するための強化洗浄ならびに十分なサイホンのための加圧周縁および直接送給噴射構成を実証する。
【００１８】
米国特許公開第２０１２／０１９８６１０Ａ１号は、タンク入口からトイレマニホールドに進入する水洗用水流を周縁の入口ポートおよび直接送給噴射口の入口ポートに分割するように、一次マニホールドの領域中に制御要素を組み込むことによって達成される、高性能トイレを示す。
【００１９】
上記の概念は、水洗性能を改良し、ある場合には、便器洗浄も改良するが、入口ポートから内部レッジに沿って、または噴射口を通してのいずれかで、全ての水を指向することによって、従来の周縁チャネルを用いることなく強化洗浄を提供する、周縁なし便器を対象とした、本出願人の参照することによって本明細書に組み込まれる同時係属特許出願公開第２０１３／０２１９６０５Ａ１号のもの等の便器洗浄を改良することに焦点を当てたさらなる試行がある。入口ポートを通した流動が、洗浄機能を支援する。洗浄機能は、本設計において改良される。
【００２０】
同様に、プライミングされた噴射口、および噴射流路から隔離された周縁流路、ならびに噴射口および周縁流路のための独立した弁を有するトイレは、トイレ、洗浄弁、およびその中の弁逆流防止構造の設計ならびに構造に関して、参照することによって関連部分において本明細書に組み込まれる、本出願人の同時係属米国特許出願公開第２０１５／０１９７９２８Ａ１号の主題である。本願は、噴射チャネル中の空気流を最小限にすることによって、非常に少ない量を用いて、強い水洗および強化洗浄を可能にする、トイレアセンブリを提供する。本トイレは、強化洗浄能力を伴う従来の周縁なし設計で作製されてもよく、優れた洗浄を提供することができる。
【００２１】
上記で説明される全ての改良は、水洗の合間に過剰に洗浄する必要なく、強い水洗容量および良好な洗浄を有する便器を提供しようとするが、依然として当技術分野では、消費者が便器を洗浄する通常の様式で便器洗浄剤を使用する、トイレの周期的手動洗浄の必要性がある。周縁の下に、またはタンクの中に直接、もしくはコンテナの中に配置される、便器ブラシ、ゲルクリーナ、交換品、錠剤、および同等物が、公知である。
【００２２】
また、各水洗と連動するように規則的に洗浄剤を導入するための機構を提供することによって、そのようなトイレを「自己洗浄式」にするように試行が行われてきた。いくつかのそのようなトイレは、コントローラまたは他の外部作動機構を使用して、便器の中または周縁の中に洗浄剤を送給する、外部システムを有する。その他は、従来の洗浄弁の溢流管内の管を通して水洗用水とともにゆっくりと便器の中へ送給する、錠剤等の洗浄剤または材料を内部リザーバに提供する。水洗システムを通して洗浄を可能にする、プログラマブルシステムも存在する。
【００２３】
米国特許第５，５４２，１３２号、第５，６０８，９２３号、第５，７２９，８３７号、第５，８６７，８４４号、および第５，９１３，６１１号は、設定されたタイミングならびに選択された流速で周縁または便器への洗浄剤流を動作させる、ポンプおよびコントローラの使用を対象とする。米国特許第５，７２９，８３７号では、洗浄剤レセプタクルおよびポンプが、提供される。レセプタクルは、水洗サイクル後に、周縁の中へ直接流れ込んだ後に洗浄のために送出される、流体形態の洗浄剤を含む。
【００２４】
米国特許第６，３２１，３９２号は、タンク内のリザーバの中で水位の上方に洗浄剤を配置することを説明する。リザーバは、水洗後の補充弁水から導管によって流体を受容し、洗浄剤は、次いで、補充弁から出てトイレに入り、洗浄弁の溢流管を通過する、水と組み合わせられる。溢流管は、洗浄弁の内部本体の基部において水洗用水を導入する。洗浄剤は、水洗毎に導入される。
【００２５】
米国特許第５，７４５，９２８号は、水洗および充填弁と連通してトイレタンクの中に位置付けられるリザーバを開示する。水洗サイクル後に、水は、バイパスとして、洗浄弁からリザーバ（リザーバ内の洗浄ペレット等の洗浄剤を有する）を通り、補充管を通ってトイレに流入する。洗浄剤は、余剰洗浄のために便器の中に着座する。
【００２６】
米国特許第６，７７２，４５０号は、周縁出口孔の下方で便器の中に位置付けられた可撓性成形管類を通して化学溶液を送給する、タイマおよびコントローラを伴う化学注入器システムを含む。化学剤は、加圧された様式で、便器を洗浄するように側壁を伝って便器に注入される。
【００２７】
米国特許第８，０９５，９９７号は、溢流管を通して、またはタンク水に直接のいずれかで、制御可能な様式でトイレの中に導入される洗浄流体もしくは脱臭剤用のモジュール式搭載ディスペンサを開示する。コントローラは、液面センサに応答し得る。
【００２８】
全てのそのような改良が行われているが、反復水洗により洗浄剤を導入するように種々の従来技術のシステムにおいて稼働する、または洗浄剤が便器の中に着座することを可能にする、洗浄流体の連続導入は、動作もしくは充填することが困難である複雑な外部システムに起因して、および／または摂取された場合にペットならびに子どもにとって高濃度で有害であることが判明し得る水洗用水中の洗浄剤の乱用の結果としてのいずれかで、消費者の好評を博していない。さらに、経時的な洗浄剤の乱用は、ゴムシールおよび同等物等の便器内の内部部品に損傷を引き起こし得る。最終的に、そのようなシステムのうちのいくつかは、審美的に魅力的ではなく、多くの外部部品がユーザの目に付く。
【００２９】
当技術分野では、トイレ内の洗浄剤の影響を最小限にする要求に応じて動作することができ、子どもおよびペットがいる家庭で使用するためにより安全であり、好ましくは、据え付けることが容易であり、視覚的に望ましくないことがないように、ポータブルかつコンパクトである、自己洗浄式トイレの必要性がある。さらに、当技術分野では、特別なツールまたは配管工を必要とすることなく、システムが消費者によって容易に交換、修理、および維持されることができるように、洗浄剤ならびに／もしくは実際の洗浄システムの容易な投与および交換を提供するシステム等の必要性がある。
【先行技術文献】
【特許文献】
【００３０】
【特許文献１】米国特許第５，９１８，３２５号明細書
【特許文献２】米国特許第６，７１５，１６２号明細書
【特許文献３】米国特許公開第２０１２／０１９８６１０号明細書
【特許文献４】米国特許第５，５４２，１３２号明細書
【特許文献５】米国特許第６，３２１，３９２号明細書
【特許文献６】米国特許第５，７４５，９２８号明細書
【特許文献７】米国特許第６，７７２，４５０号明細書
【特許文献８】米国特許第８，０９５，９９７号明細書
【発明の概要】
【課題を解決するための手段】
【００３１】
本発明は、トイレおよび洗浄システムを伴うトイレアセンブリ、ユーザの始動時に周期的にトイレおよびそのような洗浄システムを伴うトイレアセンブリを洗浄するための方法、ならびにトイレアセンブリとともに使用するための洗浄システムを含む。本明細書のアセンブリの中のトイレは、最も好ましくは、隔離された周縁経路を有するトイレであるが、本システムは、他のタイプのトイレとともに使用されることもできる。本発明は、自己洗浄式トイレアセンブリを提供する。洗浄システムを伴う従来技術のトイレアセンブリと異なり、本システムは、ユーザが自分自身の作動に応じて、および必要性に応じて、トイレを洗浄することができるように、水洗サイクルで自動的に作動しない。好ましい実施形態では、本システムは、優れた洗浄能力を提供しながら、使用中ではないときに水洗用水中の滞留洗浄剤への人間および動物の最小限の暴露を可能にする。
【００３２】
一実施形態では、本発明は、（ａ）内部空間を画定する便器と、タンク内部を画定するトイレタンクと、洗浄弁と、周縁入口と、洗浄弁の出口から周縁入口まで延在する、隔離された周縁流路であって、洗浄弁は、流体を便器の周縁入口に送達するように構成される、隔離された周縁流路とを備える、トイレアセンブリと、（ｂ）内部空間を画定する本体を有し、リザーバ本体の内部空間と流体連通する出口ポートを有する、液体洗浄剤を保持するためのリザーバと、リザーバを受容するように構成される筐体と、リザーバの内部と流体連通し、リザーバ内から流体を受容するための第１の端部を有する、供給導管と、供給導管を通る流量を制御することが可能な流量制御デバイスと、アクチュエータ特徴によってアクティブ化可能な制御システムであって、アクチュエータ特徴のアクティブ化に応じて、制御システムは、供給導管から閉鎖位置における洗浄弁の内部空間に液体洗浄剤の投与量を送達するために十分な第１の時間周期にわたって流量制御デバイスを動作させるステップであって、洗浄弁は、周縁入口への流体の送達のために構成される、ステップと、洗浄弁を動作させ、洗浄弁を開放して、少なくとも約３リットルまたはそれを上回る水洗用水を導入し、周縁入口を通して便器の中へ液体洗浄剤の投与量を運搬するステップとによって、洗浄サイクルを開始するように適合される、制御システムとを備える、洗浄システムを備える、洗浄システムを伴うトイレアセンブリを提供する。
【００３３】
アセンブリはさらに、洗浄システム内に通気管路を含んでもよい。通気管路が提供される場合、これは、好ましくは、リザーバの内部と流体連通し、リザーバ内から同伴空気および／または液体を受容するように位置する第１の端部と、リザーバ内の全液面の高さの少なくとも上方に位置する第２の開放端とを有するように構成される。
【００３４】
アセンブリ洗浄システムの中の制御システムはまた、周縁入口を通して便器の中へ液体洗浄剤の投与量および水洗用水を送達した後に、洗浄弁を少なくとも部分的に閉鎖するように動作してもよい。加えて、制御システムは、第２の時間周期にわたって液体洗浄剤の投与量および水洗用水を送達するように洗浄弁を動作させてもよい。
【００３５】
リザーバ本体は、好ましくは、出口部分を有し、出口ポートは、出口部分の中に位置する。筐体はまた、リザーバの出口部分を受容するように構成されるシート部分を有してもよい。洗浄システムはさらに、リザーバの出口部分が、密閉係合で筐体のシート部分内に嵌合するように、少なくとも１つの周辺シールを備えてもよい。
【００３６】
本明細書の実施形態では、本システムは、それを通る通路を画定し、上向きに延在する第１の端部と、第２の端部とを有する、管を含んでもよい。第１の端部は、リザーバの内部空間から管内の通路を通して供給導管の第１の端部の中へ流体を指向するために構成され、管は、シート部分の中に位置する。上記で説明されるような通気管路は、洗浄システム内に管を有する実施形態に組み込まれてもよい。そのような場合において、シート部分は、通気管路の第１の端部を受容するための第１の開口部と、供給導管の第１の端部を受容するための第２の開口部とを備えてもよい。管の第１の端部は、尖っていてもよい。供給導管の第１の端部は、好ましくは、リザーバが筐体内に位置するときに、管の第２の端部内に位置してもよい。管はまた、リザーバの出口部分がシートのシート部分の中にあるとき、管がリザーバの出口ポートを通ってリザーバの出口部分内で上向きに延在するように、シート部分内に位置してもよい。管はまた、出口部分の底部領域に流入するように管の上向きに延在する端部に進入する流体のためのそれを通って延在する随意の側面開口部を備えてもよい。
【００３７】
本明細書の実施形態では、出口ポートは、随意に、液体供給弁が本明細書の他の場所で説明されるように組み込まれる場合、管の上向きに延在する端部または液体供給弁継手によって貫通されることが可能な破れやすいシールを含んでもよい。出口部分の底部領域は、本実施形態では、リザーバが筐体内に完全に据え付けられるときに、破れやすいシールの下方の領域として画定されてもよく、管の上向きに延在する端部または液体供給弁継手は、リザーバが筐体内に完全に据え付けられるときに、破れやすいシールを通過する。
【００３８】
流量制御デバイスは、機械化弁、蠕動ポンプ、ピストンポンプ、歯車ポンプ、および歯車モータのうちのいずれかであってもよい。リザーバの出口ポートは、例えば、箔、隔壁、ポリマー裏打ちを伴う箔、または膜等の破れやすいカバーによって被覆されてもよい。
【００３９】
トイレアセンブリはさらに、本明細書の一実施形態では、上面を有し、タンクの上に据え付けられるように構成される、タンク蓋を備えてもよく、タンク蓋の上面は、筐体を受容するように構成され、筐体のシート部分を受容するように構成される領域を含む。タンク蓋はさらに、ロック機構を受容するために構成される、それを通って延在する少なくとも１つの開口部、好ましくは、少なくとも２つの開口部を備えてもよい。ロック機構は、第１の端部と、第２の端部とを有する、少なくとも１つのロック本体を備えてもよい。第２の端部は、少なくとも１つの開口部を通って延在するために構成されてもよい。そのような実施形態におけるロック機構はさらに、タンク蓋を固着するようにロック機構を解放可能に係止するために少なくとも１つのロック本体の第１の端部上に係止キャップを備える。ロック本体は、係止ロッドであってもよい、および／またはロック機構は、スナップ嵌合または回転クイックロック係止機構であってもよい。
【００４０】
タンクはさらに、その上にアクチュエータボタンを有するパネルにアクセスするための開口部をその中に有する、タンク蓋を覆って位置付けられるように構成されるカバーを有してもよい。
【００４１】
そのような実施形態では、タンク蓋はさらに、リフトアームアクチュエータ歯車モータによって作動される少なくとも１つの歯車を備える、リフトアームアクチュエータアセンブリの少なくとも一部の延在を可能にするためのそれを通って延在するアクチュエータ開口部を備えてもよく、少なくとも１つの歯車は、例えば、周縁洗浄弁を制御可能に開放するように旋回または回転することのいずれかによって、リフトアームを移動させるようにリフトアームに係合することが可能であり、リフトアームは、直接または間接的連結部を通して洗浄弁に動作可能に接続している。リフトアームはまた、水洗ハンドルに動作可能に接続してもよく、水洗ハンドルおよびリフトアームアクチュエータアセンブリの押下に応じて、従来の水洗サイクル中に洗浄弁を動作させるよう接続される水洗ハンドルおよびリフトアームは、好ましくは、リフトアームアクチュエータ歯車モータおよび少なくとも１つの歯車の動作によって、水洗ハンドルの押下を伴わずに洗浄弁を動作させるよう配列される。
【００４２】
アセンブリの中の洗浄システムはまた、好ましくは、リザーバおよび筐体を保持するように構成される底部トレイと、上蓋とを含み、底部トレイおよび上蓋は、上蓋が標準タンクカバーの代わりに着座し、底部トレイが洗浄弁の上方でタンクの内部内に着座するように、トイレタンクの上に位置付けられるように構成される。
【００４３】
アセンブリの中の洗浄システムは、好ましくは、アクチュエータ特徴に応答して、洗浄弁を制御可能に開放するための洗浄弁動作機構を含む。一実施形態における洗浄弁動作機構は、流量制御デバイスを動作させるために制御システムによってアクティブ化可能な歯車モータを含む。洗浄弁動作機構は、随意に、洗浄弁の弁体の周囲に据え付けられたフラッパリフト機構に接続された連結部と連通するリフトロッドを含んでもよく、リフトロッドは、歯車モータによって機械的に作動され、歯車モータは、接触に応じてリフトロッドを移動させるためのカム機構と機械的に動作する。洗浄弁動作機構はまた、代替として、リフトアームアクチュエータ歯車モータによって作動される少なくとも１つの歯車を備える、リフトアームアクチュエータアセンブリを備えてもよく、リフトアームアクチュエータアセンブリの少なくとも１つの歯車は、リフトアームが周縁洗浄弁を制御可能に開放することができるように、リフトアームアクチュエータアセンブリの中のリフトアームの一部を移動させるよう、リフトアームアクチュエータアセンブリに係合することが可能であり、リフトアームは、直接または間接的連結部を通して周縁洗浄弁に動作可能に接続している。
【００４４】
洗浄システムはさらに、リフトアームアクチュエータ歯車モータによって作動される歯車を備える、リフトアームアクチュエータアセンブリを備えてもよく、少なくとも１つの歯車は、周縁洗浄弁を制御可能に開放することができるように、リフトアームを回転させるよう、リフトアームアクチュエータアセンブリに係合することが可能であり、リフトアームは、直接または間接的連結部を通して周縁洗浄弁に動作可能に接続している。そのような実施形態はさらに、歯車モータを封入し、少なくとも１つの歯車を搭載するための歯車モータ筐体を備えてもよく、歯車モータ筐体は、トイレタンク内に位置付けられるように構成される。一実施形態では、歯車モータ筐体はさらに、リザーバのために筐体内の少なくとも１つの開口部を通って上向きに延在してもよい。そのような歯車モータ筐体は、歯車モータ筐体を、リザーバ筐体に、またはリザーバおよびリザーバ筐体を保持するように構成されるトレイに固着するための搭載フランジを有してもよい。
【００４５】
アセンブリの中の制御システムはさらに、液体洗浄剤の投与量とともに水洗用水を送達した後に洗浄弁を少なくとも部分的に閉鎖するように、かつ第３の時間周期後に洗浄弁を再び開放し、洗浄サイクルの終わりに少なくとも約３ｌの新しい水洗用水で便器の内部を浄化するように適合されてもよい。そのような実施形態では、アセンブリの中のトイレは、洗浄弁が周縁洗浄弁であり、トイレがさらに、直接送給噴射口と、噴射洗浄弁と、別個の噴流経路とを備えるように、構成されてもよく、アセンブリの中の制御システムはまた、次いで、周縁チャネルが水洗用水を導入して便器を浄化するように再開放することとほぼ同時に、噴射洗浄弁を開放し、少なくとも約０．５ｌの水洗用水、好ましくは、少なくとも約１．０ｌの水洗用水を噴流経路に放出するように動作してもよい。
【００４６】
上記のトイレアセンブリの一実施形態では、洗浄システムは、リザーバの出口ポートと流体連通し、かつ供給導管と流体連通して位置するよう位置付けられる、液体供給弁を備えてもよい。
【００４７】
そのような実施形態におけるリザーバ本体は、出口部分を有してもよく、出口ポートは、出口部分の中に位置してもよい。さらに、筐体は、リザーバが筐体の中に据え付けられるときに、リザーバの出口部分を受容するように構成される、シート部分を有してもよく、液体供給弁は、それを通る液体供給弁通路を画定し、液体供給弁は、リザーバの内部空間から弁通路を通って供給導管の第１の端部の中へ流体を指向するための第１の上端を有し、液体供給弁は、第２の端部を有する。
【００４８】
本実施形態では、アセンブリはまた、液体供給弁の第２の端部を供給導管の第１の端部に接続するために液体供給弁の第２の端部と連通する弁継手を備えてもよい。
【００４９】
アセンブリはまた、アンブレラ弁、ダックビル弁、ばね荷重弁、回転弁、通気式エラストマ弁、およびフラップエラストマ弁のうちの１つ等の種々の液体供給弁を含んでもよい。
【００５０】
本明細書の別の実施形態では、液体供給弁は、第１の機械化弁と、第２の機械化弁とを含んでもよく、アセンブリはさらに、リザーバの内部空間内からの液体洗浄剤の投与量を保定するように構成される投与チャンバを備えてもよく、投与チャンバは、内部空間を画定し、入口ポートを有し、かつ出口ポートを有し、投与チャンバの入口ポートは、第１の機械化弁の出口ポートと流体連通し、投与チャンバの出口ポートは、第２の機械化弁の入口と流体連通し、第２の機械化弁の出口は、供給導管の第１の端部と流体通信する。そのような実施形態における筐体は、リザーバおよび投与チャンバを受容するように構成されるシート部分を有してもよい。
【００５１】
そのような実施形態における制御システムは、好ましくは、投与チャンバの内部空間に液体洗浄剤の投与量を装填するように第１の機械化弁を動作させ、次いで、投与チャンバの内部から供給導管の中へ、かつ便器の周縁入口への流体の送達のために構成される閉鎖された洗浄弁の内部空間の中へ液体洗浄剤の投与量を送達するために十分な第１の時間周期にわたって、第２の機械化弁を動作させることによって、流量制御デバイスを動作させるように適合される。制御システムは、第１の時間周期にわたって第２の機械化弁を動作させることに先立って、液体洗浄剤の投与量を装填するように第１の機械化弁を動作させてもよい。
【００５２】
リザーバおよび投与チャンバは、本実施形態では、筐体を通した横断面に対する角度で整合されてもよい。
【００５３】
本発明のトイレアセンブリは、好ましくは、直接送給噴射口をさらに含み、洗浄弁は、周縁洗浄弁であり、トイレアセンブリはさらに、トイレの中の直接送給噴射口に水洗用水を導入するために動作可能な第２の洗浄弁を備える。周縁洗浄弁のための流体経路および噴射洗浄弁は、相互から分離し、噴射洗浄経路は、好ましくは、水洗サイクルの前および後にプライミングされた状態のままである。
【００５４】
供給導管の第２の端部はまた、好ましくは、周縁洗浄弁に接続される溢流管の内部と流体連通する。
【００５５】
本明細書のアセンブリの中のアクチュエータ特徴は、上蓋の下に位置付けられ、上蓋内の開口部を通してアクセス可能なボタンであってもよい。アクチュエータ特徴はまた、上蓋の頂面上に位置付けられるボタンであってもよい。アクチュエータ特徴はまた、さらに、トイレタンクの側面上に位置付けられるボタンであってもよい。
【００５６】
供給導管の第２の端部は、洗浄弁、好ましくは、周縁洗浄弁に接続される溢流管の内部の中へ流体を送達するよう位置付けられてもよい。供給導管の第２の端部はまた、洗浄弁の底部の中に液体洗浄剤の投与量を導入するよう、または周縁入口の上流の周縁流路内の開口部を通して便器の中に液体洗浄剤の投与量を導入するよう位置付けられてもよい。
【００５７】
本発明はまた、洗浄システムを用いてトイレアセンブリの中のトイレを周期的に洗浄するための方法であって、上記および本明細書の他の場所で説明されるようなトイレアセンブリを提供するステップと、アクチュエータ特徴によって制御システムをアクティブ化し、洗浄サイクルを開始するステップと、流量制御デバイスを動作させ、供給導管から閉鎖位置における洗浄弁の内部空間に液体洗浄剤の投与量を送達するために十分な第１の時間周期にわたってそれを開放するステップと、洗浄弁を動作させ、洗浄弁を開放して、周縁入口を通して便器の中へ液体洗浄剤の投与量とともに少なくとも約３リットルの水洗用水を導入するステップとを含む、方法も含む。
【００５８】
本方法におけるトイレアセンブリは、好ましくは、直接送給噴射口をさらに含み、洗浄弁は、周縁洗浄弁であり、トイレアセンブリはさらに、トイレの中の直接送給噴射口に水洗用水を導入するために動作可能な第２の洗浄弁を備える。本方法におけるトイレアセンブリはまた、好ましくは、噴射洗浄弁から隔離される周縁洗浄弁のための流体経路を有する。好ましくは、そのような実施形態では、噴射洗浄弁は、水洗サイクルの前および後にプライミングされた状態のままである。本方法で提供されるアセンブリの中の制御システムは、好ましくは、第２の時間周期にわたって水洗用水および液体洗浄剤の投与量を導入するように動作し、方法はさらに、液体洗浄剤の投与量とともに水洗用水を導入した後に、洗浄弁を動作させて洗浄弁を少なくとも部分的に閉鎖するステップと、第３の時間周期後に洗浄弁を動作させて再び洗浄弁を開放し、洗浄サイクルの終わりに新しい水洗用水で便器の内部を浄化するステップとを含む。
【００５９】
本発明はまた、内部空間を画定する本体を有し、リザーバ本体の内部空間と流体連通する出口ポートを有する、液体洗浄剤を保持するためのリザーバと、リザーバを受容するように構成される筐体と、リザーバの内部と流体連通し、リザーバ内から流体を受容するための第１の端部を有する、供給導管と、供給導管を通る流量を制御することが可能な流量制御デバイスと、アクチュエータ特徴によってアクティブ化可能な制御システムであって、アクチュエータ特徴のアクティブ化に応じて、制御システムは、供給導管から、便器の周縁入口への流体の送達のために構成される閉鎖された洗浄弁の内部空間に液体洗浄剤の投与量を送達するために十分な第１の時間周期にわたって、流量制御デバイスを動作させるステップと、洗浄弁を動作させ、洗浄弁を開放して、液体洗浄剤の投与量とともに水洗用水を便器の周縁入口の中に導入するステップとによって、洗浄サイクルを開始するように適合される、制御システムとを備える、トイレアセンブリとともに使用するための洗浄システムも含む。
【００６０】
本明細書の洗浄システムでは、随意の通気管路が、リザーバの内部と流体連通して提供され、リザーバ内から同伴空気および／または液体を受容するように位置する第１の端部と、リザーバ内の全液面の高さの少なくとも上方に位置する第２の開放端とを有するように構成されてもよい。
【００６１】
制御システムは、第２の時間周期にわたって水洗用水および液体洗浄剤を導入し、さらに、水洗用水および液体洗浄剤の投与量を送達した後に、洗浄弁を少なくとも部分的に閉鎖するように動作するように適合されてもよい。
【００６２】
リザーバ本体は、好ましくは、出口部分を有し、出口ポートは、出口部分の中に位置する。筐体は、リザーバの出口部分を受容するように構成されるシート部分を有してもよい。
【００６３】
本システムはさらに、リザーバの出口部分が、密閉係合で筐体のシート部分内に嵌合するように、少なくとも１つの周辺シールを備えてもよい。
【００６４】
一実施形態では、本システムは、それを通る通路を画定し、上向きに延在する第１の端部と、第２の端部とを有する、管を含んでもよく、第１の端部は、リザーバの内部空間から管内の通路を通して供給導管の第１の端部の中へ流体を指向するためのものであり、管は、シート部分の中に位置し、シート部分は、供給導管の第１の端部を受容するための第２の開口部を有してもよい。管の第１の端部は、尖っていてもよい。供給導管の第１の端部は、リザーバが筐体内に位置するときに、管の第２の端部内に位置してもよい。管は、リザーバの出口部分がシートのシート部分の中にあるとき、管がリザーバの出口ポートを通ってリザーバの出口部分内で上向きに延在するように、シート部分内に位置してもよい。管はまた、出口部分の底部領域に流入するように管の上向きに延在する端部に進入する流体のためのそれを通って延在する随意の側面開口部を備えてもよい。管を有する実施形態では、本システムはまた、リザーバの内部と流体連通し、リザーバ内から同伴空気および／または液体を受容するように位置する第１の端部と、リザーバ内の全液面の高さの少なくとも上方に位置する第２の開放端とを有するように構成される、随意の通気管路を備えてもよく、その場合、シート部分はまた、通気管路の第１の端部を受容するための第１の開口部を備えてもよい。
【００６５】
洗浄システム内の出口ポートは、管の上向きに延在する端部または液体供給弁継手によって貫通されることが可能な破れやすいシールを有してもよく、出口部分の底部領域は、リザーバが筐体内に完全に据え付けられるときに、破れやすいシールの下方の領域として画定され、管の上向きに延在する端部または液体供給弁継手は、リザーバが筐体内に完全に据え付けられるときに、破れやすいシールを通過する。
【００６６】
本システム内の流量制御デバイスは、機械化弁、蠕動ポンプ、ピストンポンプ、歯車ポンプ、または歯車モータであってもよい。洗浄システムの流量制御デバイスはまた、流量制御デバイスを動作させるために制御システムによってアクティブ化可能な歯車モータを備えてもよい。
【００６７】
本明細書の洗浄システム内のリザーバの出口ポートは、破れやすいカバーによって被覆されてもよい。破れやすいカバーは、箔、隔壁、ポリマー裏打ちを伴う箔、または膜であってもよい。
【００６８】
洗浄システムはまた、洗浄弁動作機構を備えてもよい。一実施形態では、本機構は、洗浄弁の弁体の周囲に据え付けられたフラッパリフト機構に接続された連結部と連通するリフトロッドを含んでもよく、リフトロッドは、歯車モータによって機械的に作動され、歯車モータは、接触に応じてリフトロッドを移動させるためのカム機構と機械的に動作する。洗浄弁動作機構はまた、代替として、リフトアームアクチュエータ歯車モータによって作動される少なくとも１つの歯車を備える、リフトアームアクチュエータアセンブリを備えてもよく、少なくとも１つの歯車は、リフトアームが周縁洗浄弁を制御可能に開放することができるように、リフトアームアクチュエータアセンブリの中のリフトアームを移動させるよう、リフトアームアクチュエータアセンブリに係合することが可能であり、リフトアームは、直接または間接的連結部を通して周縁洗浄弁に動作可能に接続している。そのような実施形態はまた、歯車モータを封入し、少なくとも１つの歯車を搭載するための歯車モータ筐体を含んでもよく、歯車モータ筐体は、トイレタンク内に位置付けられるよう、かつリザーバのために筐体内の少なくとも１つの開口部を通って上向きに延在するように構成されてもよい。アセンブリの中の筐体はさらに、歯車モータ筐体を、リザーバ筐体に、またはリザーバおよびリザーバ筐体を保持するように構成されるトレイに固着するための搭載フランジを含んでもよい。
【００６９】
洗浄システムはさらに、リザーバおよび筐体を保持するように構成される底部トレイと、上蓋とをさらに備えてもよく、底部トレイおよび上蓋は、上蓋が標準タンクカバーの代わりに着座し、底部トレイがトイレ洗浄弁の上方でトイレタンクの内部内に着座するように、トイレタンクの上に位置付けられるように構成される。
【００７０】
制御システムは、例えば、洗浄弁動作機構を使用して、液体洗浄剤の投与量を送達した後に洗浄弁を少なくとも部分的に閉鎖するように、かつ第３の時間周期後に洗浄弁を再び開放し、洗浄サイクルの終わりに新しい水洗用水で便器の内部を浄化するようにさらに適合されてもよい。
【００７１】
本発明はまた、（ａ）内部空間を画定する便器と、タンク内部を画定するトイレタンクと、洗浄弁と、洗浄弁の出口から少なくとも１つの周縁出口ポートまで延在する周縁流路を通して便器の内部と流体連通する周縁とを備える、トイレアセンブリであって、洗浄弁は、流体を周縁に送達するように構成され、洗浄弁は、洗浄弁が、トイレアセンブリが水洗サイホンを開始する、または洗い落とし式水洗を提供するために十分な水洗用水流を提供することができる、水洗作動モードで動作するように、かつ洗浄弁が、サイホンを開始するためには不十分であるが便器を洗浄するためには十分である、便器への洗浄剤および水洗用水混合物の導入を可能にするように部分的にのみ開放される、洗浄作動モードで動作するように構成される、トイレアセンブリと、（ｂ）内部空間を画定する本体を有し、リザーバ本体の内部空間と流体連通する出口ポートを有する、液体洗浄剤を保持するためのリザーバと、リザーバを受容するように構成される筐体と、リザーバの内部と流体連通し、リザーバ内から流体を受容するための第１の端部を有する、供給導管と、供給導管を通る流量を制御することが可能な流量制御デバイスと、アクチュエータ特徴によってアクティブ化可能な制御システムであって、アクチュエータ特徴のアクティブ化に応じて、制御システムは、リザーバから１つまたはそれを上回る周縁出口に液体洗浄剤の投与量を送達するために十分な第１の時間周期にわたって流量制御デバイスを動作させるステップと、洗浄作動モードで洗浄弁を動作させ、水洗用水を導入し、サイホンを開始するためには不十分であるが便器を洗浄するためには十分である流速で、少なくとも１つの周縁出口ポートを通して便器の中へ液体洗浄剤の投与量を運搬するよう、洗浄弁を開放するステップとによって、洗浄サイクルを開始するように適合される、制御システムとを備える、洗浄システムを備える、洗浄システムを有するトイレアセンブリも含む。
【００７２】
上記の実施形態では、洗浄弁は、洗浄作動モードでは、通常水洗モード中に洗浄弁を通る流速よりも約２０％〜約８０％遅い、好ましくは、洗浄作動モードでは、通常水洗モード中に洗浄弁を通る流速よりも約４０％〜約６０％遅い流速で水洗用水を導入してもよい。加えて、水洗用水は、約２秒〜約３０秒の周期にわたって水洗作動モードで弁に進入してもよい。水洗用水および洗浄剤は、便器の中に導入され、便器を洗浄するために約３０秒〜約３０分の在留時間を有してもよい。
【００７３】
本アセンブリの１つの特定の実施形態では、便器は、直接送給噴射口のサイホン式重力動力型便器であってもよい。便器は、代替として、周縁送給噴射式のサイホン式便器、非噴射式のサイホン式重力動力型便器、または重力動力型洗い落とし式便器であってもよい。
【００７４】
さらに、本アセンブリの代替実施形態では、洗浄弁は、洗浄作動モード中に弁を開放する際に使用するための弁カバーの中のポペット特徴を伴うフラッパ型洗浄弁であってもよい。代替として、洗浄弁は、洗浄作動モード中に弁を開放する際に使用するためのフックおよびキャッチ特徴を伴うフラッパ型洗浄弁であってもよい。さらに別の実施形態では、洗浄弁は、ポペット型洗浄弁であってもよく、ポペット型弁カバーは、通常水洗モードで洗浄弁を開放し、洗浄弁は、洗浄作動モード中に弁を開放する際に使用するためのカバーをその上に有する、側面ポートを有する。
【００７５】
そのようなトイレアセンブリ実施形態はまた、洗浄システムを用いてトイレアセンブリの中のトイレを周期的に洗浄するための方法で使用されてもよい。本方法は、種々の従来のトイレアセンブリ構成上で使用され得る、上記のようなトイレアセンブリを提供するステップと、アクチュエータ特徴によって制御システムをアクティブ化し、洗浄サイクルを開始するステップと、流量制御デバイスを動作させ、供給導管から閉鎖位置における洗浄弁の内部空間に液体洗浄剤の少なくとも１つの投与量を送達するために十分な第１の時間周期にわたってそれを動作させるステップと、洗浄弁を動作させ、洗浄弁を開放して、サイホンを開始するためには不十分であるがトイレアセンブリの中の便器を洗浄するためには十分である流速で、少なくとも１つの周縁出口ポートを通して便器の中へ液体洗浄剤の少なくとも１つの投与量とともに水洗用水を導入するステップとを含む。
【００７６】
種々の従来のトイレ設計で使用するために好適な上記の実施形態に基づく本発明のさらなる実施形態は、内部空間を画定する本体を有し、リザーバ本体の内部空間と流体連通する出口ポートを有する、液体洗浄剤を保持するためのリザーバと、リザーバを受容するように構成される筐体と、リザーバの内部と流体連通し、リザーバ内から流体を受容するための第１の端部を有する、供給導管と、供給導管を通る流量を制御することが可能な流量制御デバイスと、アクチュエータ特徴によってアクティブ化可能な制御システムであって、アクチュエータ特徴のアクティブ化に応じて、制御システムは、リザーバからトイレアセンブリの１つまたはそれを上回る周縁出口に液体洗浄剤の投与量を送達するために十分な第１の時間周期にわたって流量制御デバイスを動作させるステップと、洗浄作動モードでトイレアセンブリの中の洗浄弁を動作させ、水洗用水を導入し、サイホンを開始するためには不十分であるがトイレアセンブリの中の便器を洗浄するためには十分である流速で、トイレアセンブリの少なくとも１つの周縁出口ポートを通してトイレアセンブリの便器の中へ液体洗浄剤の投与量を運搬するよう、トイレアセンブリの中の洗浄弁を開放するステップとによって、洗浄サイクルを開始するように適合される、制御システムとを備える、トイレアセンブリとともに使用するための洗浄システムを含む。
【００７７】
そのような洗浄システムは、非噴射式のサイホン式重力動力型便器、周縁噴射式のサイホン式重力動力型便器、または重力動力型洗い落とし式便器で使用されてもよい。制御システムは、洗浄作動モード中に弁を動作させる際に使用するための弁カバーの中のポペット特徴を伴うフラッパ型洗浄弁である、トイレアセンブリの中の洗浄弁を動作させてもよい。これはまた、洗浄作動モード中に弁を開放させる際に使用するためのフックおよびキャッチ特徴を伴うフラッパ型洗浄弁である、トイレアセンブリの中の洗浄弁を動作させてもよい。これはさらに、ポペット型洗浄弁である、トイレアセンブリの中の洗浄弁を動作させてもよく、ポペット型弁カバーは、通常水洗モードで洗浄弁を開放し、洗浄弁は、洗浄作動モード中に弁を動作させる際に使用するためのカバーをその上に有する、側面ポートを有する。
【図面の簡単な説明】
【００７８】
前述の要約、ならびに以下の本発明の好ましい実施形態の詳細な説明は、添付図面と併せて熟読されると、さらに理解されるであろう。本発明を実装する目的のために、図面には、現在好ましい実施形態が示されている。しかしながら、本発明は、示される精密な配列および手段に限定されないことを理解されたい。
【００７９】
【図１】図１は、本発明のある実施形態による、トイレアセンブリ用の洗浄システムの概略フロー図である。
【００８０】
【図２】図２は、本発明のある実施形態による、本明細書のトイレアセンブリの一部としての洗浄システムとともに使用するための洗浄弁を有する、トイレタンクの内部の斜視図である。
【００８１】
【図３】図３は、本発明のある実施形態による、洗浄システムタンク蓋アセンブリの斜視図である。
【００８２】
【図３Ａ】図３Ａは、制御パネルが開いている、図３の洗浄システムタンク蓋アセンブリの斜視図である。
【００８３】
【図４】図４は、図３による、洗浄システムタンク蓋アセンブリの実施形態の分解図である。
【００８４】
【図５】図５は、洗浄システムのある実施形態による、リザーバおよび関連付けられる供給導管ならびに通気管路の概略断面図である。
【００８５】
【図６】図６は、溢流管および漏斗を有する洗浄弁用の連結部、フラッパリフト機構、およびリフトロッドを示す、図３による洗浄システムを有する、図１６に示される本発明によるトイレアセンブリのタンク部分の図１６の線６−６に沿ってとられた断面図である。
【００８６】
【図７】図７は、上部タンク蓋が開いている、図３の洗浄システムタンク蓋アセンブリの斜視図である。
【００８７】
【図８】図８は、周縁および噴射洗浄弁アセンブリを有する、タンクの内部を示す、本発明の一実施形態による便器アセンブリの斜視図である。
【００８８】
【図９】図９は、タンクの内部を示す、図８の便器アセンブリの正面立面図である。
【００８９】
【図１０】図１０は、図８の線１０−１０に沿って得られた図１−２および８のトイレアセンブリの斜視横断面図である。
【００９０】
【図１１】図１１は、図８のトイレアセンブリの上面立面図である。
【００９１】
【図１２】図１２は、噴射開口部および周縁開口部を示す、トイレアセンブリの便器部分の上面立面図である。
【００９２】
【図１３】図１３は、洗浄弁が省略された、図９の線１３−１３に沿って得られた図８のトイレアセンブリの縦断面図である。
【００９３】
【図１４】図１４は、噴射出口を示す、図１３のトイレアセンブリの大きく拡大された部分である。
【００９４】
【図１５】図１５は、線１５−１５に沿って得られた図１６の縦断面図である。
【００９５】
【図１６】図１６は、蓋をタンクから除去している、図８のトイレアセンブリの上面図である。
【００９６】
【図１７】図１７は、図１および３の洗浄システムのリザーバの部分的な拡大縦断面図である。
【００９７】
【図１８】図１８は、図１および３の洗浄システムのリザーバならびに液体供給弁の分解斜視図である。
【００９８】
【図１９】図１９は、図８のトイレアセンブリならびに図１および３の洗浄システム用のリフトアーム作動アセンブリの正面斜視図である。
【００９９】
【図２０】図２０は、図１９のリフトアーム作動アセンブリの後面斜視図である。
【０１００】
【図２１】図２１は、図１９のリフトアーム作動アセンブリの分解正面斜視図である。
【０１０１】
【図２２】図２２は、図１９のリフトアーム作動アセンブリの分解後面斜視図である。
【０１０２】
【図２３】図２３は、歯車モータアセンブリを伴う歯車モータ筐体上に搭載された図１９のリフトアーム作動アセンブリの正面斜視図である。
【０１０３】
【図２４】図２４は、図２３のリフトアーム作動アセンブリ、歯車モータ筐体、および歯車モータアセンブリの後面斜視図である。
【０１０４】
【図２５】図２５は、図２３のリフトアーム作動アセンブリ、歯車モータ筐体、および歯車モータアセンブリの分解正面斜視図である。
【０１０５】
【図２６】図２６は、図２３のリフトアーム作動アセンブリ、歯車モータ筐体、および歯車モータアセンブリの分解後面斜視図である。
【０１０６】
【図２７】図２７は、洗浄サイクル時間に対する洗浄剤溶液流速および水洗用水流速の関係のグラフ表示である。
【０１０７】
【図２８】図２８は、従来の水洗トイレを使用する、本発明のさらなる実施形態によるトイレアセンブリ用の洗浄システムの概略フロー図である。
【０１０８】
【図２９】図２９は、図２９Ａの線２９−２９に沿って得られた図２９Ａの従来技術のトイレの縦断面図である。
【０１０９】
【図２９Ａ】図２９Ａは、周縁経路から隔離されていない直接送給噴射流路を明示する、便器の従来技術の直接送給噴射便器の上面立面図である。
【０１１０】
【図２９Ｂ】図２９Ｂは、線２９Ｂ−２９Ｂに沿って得られた図２９Ａの便器の横断面図である。
【０１１１】
【図３０】図３０は、周縁送給噴射口を有し、周縁送給噴射流路を明示する、さらなる従来技術の便器の縦断面図である。
【０１１２】
【図３１】図３１は、弁が閉鎖位置におけるポペット特徴を伴うフラッパカバーを有する、従来のトイレとともに洗浄システムで使用するために好適な本発明のある実施形態による洗浄弁の側面立面図である。
【０１１３】
【図３２】図３２は、本明細書のシステムの洗浄サイクルのための開放位置における図３１による洗浄弁の側面立面図である。
【０１１４】
【図３３】図３３は、弁が閉鎖位置における球ならびにフックおよびキャッチ特徴を伴うフラッパカバーを有する、従来のトイレとともに洗浄システムで使用するために好適な本発明の代替実施形態による洗浄弁の側面図である。
【０１１５】
【図３４】図３４は、本明細書のシステムの洗浄サイクルのための開放位置における図３３の実施形態による洗浄弁の側面立面図である。
【０１１６】
【図３５】図３５は、弁が閉鎖位置において別個のフラッパ被覆側面ポートを有する、従来のトイレとともに洗浄システムで使用するために好適な本発明のさらなる代替実施形態による洗浄弁の側面立面図である。
【０１１７】
【図３６】図３６は、本明細書のシステムの洗浄サイクルのための開放位置における図３５による洗浄弁の側面立面図である。
【０１１８】
【図３７】図３７は、本明細書の洗浄システムの代替実施形態で使用するための流体供給弁を含む、代替的リザーバアセンブリの分解図である。
【０１１９】
【図３８】図３８は、図３７の弁アセンブリの拡大縦断面図である。
【０１２０】
【図３９】図３９は、筐体シートの中の穿刺注入針型管と、代替的フラッパリフト機構とを有する、本明細書の洗浄システムのさらなる実施形態で使用するための代替的リザーバの特徴の概略図である。
【０１２１】
【図４０】図４０は、図３９のフラッパリフト機構の拡大斜視図である。
【０１２２】
【図４１】図４１は、本明細書に説明される洗浄システムで使用するためのリザーバおよび歯車モータの分解縦断面図である。
【０１２３】
【図４２】図４２は、図４１のリザーバおよび歯車モータの縦断面図である。
【０１２４】
【図４３】図４３は、本明細書に説明される洗浄システムで使用するためのさらなるリザーバおよび歯車モータの分解縦断面図である。
【０１２５】
【図４４】図４４は、図４３のリザーバおよび歯車モータの縦断面図である。
【０１２６】
【図４５】図４５は、本明細書に説明される洗浄システムで使用するためのリザーバおよび歯車モータのさらなる実施形態の分解縦断面図である。
【０１２７】
【図４６】図４６は、図４５のリザーバおよび歯車モータの縦断面図である。
【０１２８】
【図４７】図４７は、本明細書に説明される洗浄システムで使用するためのリザーバおよび歯車モータのその上さらなる実施形態の分解縦断面図である。
【０１２９】
【図４８】図４８は、図４７のリザーバおよび歯車モータの縦断面図である。
【０１３０】
【図４９】図４９は、本明細書に説明される洗浄システムで使用するためのリザーバおよび歯車モータの別の実施形態の分解縦断面図である。
【０１３１】
【図５０】図５０は、図４９のリザーバおよび歯車モータの縦断面図である。
【０１３２】
【図５１】図５１は、本明細書に説明される洗浄システムで使用するためのさらなるリザーバ実施形態の分解縦断面図である。
【０１３３】
【図５２】図５２は、図５１のリザーバの縦断面図である。
【０１３４】
【図５３】図５３は、本明細書に説明される洗浄システムで使用するためのさらなるリザーバ実施形態の分解縦断面図である。
【０１３５】
【図５４】図５４は、図５３のリザーバの縦断面図である。
【０１３６】
【図５５】図５５は、本発明の洗浄システムの代替実施形態による、洗浄システムで使用するための機械化弁を伴う投与チャンバおよび代替リザーバの斜視部分断面概略図である。
【０１３７】
【図５６】図５６は、図５５による投与チャンバのさらなる斜視部分断面概略図である。
【０１３８】
【図５７】図５７は、修正された部品を伴う図１の洗浄システムのさらなる実施形態の構成要素のうちのいくつかの分解斜視図である。
【０１３９】
【図５８】図５８は、図５７の実施形態の代替的リフトアーム機構の正面斜視分解図である。
【０１４０】
【図５９】図５９は、図５８のリフトアーム機構の後面斜視分解図である。
【０１４１】
【図６０】図６０は、その上に歯車モータ筐体および搭載フランジを有する、図５７の洗浄システムのトレイの正面斜視図である。
【０１４２】
【図６１】図６１は、その上に歯車モータ筐体および搭載フランジを有する、図５７の洗浄システムのトレイの後面斜視図である。
【０１４３】
【図６２】図６２は、図５７の歯車モータ筐体、歯車モータアセンブリ、および筐体搭載フランジの分解斜視図である。
【０１４４】
【図６３】図６３は、組立形態で図５７の洗浄システム内のトレイの上に配設された歯車モータ筐体およびリフトアームアセンブリの縦断面図である。
【０１４５】
【図６４】図６４は、図５７の洗浄システム用の歯車モータの前で得られた、トレイの上に配設された歯車モータ筐体の正面縦断面図である。
【０１４６】
【図６５】図６５は、図５７の洗浄システム用の歯車モータの後ろで得られた、トレイの上に配設された歯車モータ筐体の後面縦断面図である。
【０１４７】
【図６６】図６６は、図５７の洗浄システム用のトレイの上に組み立てられたリフトアーム作動機構を伴う、歯車モータ筐体、歯車モータの上面立面図である。
【０１４８】
【図６７】図６７は、図５７の洗浄システムの一部として液体供給弁、供給弁歯車モータ、およびリザーバの動作を示す、組み立てられたタンク蓋、トレイ、リザーバ筐体、カバー、およびリザーバを通した縦断面図である。
【０１４９】
【図６８】図６８は、図５７の洗浄システムの組み立てられたカバー、リザーバ筐体、およびトレイの拡大区分の部分的分解図である。
【０１５０】
【図６９】図６９は、図６８の組み立てられたカバー、リザーバ筐体、およびトレイの同一拡大区分の完全分解図である。
【０１５１】
【図７０】図７０は、本発明のさらなる実施形態で使用するためのリフトアームアクチュエータアセンブリのさらなる代替的本体の正面斜視図である。
【０１５２】
【図７１】図７１は、図７０のアクチュエータアセンブリの分解正面斜視図である。
【０１５３】
【図７２】図７２は、図７０のアクチュエータアセンブリの後面斜視図である。
【０１５４】
【図７３】図７３は、図７０のアクチュエータアセンブリの分解後面斜視図である。
【０１５５】
【図７４】図７４は、本明細書のさらなる実施形態による、洗浄システムタンク蓋を有するトイレタンクアセンブリの正面斜視図である。
【０１５６】
【図７４Ａ】図７４Ａは、タンク蓋カバーが開いている、図７４のトイレタンクアセンブリの斜視図である。
【０１５７】
【図７５】図７５は、蓋カバーが開いている、図７４の洗浄システムタンク蓋の斜視図である。
【０１５８】
【図７６】図７６Ａは、ＬＥＤパネルライトがオフである、図７５のタンク蓋の制御パネルの拡大図である。図７６Ｂは、ＬＥＤパネルライトがオンである、図７６Ａのタンク蓋の制御パネルの拡大図である。
【０１５９】
【図７７】図７７は、その中の洗浄弁アセンブリを示す、図７４のタンクの斜視部分切断図である。
【０１６０】
【図７７Ａ】図７７Ａは、図７４の洗浄システムアセンブリで使用するための洗浄弁アセンブリの斜視図である。
【０１６１】
【図７８】図７８は、図７７の洗浄弁アセンブリの噴射洗浄弁の斜視図である。
【０１６２】
【図７９】図７９は、図７８の噴射洗浄弁の側面立面図である。
【０１６３】
【図８０】図８０は、図７８による開放した噴射洗浄弁の斜視図である。
【０１６４】
【図８１】図８１は、図７８の洗浄弁の開放側面立面図である。
【０１６５】
【図８２】図８２は、図７７の洗浄弁アセンブリのさらなる後面斜視図である。
【０１６６】
【図８３】図８３は、図７７の洗浄弁アセンブリの正面図である。
【０１６７】
【図８４】図８４は、水洗作動アセンブリの分解図である。
【０１６８】
【図８４Ａ】図８４Ａは、水洗作動アセンブリの斜視図である。
【０１６９】
【図８５】図８５は、車軸延在部およびブッシングを伴う水洗ハンドルの縦断面図である。
【０１７０】
【図８６Ａ】図８６Ａは、図８５の水洗ハンドルの側面立面図である。
【０１７１】
【図８６Ｂ】図８６Ｂは、図８５の水洗ハンドルの底面立面図である。
【０１７２】
【図８６Ｃ】図８６Ｃは、図８５の水洗ハンドルの斜視図である。
【０１７３】
【図８７Ａ】図８７Ａは、図８５に従って組み立てられた水洗ハンドルおよび車軸延在部の後面斜視図である。
【０１７４】
【図８７Ｂ】図８７Ｂは、図８７Ａの水洗ハンドルの分解図である。
【０１７５】
【図８９】図８９は、水洗作動リフトアームを組み込む、図８５の水洗ハンドル、車軸、およびブッシングのさらなる縦方向図である。
【０１７６】
【図９０】図９０は、図８５の水洗ハンドル、車軸、およびブッシングの縦断面斜視図である。
【０１７７】
【図９０Ａ】図９０Ａは、図７４の洗浄システムの水洗作動アセンブリおよび歯車アクチュエータモータの傾斜縦方向面を通した部分傾斜断面図である。
【０１７８】
【図９０Ｂ】図９０Ｂは、図９０Ａの水洗作動アセンブリおよび歯車アクチュエータモータの上面立面図である。
【０１７９】
【図９０Ｃ】図９０Ｃは、図９０Ａの水洗作動アセンブリの歯車モータおよび歯車の部分正面斜視図である。
【０１８０】
【図９０Ｄ】図９０Ｄは、図９０Ａの水洗作動アセンブリの歯車モータおよび歯車の部分後面斜視図である。
【０１８１】
【図９０Ｅ】図９０Ｅは、図９０Ａの水洗作動アセンブリの歯車モータの分解図である。
【０１８２】
【図９１】図９１は、図７４の実施形態のトイレ蓋アセンブリの縦断面図である。
【０１８３】
【図９２】図９２は、図７４の実施形態のトイレ蓋アセンブリのさらなる縦断面図である。
【０１８４】
【図９３】図９３は、図７４の実施形態のトイレ蓋アセンブリの横断面図である。
【０１８５】
【図９４】図９４は、図９１の縦断面図の一部の接近図である。
【０１８６】
【図９５】図９５は、図７４の実施形態のリザーバで使用される液体供給弁アセンブリの分解図である。
【０１８７】
【図９５Ａ】図９５Ａは、図８５の液体供給弁アセンブリの斜視図である。
【０１８８】
【図９６Ａ】図９６Ａは、図７４の実施形態で使用するためのリザーバの側面立面図である。
【０１８９】
【図９６Ｂ】図９６Ｂは、図９６Ａのリザーバの底部リザーバ出口の接近図である。
【０１９０】
【図９６Ｃ】図９６Ｃは、図９６Ａのリザーバの斜視図である。
【０１９１】
【図９６Ｄ】図９６Ｄは、図９６Ａのリザーバのさらなる底部斜視図である。
【０１９２】
【図９６Ｅ】図９６Ｅは、図９６Ａのリザーバのさらなる側面立面図である。
【０１９３】
【図９６Ｆ】図９６Ｆは、図９６Ａのリザーバの底面立面図である。
【０１９４】
【図９６Ｇ】図９６Ｇは、図９６Ａのリザーバのさらなる側面立面図である。
【０１９５】
【図９７】図９７は、図７４の洗浄システムの投与リフトカップおよび液体供給弁モータの分解図である。
【０１９６】
【図９８】図９８は、図９７の投与リフトカップおよび液体供給弁モータの縦断面図である。
【０１９７】
【図９８Ａ】図９８Ａは、図９７の投与リフトカップおよび液体供給弁モータの組立斜視図である。
【０１９８】
【図９９Ａ】図９９Ａは、図７４の実施形態とともに使用するためのトイレの正面から視認されたタンクライナの上面立面図である。
【０１９９】
【図９９Ｂ】図９９Ｂは、図９９Ａのタンクライナの正面立面図である。
【０２００】
【図９９Ｃ】図９９Ｃは、トイレの底部から視認された図９９Ｂのタンクライナの底面立面図である。
【０２０１】
【図９９Ｄ】図９９Ｄは、係止締結具を受容するためのタンクライナ内の陥凹の接近図である。
【０２０２】
【図９９Ｅ】図９９Ｅは、図９９Ａのタンクライナの内部を示す縦断面図である。
【発明を実施するための形態】
【０２０３】
本発明は、トイレ、および本明細書に説明されるようなトイレアセンブリとともに使用するための洗浄システムの種々の実施形態、ならびにそのような洗浄システムを使用してトイレを周期的に洗浄するための方法を含む、トイレアセンブリを含む。本明細書の洗浄システムは、ユーザがトイレを洗浄したいときにいつでもユーザによって作動され得る、洗浄サイクルを提供する。洗浄システムは、従来の水洗サイクル外で動作し、トイレの後続の使用に応じて、トイレが通常の様式で水を流すであろうように、洗浄後に自動的に動作停止する。液体洗浄剤が、したがって、水洗サイクル毎ではなく洗浄サイクル中にのみ送達される。洗浄サイクルはまた、便器から排水管路に洗浄剤を除去する浄化ステップを含むこともできる。そのような洗浄サイクルは、したがって、洗浄剤を乱用せず、または洗浄の合間にそれらを便器の中に存在したままにせず、環境のためにより安全で、別様に水洗用水中の毒性洗浄剤による被害を受け得るペットおよび子どもに優しくなる。本システムは、簡単洗浄サイクルおよび徹底洗浄サイクルの両方に適応することができ、その徹底洗浄サイクルが、洗浄し、また、細菌を死滅させて消毒することの両方を行うことができるように、「浄化」または「洗い流し」サイクルをアクティブ化する前に、１つもしくはそれを上回る所望および／または事前設定時間周期にわたって便器の中に洗浄流体を残すように設定されることができる。
【０２０４】
一実施形態では、本システムは、ユーザ選択として各水洗で洗浄流体の少ないまたは断続的用量を提供するというオプションを提供することができる。これは、例えば、弁が開放される前に少ない投与量が追加され得るように、自動モードで水洗を使用して、または単純に簡単洗浄サイクルを使用して、ＰＬＣにプログラムされる代替的オプションとして、もしくはより好ましくは、当業者に利用可能な種々の他のオプションによって、行われることができる。断続的使用または洗浄剤の追加がシステム上の電力使用を増加させ得る一方で、バッテリ容量が増加されることができる、もしくはＡＣ電流等の電気接続が提供されることができる。
【０２０５】
代替として、後続の手動水洗が作動されるときに、付加的材料が導入された後、手動水洗用水がより少量の洗浄剤を便器に流し込むであろうように、タイマが、規則的設定間隔で少ない投与量を追加するために採用されてもよい。タイマ機構に加えて、手動水洗サイクルが、断続的水洗を伴わずに洗浄剤のいくつかの時限投与量の追加を回避するようアクティブ化されるときに、センサがシステムにアラートするために提供されてもよい。
【０２０６】
本明細書で使用されるように、「内側」および「外側」、「上部」および「下部」、「前方」および「後方」、「前」および「後」、「左」および「右」、「上向き」および「下向き」等の言葉、ならびに類似する意味の言葉は、付随する図面の図を参照して、かつ図に示されるようなトイレアセンブリの配向に関して、本発明の好ましい実施形態の理解を支援することを意図し、本発明の範囲に限定的であること、または本発明の範囲を図に示されるような好ましい実施形態に限定することを意図していない。本明細書の実施形態１０、２００、３００、４００、５００、７００、８００、９００、１２００、１３００、１４００、１５００、１６００、１７００、１８００、１９００、および２４００はそれぞれ、特定の特徴のための代替的構成を反対に説明する用語がない場合、本開示およびそれに添付された図面に基づいて、１つのそのような特徴の説明が、別様に規定されない限り、類似特徴を説明する別の実施形態で適用可能であることを当業者が理解するであろうように、本明細書に説明されるような、かつ図面に示されるような本発明の類似特徴を参照するために、同様の参照番号を使用する。
【０２０７】
図１−４および６−２７を参照すると、トイレ３０と、洗浄システム１００とを有する、好ましいアセンブリ１０が、本明細書の洗浄システムアセンブリとともにトイレアセンブリで使用するために説明される。本実施形態における好ましいトイレアセンブリ１０および洗浄システム１００は、示されるような構成で動作可能であるが、本開示に基づいて、洗浄システムが種々のトイレのために適合されてプログラムされ得ることを理解されたい。これは、実施形態１６００、１７００、および１８００において以下でさらに議論される。単一または多重水洗モデルであるかどうかにかかわらず、重力動力型サイホン式水洗トイレが好ましいが、洗い落とし式トイレもまた、以下の実施形態１６００、１７００、および１８００でさらに詳細に説明されるようないくつかの修正または適合を伴って、本明細書の洗浄システムで使用されることができる。本実施形態のための最も好ましいトイレは、本明細書で詳細に説明されるような隔離された周縁流路を伴うものである。図２、８、９、および１６に示されるように、好ましいトイレは、２つの独立した洗浄弁と、周縁洗浄弁８０と、噴射洗浄弁７０とを有する。周縁洗浄弁８０は、タンク内の水位が溢流管の高さを超えるときに、タンクから周縁または周縁チャネルに水を指向する役割を果たす、溢流管１９０を有する。充填弁６６は、水洗サイクルまたは洗浄サイクル後にタンクを補充する。これはまた、水洗サイクルが終了され、便器が下水ガスの逆流に対するシール深度を復元するために補充される必要があるときに、溢流管１９０を通して水を便器に提供するための導管１３８も有する。
【０２０８】
本明細書に説明される好ましいトイレアセンブリは、周縁および噴流経路を別個に保つ設計であるため、洗浄サイクル中にサイホンの形成を回避する（または別様に、「保留」周期の前に排水管路に流出するであろう洗浄流体の割合を低減させる）所望に照らして、効果的に動作する。１つのそのようなトイレは、トイレおよびそのような洗浄弁特徴、ならびにそれらの動作の説明が、参照することによって本明細書に組み込まれる程度に、制御された動作のために弁カバーを完全に持ち上げる、または剥離するよう有用である、剥離フラッパ特徴と、種々の逆流防止機構と、内部弁ウェブ構造の使用と、二重鎖機構とを有する、洗浄弁設計を含む、そのようなトイレおよびその洗浄弁の特徴ならびに動作を説明する、同時係属米国特許出願公開第ＵＳ２０１５／０１９７９２８Ａ１号で出願人によって説明されている。
【０２０９】
トイレアセンブリ１０は、米国特許出願公開第ＵＳ２０１５／０１９７９２８Ａ１号およびさらに本明細書の以下で説明されるような便器３０を有する。アセンブリは、内部領域３６を画定する便器３０と、タンク内部１１９を画定するトイレタンク６０と、洗浄弁８０と、周縁入口ポート２８とを含む。洗浄弁８０は、好ましくは、流体を便器３０の周縁入口ポート２８に送達するように構成され、本明細書に説明されるように、隔離された周縁および噴流経路と、別個の周縁および噴射洗浄弁とを有する、トイレの場合、周縁含有実施形態において、便器の周囲の周縁チャネルから従来の一連の周縁出口ポートを通して、または本明細書の以下で説明されるように、余剰洗浄作用のために、周縁洗浄弁８０の外の周縁流路から、周縁なし便器実施形態の側面の中へ、直接、周縁流水を注入する、好ましい単一の側面周縁入口ポート２８を通して、便器への周縁入口ポート２８を組み込み得る。トイレアセンブリで使用される洗浄システムは、本明細書に記述される実施形態１０、２００、３００、４００、５００、７００、８００、９００、１２００、１３００、１４００、１５００、１９００、または２４００で使用されるもののうちのいずれかであってもよい。
【０２１０】
トイレアセンブリ１０は、好ましくは、直接送給噴射口２０と、周縁洗浄弁８０と、水洗用水をトイレの中の直接送給噴射口２０に導入するために動作可能な第２の噴射洗浄弁７０とを含む。周縁洗浄弁８０のための流体経路ＲＦおよび噴射洗浄弁７０のための噴射流体経路ＪＦは、本実施形態では相互から分離して保たれる。洗浄サイクルでは、噴射洗浄弁７０は、閉鎖されたままであり、好ましくは、随意に、噴射流体経路は、通常の水洗動作では洗浄サイクルの前および後ならびに水洗サイクルの前にプライミングされた状態で維持される。しかしながら、浄化ステップが追加される場合、噴射洗浄弁もまた、上記で説明されるように、ある量の付加的水を放出するように浄化ステップ中に開放されてもよい。
【０２１１】
本実施形態における供給導管の第２の端部は、周縁洗浄弁８０に接続される溢流管１９０の内部と流体連通する。別個の周縁および噴射タンクコンパートメントが、開放タンクを伴う実施形態である、米国特許出願公開第ＵＳ２０１５／０１９７９２８Ａｌ号で説明されるように、別個の充填弁、別個の水洗作動機構、および別個の溢流管とともに使用されてもよいが、単一または二重水洗レバーのいずれかを使用して、かつ周縁洗浄弁上の単一の溢流管を使用して、両方の洗浄弁を動作させることができる、単一の水洗アクチュエータが好ましい。しかしながら、本明細書の本開示に基づいて、複数のコンパートメントおよび／または１つもしくはそれを上回る洗浄弁、ならびに（１つまたは２つの水洗レバーを使用する）１つもしくはそれを上回る関連付けられる機構が、本発明の精神または範囲から逸脱することなく、本明細書の洗浄システムとともに使用され得ることが、当業者に理解されるであろう。
【０２１２】
周縁洗浄弁８０は、連結部と連通し、同様に以下で説明されるようなフラッパリフト機構に接続される、以下でさらに説明されるようなリフトロッドを使用して、または１つもしくはそれを上回る種々のリフトアームアクチュエータアセンブリ１４０を使用することによって、フラッパリフトロッドリフト機構８２ａ等の洗浄弁動作機構８２を装着されてもよい、またはそれと連動してもよい。
【０２１３】
フラッパリフト機構は、周縁洗浄弁の弁体の上または周囲に位置付けられ、リフト機構は、制御システムによって作動されたときに、歯車モータによる機械的作動に応じて、洗浄サイクルおよび／または水洗サイクル中に周縁洗浄弁を持ち上げて手動で動作させることができる。従来の水洗サイクルでは、周縁および噴射洗浄弁は、好ましくは、本明細書に説明されるような水洗アクチュエータによって動作される。水洗ハンドルは、周縁洗浄弁を動作させるように、例えば、本実施形態１０、ならびに実施形態５００、１９００、および２４００で説明されるような洗浄弁動作機構８２の一部であってもよい。または、洗浄弁動作機構８２は、実施形態４００のようにリフトロッドを伴う機械化フラッパリフト機構の形態であってもよい。種々の水洗動作機構は、洗浄弁を動作させるために制御システムによってアクティブ化可能な歯車モータによって動作してもよい。例えば、機械化もしくは他の液体供給弁を動作させる、歯車ポンプおよび／または歯車モータ、蠕動ポンプ、回転デバイス、ならびに同等物を使用する、溶液の計量のための流量制御デバイスもまた、本発明のトイレアセンブリの中の本明細書に説明される便器とともに使用するために、洗浄システムに組み込まれてもよい。本明細書に説明される洗浄システムの種々の実施形態の全ての他の側面が、本明細書のアセンブリに組み込まれてもよい。
【０２１４】
本明細書で好まれるサイホン式水洗トイレアセンブリは、好ましくは、別個の噴流経路および周縁経路入口を通して、噴射洗浄弁および周縁洗浄弁から異なる流体量を送達するよう、便器アセンブリの中に導入される流体流を隔離することによって、噴射チャネルを含む、プライミングされた閉鎖噴射流体経路を維持する。これは、空気が充填された噴射チャネルとともに動作し、乱流および流量制限を最小限にするように空気を放出しなければならない、より従来的な重力水洗サイホン式トイレと比較して、より強力な性能を提供し、結果として、好ましいプライミングされた閉鎖噴射流体経路および隔離された周縁経路は、より良好な洗浄作用および洗浄サイクルに寄与する。
【０２１５】
本実施形態の便器アセンブリ１０は、噴射弁出口から流体を受容し、噴射弁出口から噴射入口ポートに、かつ噴射チャネルの中へ流体を送達するための随意の噴射マニホールドを組み込んでもよい。しかしながら、噴流経路が閉鎖されるため、付加的マニホールド領域の使用は、必要ではない。閉鎖噴射流体経路は、永続的にプライミングされた状態で噴射チャネルを維持し、チャネルの中への空気の進入からそれを隔離する。これは、（１）周縁チャネルから噴射チャネルを隔離するステップ、（２）タンク内の水位が洗浄弁の開口部の高さまで下がる前に標準水洗サイクルにおいて噴射チャネル洗浄弁を閉鎖するステップ、（３）一実施形態では、サンプ領域中の噴射トラップ内でシール深度を確立し、空気が噴射チャネル出口に進入しないように阻止することを支援するステップを含み得る、空気流が噴射チャネルおよび任意の随意の噴射マニホールドに進入しないように防止するステップ、および／または（４）噴射トラップ内の水位が、サイホンが中断するときに空気が後退して噴射チャネルの中へ進行することを可能にする水位まで下がらないことを確実にするように、アセンブリを構成して動作させるステップによって達成される。
【０２１６】
一般に、噴流経路への流体の量に対するトイレの周縁入口ポートへの流体の量の比もまた、トイレ性能に影響を及ぼす。従来のサイホン噴射式トイレでは、水洗用水の約７０％が、噴射口に動力供給してサイホンを開始するために要求され、周縁機能を通して便器を清掃するために約３０％のみを残す。本明細書のアセンブリで使用される、好ましいプライミングされたトイレでは、はるかに少ない水がサイホンを開始するために要求され、より多くの水が便器を洗浄する際に使用されることを可能にする。出願人は、約５０％を上回る水洗用水が、便器洗浄の有意な改良のために周縁入口ポートに指向されることができると判定している。好ましい実施形態では、約６５％を上回る、ある事例では、約７０％を上回る水が、周縁機能に指向されることができる。
【０２１７】
上記の要因に加えて、サンプ領域中の水の十分なシール深度を維持するため、および／またはサンプから噴射チャネルの中への空気の逆流を防止するための別の方法は、サイホンが洗浄サイクル外の通常水洗動作において中断している間に、噴射チャネルを通した、かつそこからのより遅い水流を維持することである。例えば、サンプが空であるときにサイホンを開始するために、噴射チャネル出口ポートを通した、かつそこからの流量は、約７４７ｍｍ２の典型的噴射出口ポートについて約２３．４ｃｍ／秒の速度で進行して、約１７５ｍｌ／秒を上回るべきである。本図は、噴射出口ポート寸法の変動に応じて調節されてもよく、ある実施形態について１１００ｍｌ／秒またはそれを上回るほどの高さであってもよい。流動は、約０．１秒〜約５秒にわたって起こるべきである。サンプ領域中で十分な深度を依然として維持し、および／または空気が噴射出口ポートに進入しないように防ぎながら、トラップウェイの中で水洗用のサイホンを生成するために、噴射チャネルを通した流速は、同一の噴射ポート出口サイズについて、かつ約２．１２５インチの平均直径を有するトラップウェイについて、約１２７ｃｍ／秒の速度で約９５０ｍｌ／秒またはそれを上回る〜最大約１５００ｍｌ／秒となるべきである。流動は、概して、約１秒〜約５秒にわたって、サイホンが終了し、サンプ内の水位が安定するまで継続するべきである。
【０２１８】
噴射洗浄弁および周縁洗浄弁のためのそのような洗浄弁作動を制御することは、本明細書の種々の実施形態においていくつかの方法で行われることができる。１つの方法は、関連部分において参照することによって本明細書に組み込まれる、米国特許出願公開第２００９／０３１３７５０Ａ１号および米国特許第６，８２３，５３５号で開示されて説明されるように、電磁弁の使用を通す。弁制御方法はまた、同様に関連部分において参照することによって本明細書に組み込まれる、米国特許第６，７０４，９４５号に開示されるもののような二重入口洗浄弁への修正によって等、純粋に機械的な方法を通して達成されることもできる。代替として、同時係属米国特許出願公開第２０１５／０１９７９２８Ａ号およびその関連出願に示されるように、順次に２つの洗浄弁の最適な性能のために平衡を保たれる水洗作動アームまたはバーが、使用されてもよい。そのような機構は、機構の重量を補償するように、またはその動作部分に調節するように、定位置で自動洗浄弁動作機構とともに効果的に動作するために調節を要求する場合もあり、しない場合もある。
【０２１９】
サンプ領域中の十分な洗浄後深度および／または水が噴射出口ポートを通って閉鎖噴射流体経路に進入することを阻止することはまた、サイホンが中断している間に、本明細書に示されるような周縁なしトイレの中の周縁シェルフへの水流を維持することによって、達成されることもできる。本明細書に説明されるトイレシステムが、周縁および噴射口への流量を制御するための別個のチャネルおよび弁機構を含むため、本システムは、サイホン中断中に周縁入口ポートを通る流量を継続するように設計されることができる。周縁入口ポートへの水流は、好ましくは、噴射出口ポートの高さの上方でサンプ領域中の水位を維持するために十分であるが、トラップウェイの中でサイホンを維持するためには不十分である。このようにして、追加セキュリティが、空気を含まない噴射チャネルを維持するために提供されることができ、サンプ領域中のシール深度への依存性を低減させる。噴射口および周縁を通る流量はまた、サンプ領域中の十分な洗浄後深度を維持するためにともに利用され得ることに留意されたい。
【０２２０】
ともに稼働する洗浄システムおよびトイレを組み込む、本アセンブリが、従来技術と比べた改良を提供する、関連分野は、６．０リットルを下回る、好ましくは、４．８リットルを下回る、ある場合には、２．０ｌを下回る水洗量を用いた高効率サイホン式トイレである。本明細書に説明される本発明の便器アセンブリの実施形態は、低減した水使用量において優れた便器清浄度を依然として実現しながら、単一水洗トイレまたは二重水洗トイレアセンブリにおいてわずか約６．０リットル／水洗を有する、今日のトイレと一致する詰まりへの耐性を維持することができる。はるかに少ない水がサイホンを開始するために噴射チャネルを通して要求されるため、本明細書のプライミングされたトイレアセンブリ実施形態は、水洗につきわずか最大約４．８リットルで機能することができ、好ましくは、水洗につき約３．０リットルで、またはそれを下回って、および水洗につき約２．０リットルの低さで機能することができる、超高効率トイレの生産を可能にする。
【０２２１】
また、本発明が従来技術と比べた改良を提供する、さらなる関連分野は、より大型のトラップウェイを有するサイホン式トイレとともに使用されるときである。トラップウェイのサイズを改変することによって、水消費量およびトイレ性能は、有意に影響を受け得る。本発明では、本明細書の便器アセンブリは、便器アセンブリが優れた水洗および清掃能力を維持することを可能にする、噴流経路に沿ってプライミングされる閉鎖噴射流体経路を通して達成される乱流および流量の制限の低減により、種々のトラップウェイサイズおよび容積のサイホン式トイレにおいて、プライミングされたままであることができる。
【０２２２】
図１−２７は、本実施形態または本明細書の実施形態２００、３００、４００、５００、７００、８００、９００、１２００、１３００、１４００、１５００、または１９００の洗浄システムのうちのいずれかを含む、便器アセンブリ１０を形成する、便器３０および本明細書の洗浄システムを伴う第１のアセンブリ実施形態１０を示す。トイレは、噴射洗浄弁入口７１と、噴射洗浄弁出口１３とを有する、少なくとも１つの噴射洗浄弁アセンブリ７０を含む。噴射洗浄弁アセンブリは、種々の構成を有してもよく、当技術分野で公知である、または開発される任意の好適な洗浄弁アセンブリであってもよい。好ましくは、これは、それぞれ、そのような弁および加重カバーの使用の説明について参照することによって、関連部分において本明細書に組み込まれる、同時係属米国特許出願公開第２０１４／００９０１５８Ａ１号および同時係属特許出願第２０１５／０１９７９２８Ａ１号に説明されるものに類似するように構成される。示されるように、噴射洗浄弁アセンブリ７０は、噴射洗浄弁アセンブリを通る流量を制御するために、周縁洗浄弁アセンブリ８０よりも低い弁高さプロファイルを有する。周縁洗浄弁アセンブリ８０および噴射洗浄弁アセンブリ７０はそれぞれ、個別のカバー１０５、１５を有する。随意のフロート１７が、チェーンまたは他の連結部を介して、それに取り付けられてもよい。同時係属米国特許公開第２０１４／００９０１５８Ａ１号に説明されるように、そのような特徴は、特定の洗浄弁設計において先進性能および浮力の制御を提供することに役立つ。しかしながら、本発明の原理に基づいて動作する、他の洗浄弁アセンブリが使用され、改良された水洗能力を提供し得ることを理解されたい。さらに、そのようなフロートは、完全に随意である。
【０２２３】
噴射洗浄弁アセンブリ７０は、その噴射洗浄弁出口１３から閉鎖噴射流体経路１に流体を送達する。閉鎖噴射流体経路１は、噴射チャネル３８を含み、随意に、例えば、図１０に示されるように、随意の噴射マニホールド１２を含んでもよい。そのようなマニホールドは、動作を改変することなく省略されてもよい。図２、８、および９の洗浄弁アセンブリ８０等の少なくとも１つの周縁洗浄弁アセンブリも提供される。各周縁弁アセンブリは、周縁洗浄弁入口８３と、周縁洗浄弁出口８１とを有し、周縁洗浄弁８０は、周縁洗浄弁８０の出口８１から、直接または間接的に周縁入口ポート２８への流体の送達のために構成される限り、上記のような任意の好適な洗浄弁アセンブリであってもよい。
【０２２４】
示される実施形態では、周縁３２は、流体が周縁入口ポート２８を通して便器３０の中に導入され、便器３０の内面３９の中に形成された輪郭または幾何学的特徴に沿って進行するという点で、「周縁なし」設計である。すなわち、輪郭は、便器３０の上部周辺部分３３に沿って形成される１つまたはそれを上回るシェルフ２７もしくは類似特徴であってもよい。本明細書では周縁シェルフ２７とも称されるシェルフは、概して、少なくとも部分的に便器の周囲の周縁入口ポート２８から、その上部周辺部分３３の中の便器３０の内面３９に沿って横方向に延在する。便器３０は、種々の形状ならびに構成であってもよく、種々のトイレシート蓋および／または蓋ヒンジアセンブリを有してもよい。トイレシート蓋が随意であるため、それらは図面に示されていないが、公知である、または開発される任意の好適な蓋が、本発明とともに使用されてもよい。
【０２２５】
図１０に示されるように、シェルフ２７は、洗浄のための渦流効果を誘発するように、終端する前にほぼ内面全体の周囲に延在することができる。周縁シェルフ設計はまた、周縁なし特徴およびそれらの動作の説明に関して関連部分において参照することによって本明細書に組み込まれる、同時係属米国特許出願公開第２０１３／０２１９６０５Ａ１号に説明されるように、複数の周縁シェルフおよび複数の周縁入口に適応することもできる。
【０２２６】
また、より従来的な上部周縁によって画定される周縁チャネルの中へ送給する周縁入口を有し、便器の内部領域の中に水洗用水を導入するための１つまたはそれを上回る周縁出口ポートを有する、標準周縁チャネルが、本明細書に説明される実施形態で使用され得ることも理解されたい。周縁なし設計の代わりに標準周縁チャネルが採用される場合、そのような周縁は、加圧されなくてもよい、またはトイレアセンブリ設計に関して参照することによって本明細書に組み込まれる、米国特許第８，３１６，４７５号に説明されるもの等の特徴を採用することによって、加圧流を送達するように修正されてもよい。その特許の周縁特徴は、本発明の範囲から逸脱することなく、本発明のより従来的な周縁設計を作成するようにアセンブリに組み込まれてもよい。
【０２２７】
便器アセンブリはまた、少なくとも１つの噴射チャネル３８を画定する噴射口２０も含む。噴射口２０は、噴射洗浄弁７０の出口１３と流体連通する入口ポート１８と、便器３０の下または底部分３９の中に位置付けられる噴射出口ポート４２とを有する。噴射出口ポートは、便器３０のサンプ領域４０に流体を放出するための変動する断面形状およびサイズで構成されてもよい。サンプ領域４０は、堰４５を有するトラップウェイ４４への入口４９と流体連通する。閉鎖噴射流体経路１は、噴射チャネル２８を含む。噴射洗浄弁７０は、好ましくは、トラップウェイの堰４５の上方の高さＬに位置付けられる。閉鎖噴射流体経路１は、好ましくは、噴射洗浄弁７０の出口１３から噴射口２０の出口ポート４２まで延在する。いったんアセンブリがプライミングされると、閉鎖噴射流体経路１は、標準水洗サイクルの作動前および完了後に、空気が閉鎖噴射流体経路に進入しないように防ぐために、流体でプライミングされたままであることが可能である。しかしながら、洗浄サイクル中に、独立して周縁洗浄弁８０を動作させるために制御システムを使用するとき、噴射洗浄弁は、洗浄サイクル中に非アクティブのままであるが、システムが洗浄サイクルの終わりに浄化に影響を及ぼすように動作するときに、使用されてもよい。
【０２２８】
閉鎖噴射流体経路は、噴射洗浄弁アセンブリ７０の出口１３端に係合するように成形され、噴射洗浄弁アセンブリ７０の出口１３から流体を受容する、噴射マニホールド入口開口部１４を有する、随意の噴射マニホールド１２を含んでもよい。
しかしながら、噴射弁は、随意の噴射マニホールド領域を伴うことなく、噴射弁アセンブリ７０の出口１３から噴射口の底部および噴射出口４２まで進行する、別個の噴射チャネル経路に直接流出してもよい。存在する場合、噴射マニホールド１２はまた、噴射入口ポート１８への流体の送達のための噴射マニホールド出口開口部１６も有する。存在する場合、噴射入口ポートおよびマニホールド出口開口部は、本質的に、マニホールドを画定する壁のいずれかの側面上の同一の開口部である。便器アセンブリ１０はまた、同様に、随意の別個の周縁マニホールド２２を有してもよい。使用される場合、随意の周縁マニホールド２２は、周縁洗浄弁アセンブリ８０の出口８１端に係合するため、かつ周縁洗浄弁アセンブリ８０の出口８１から流体を受容するために構成される、周縁マニホールド入口開口部２４を有する。周縁マニホールドは、存在する場合、周縁入口および／または周縁入口ポート２８への流体の送達のための出口開口部２６を有するであろう。そのような実施形態では、周縁３２（（加圧された、もしくは加圧されていない）出口ポートを伴う従来の周縁チャネルとして、または本明細書に示されるような周縁なしシェルフとして構成されるかどうかにかかわらず）は、周縁マニホールド出口開口部２６と流体連通する周縁入口ポート２８を伴って便器の少なくとも部分的に周囲に延在してもよい。また、別個の流動チャネルが、周縁洗浄弁８０の出口８１から周縁入口ポート２８まで直接延設することも容認可能である。
【０２２９】
上記のようなアセンブリは、水道水、タンク水、井戸水、または同等物を送達する供給管路と流体連通するように配設されるときにタンク充填弁を接続させる等、水洗使用のための流体源から流体を受容するように任意の様式で接続されることが可能なタンク６０を含む。アセンブリの配設に応じて、タンク６０は、タンクを通して充填弁６６の中へ流体流を受け入れることができる。タンクは、好ましくは、少なくとも１つの充填弁６６を有する。充填弁は、タンクの中に所望の量を維持して本開示に説明される機能を果たすために十分な水の供給を提供する限り、市販されている、または開発される任意の好適な充填弁であってもよい。タンク６０は、本明細書に示されるように周縁および噴射洗浄弁アセンブリの両方を保持する、１つの大型開放コンテナであってもよい。タンクはまた、所望される場合、少なくとも１つの噴射リザーバおよび少なくとも１つの周縁リザーバを有するように、上記で説明されるように修正されてもよい。分割されたリザーバが提供される場合、噴射リザーバは、少なくとも１つの噴射洗浄弁アセンブリ７０と関連付けられる充填弁または別個の噴射充填弁を含んでもよく、周縁リザーバは、少なくとも１つの周縁洗浄弁アセンブリと、タンクまたは周縁充填弁とを含んでもよい。本設計は、別個の噴射口および周縁タンクの使用の説明に関して本明細書に組み込まれる、同時係属米国特許出願公開第ＵＳ２０１５／０１９７９２８Ａ１号に説明されている。所望される場合、そのような周縁リザーバはさらに、周縁洗浄弁アセンブリ８０上の溢流管に適応してもよい。しかしながら、単一のタンクリザーバを伴う開放タンクが好ましい。
【０２３０】
図１−２７の実施形態のトイレアセンブリ１０は、わずか約６．０リットル、好ましくは、わずか約４．８リットル、さらに好ましくは、わずか約２．０リットルの水洗量で動作することが可能である。
【０２３１】
便器のサンプ領域４０は、好ましくは、便器３０の内面３９によって画定される噴射トラップ４１を有する。噴射トラップ４１は、入口端４６と、出口端５０とを有する。噴射トラップの入口端４６は、噴射出口ポート４２および便器３０の内部領域３７から流体を受容し、噴射トラップ４１の出口端５０は、トラップウェイ４４への入口４９の中へ進入する、その流動を受容する。噴射トラップは、シール深度を有する。シール深度は、噴流経路とともに変動されてもよく、深度の測定および全てのそのような変形例は、実施形態１０に容易に組み込まれ、動作可能であり得る。そのような変形例は、本特定のトイレアセンブリのための噴流経路およびシール深度オプションの変形例を説明するように関連部分において本明細書に組み込まれる、米国特許公開第２０１５／０１９７９２８Ａ１号で詳細に説明される。
【０２３２】
アセンブリ１０等のサイホン式水洗トイレアセンブリをプライミングされた状態で維持するために、初期ステップは、本明細書の上記で説明されるような特徴を有する、便器アセンブリを提供することであり、いったんプライミングされると、閉鎖噴射流体経路が、水洗サイクルの作動前および完了後に、空気が閉鎖噴射流体経路に進入しないように防ぐために、流体でプライミングされたままであることが可能であるように、その中に少なくとも１つの噴射チャネル３８を有する閉鎖噴射流体経路１は、噴射洗浄弁７０の出口１３から噴射口２０の出口４２まで延在する。水洗サイクルは、好ましくは、水洗アクチュエータ２等の任意の好適なアクチュエータによって作動される。１つの好ましい実施形態では、陶磁器外部およびアクチュエータ２は、抗菌表面を提供する材料から形成される、またはそれを組み込む。水洗アクチュエータ２は、標準水洗ハンドルであってもよい、または本明細書に示されるように、以下でさらに説明されるような弁作動機構の一部であるように適合されてもよい。ハンドル等の水洗アクチュエータによって水洗サイクルを開始した後、ハンドルは、ある様式で１つまたはそれを上回る水洗アクティブ化リフトアーム１４４と動作接続している（取外可能である場合もあり、取外可能ではない場合もある）。本実施形態に示されるように、１つの水洗アクティブ化リフトアーム１４４が使用される。本実施形態または実施形態５００、１９００に説明されるような機構、ならびに実施形態２４００において以下で説明されるような２つの水洗アクティブ化リフトアームを使用する機構もまた、提供されてもよい。
【０２３３】
示されるようなハンドル２は、枢動ロッドまたは類似デバイスに接続するリフトアームと動作接続している。示されるように、これは、回転可能コネクタまたは連結部を通して水洗アクティブ化バー７５に接続する。示されるように、リフトアーム１４４は、横方向に、またはある角度で回転してもよく、示されるように、洗浄弁の最適化された開放のために位置付けおよび平衡を調節するための縦方向調節接続１４４ｂを有するように適合されてもよい、回転可能連結コネクタ１４４ａに接続する。そのような調節は、製造業者によって事前設定されてもよい、および／または設置業者もしくはユーザによるさらなる修正ならびに整合のために調節可能であり得る。任意のヒンジ、ピン接続、ワッシャ、または他の回転コネクタもまた、使用されてもよい。洗浄アクティブ化バー７５は、好ましくは、ある様式で可動である連結部を通して、好ましくは、アクティブ化リフトアーム１４４への可動接続のための平衡点を有するように構成される。可動および回転可能連結部１４４ａが、好ましい平衡点において水洗アクティブ化リフトアームおよびその連結部を水洗アクティブ化バー７５に接続するために、示されるように使用されてもよい。平衡点は、ハンドルが通常水洗サイクルにおいて水洗サイクルを作動させるように押下されるときに、具体的かつ機械的に各弁の開放の時期を決めるよう、洗浄弁とともに動作するように設計によって選定される。ハンドルが押下されるとき、水洗アクティブ化リフトアームおよび連結部は、上向きに押動され、それらとともに、水洗アクティブ化バー７５に接続される、調節可能、可動、および回転可能なコネクタ１４４ａ等の関連連結部を有する機構の端部が押動される。これは、ひいては、アクティブ化バー７５を引っ張り上げる。示されるように、機構はまた、示されるようなコネクタ１４４ｂ等の縦方向に調節可能なコネクタを使用して、異なるタンク高さおよび値構成に応じて縦方向に調節されてもよい。コネクタ、水洗アクティブ化リフトアーム、および連結部の長さならびに幅は、トイレタンク設計内の利用可能な面積に応じて、全体的な弁アセンブリが洗浄システムの下方に据え付けられ得ることを前提として、異なるサイズの洗浄弁アセンブリのために変動されることができる。
【０２３４】
従来の水洗サイクルがアクティブ化されると、流体が少なくとも１つの噴射洗浄弁アセンブリおよび少なくとも１つの周縁洗浄弁アセンブリを通して提供される。閉鎖噴射流体経路の構成は、そのようなものであり、水洗サイクルのタイミングは、水洗サイクルの完了後に閉鎖噴射流体経路をプライミングされた状態で維持するように最適化される。
【０２３５】
本明細書の方法の一実施形態では、水洗サイクルを作動させた後、水洗アクティブ化バーは、空気が噴射出口に進入しないように防ぐため、かつトラップウェイの中でサイホンを生成するために十分な流速で、少なくとも１つの噴射洗浄弁アセンブリを通して流体を提供するよう、水洗アクチュエータハンドルおよびリフトアーム（標準水洗に使用される同一のリフトアームまたは別個のリフトアームのいずれか）によって動作される。流速は、次いで、サイホンが中断するまで約１秒〜約５秒にわたって噴射チャネルを通して低減され、流速は、次いで、サンプ領域中の水位を安定させるようにサイホンが中断した後に再び上昇させられる。
【０２３６】
流体はまた、好ましくは、水洗サイクル中に少なくとも１つの周縁洗浄弁アセンブリを通して提供される。最初に配設されたとき、トイレは、サンプが流体で充填するまで空気が噴射出口に進入しないように防ぐために十分である、噴射洗浄弁アセンブリ出口を通した流速を提供することによって、初期プライミングを要求し得る。トイレアセンブリは、自己プライミングが可能である。自己プライミングは、その用語が本明細書で使用されると、トイレが噴射チャネルに空気を入れさせる状態であるときに、全ての空気が噴射チャネルから放出された状態になることを意味する。
【０２３７】
トイレは、典型的には、例えば、トイレが最初に上記のように配設されるときに、その状態にあるが、配管工事または保守等の他の状況もまた、そのような状況を引き起こし得る。ユーザは、当然ながら、配設に応じてトイレアセンブリをプライミングするように手動で介入してもよい、または構成されるように、トイレは、ユーザの手動介入を伴わずに、トイレの最初の数回の水洗のうちの１回またはそれを上回るものにわたって自己プライミングすることができる。本実施形態におけるトイレアセンブリ１０に関して、トイレは、約３回の水洗のみにおいて事実上全ての空気を放出することができるが、より多いまたはより少ない空気が、個々のトイレ幾何学形状に応じて要求され得る。自己プライミングが完了するために、噴射洗浄弁を通した流体の流速は、空気を変位させるために十分なエネルギーを提供するよう、噴射出口ポートから流出する流体の流速を上回る必要がある。これは、性能を増進するように、噴射チャネルおよび／または噴射出口ポート幾何学形状ならびに／もしくは断面積の修正を通して、および／または洗浄弁の修正によって、達成されることができる。したがって、噴射チャネルを通した閉鎖噴射流体経路の中への高いエネルギーおよび強い速度の流量に寄与することができる、噴射洗浄弁を使用することが好ましい。好適な弁が、米国特許第８，２６６，７３３号および同時係属米国特許出願公開第２０１４／００９０１５８Ａ１号、ならびにその図３５−６８において米国特許出願公開第ＵＳ２０１５／０１９７９２８Ａ１号に説明される噴射洗浄弁の種々の実施形態に説明されている。これらの参考文献はそれぞれ、使用され得る種々の洗浄弁の理解のために参照されてもよく、流線型弁体構成を有し、所望される場合、半径状入口および／または加重カバーならびに／もしくは上昇した弁体を有する、それらの弁の教示に関して、参照することによって本明細書に組み込まれる。他の好適な洗浄弁が市販されており、本明細書で適合されてもよい。
【０２３８】
２つの洗浄弁が、同時に開閉される、または洗浄サイクルのために、ならびに従来の水洗サイクルの動作時の両方で性能をさらに最適化するように、水洗サイクル中の異なるタイミングで開閉されることができる。従来の水洗サイクル中により清潔な洗浄後水を伴って、より清潔な便器を達成し、アセンブリの中の洗浄システムの利益を増進するように稼働するために、噴射洗浄弁を開放することに先立って周縁洗浄弁を開放することが望ましい。洗浄サイクル外または洗浄サイクル後の従来の水洗サイクルのための６．０リットル／水洗の好ましい実施形態では、周縁洗浄弁が、水洗サイクルの開始に応じて即時に開放され、サイクルの中へ約１秒〜約５秒で閉鎖される一方で、噴射洗浄弁は、サイクルの中へ約１秒〜約５秒で開放され、約１．２秒〜約１０秒で閉鎖される。
【０２３９】
別の実施形態は、水洗サイクルの開始に応じて即時に周縁洗浄弁として二重洗浄弁を開放し、次いで、周縁二重洗浄弁の後に開放するように噴射洗浄弁（単一または二重洗浄弁のいずれか）をトリガする、二重水洗トイレアセンブリを含んでもよい。清掃事前サイホンのために周縁に送達される水の量は、約１リットル／水洗〜約５リットル／水洗、好ましくは、約２リットル〜約４リットル／水洗となり、サイホンを確立するように噴射洗浄弁を通して送達される水の量は、約１リットル／水洗〜約５リットル／水洗であろう。
【０２４０】
上記で説明されるようなプライミングされた噴流経路を有する、本発明による洗浄システムで使用するためのサイホン式水洗便器アセンブリはさらに、好ましい実施形態では、噴射洗浄弁の中に逆流防止装置機構を含んでもよい。逆流防止装置機構は、押さえ付け連結機構、フックおよびキャッチ機構、ポペット機構、ならびに／または逆止弁のうちの１つもしくはそれを上回るものであってもよい。周縁および／または噴射洗浄弁はまた、少なくとも部分的に可撓性であり、本明細書に示されるように開放に応じて上向きに剥離されることができる、洗浄弁カバーを含んでもよい。そのような実施形態はまた、逆流防止装置機構を含んでもよい。洗浄弁カバーはまた、カバーを持ち上げることを支援するヒンジ連結アーム、および／またはより良好な性能のためにカバーを持ち上げるためのチェーンの取付用の１つもしくはそれを上回るグロメットを含んでもよい。そのような逆流防止装置機構、および可撓性カバーを含む、関連付けられる洗浄弁カバーは、隔離された噴流経路トイレで使用するためのそのような逆流防止機構、弁カバー、およびヒンジ連結リフト機構の種々の実施形態の設計ならびに動作に関して、関連部分において本明細書に組み込まれる、同時係属米国特許出願公開第ＵＳ２０１５／０１９７９２８Ａ１号で詳細に説明される。
【０２４１】
そのようなトイレにおける噴射洗浄弁性能は、噴射口の自己プライミングを促進する「剥離」または部分的開放弁カバーを提供することによって、増進されることができる。そのような「剥離」カバーは、概して、弁を開放する際にさらなる制御を提供する。さらに、本明細書の実施形態がプライミングされた閉鎖噴流経路を提供するため、トイレが浄化を要求するとき、ここで示され、同時係属米国特許出願公開第ＵＳ２０１５／０１９７９２８１号に説明されるようなもの等の随意の逆流防止デバイスが、噴射洗浄弁に（および／または所望される場合、周縁洗浄弁に）提供されてもよい。
【０２４２】
上記のように、噴射口２０は、噴射弁出口開口部１３から流体を受容するための任意の随意の噴射マニホールド出口開口部１６と流体連通し、それを通る、入口ポート１８を有する。しかしながら、噴射入口ポートはまた、噴射洗浄弁の出口に位置してもよい。噴射出口ポート４２は、噴射チャネル３８から、トラップウェイ４４と流体連通するサンプ領域４０に流体を放出するために構成される。噴射出口ポート４２は、好ましくは、（本明細書の一実施形態では、約０．５ｃｍ〜約１５ｃｍ、好ましくは、約０．５ｃｍ〜約８ｃｍ、最も好ましくは、約０．５ｃｍ〜約４ｃｍの出口ポートを縦方向に横断して測定される）高さＨｊｏｐを有する。噴射チャネルが円形である場合、本測定はまた、噴射チャネル３８の内径に類似し、または近くあり得る。しかしながら、高さにかかわらず、噴射出口ポートの断面積は、約２ｃｍ２〜約２０ｃｍ２、より好ましくは、約４ｃｍ２〜約１２ｃｍ２、最も好ましくは、約５ｃｍ２〜８ｃｍ２の面積で維持されるべきである。本明細書の一実施形態では、上面５４または最上点における噴射出口ポート４２の高さは、好ましくは、示されるように、かつサンプ領域４０を通して縦方向に測定されるように、トラップウェイ４４への入口４９の上面５６の下方のシール深度に位置付けられる。シール深度ｘは、出口ポート４２を通した噴射チャネル３８の中への空気の通過を防止することに役立つように、好ましくは、約１ｃｍ〜約１５ｃｍであり、より好ましくは、約２ｃｍ〜約１２ｃｍであり、最も好ましくは、約３ｃｍ〜約９ｃｍである。本距離はまた、好ましくは、噴射チャネル３８の中断を回避するように、かつ水洗サイクルの作動前および完了後に噴射洗浄弁アセンブリ７０または他の洗浄弁からの流体を伴って、噴射チャネル３８およびトイレ便器アセンブリ１０の任意の随意の噴射マニホールド１２を通ることを含む、噴射弁の出口から噴射口の出口までの噴射流路１の中でプライミングされた状態を維持するように、サンプ領域４０中の流体の最小水位５９に等しいまたはそれを下回るべきである。
【０２４３】
上記で議論されるように、プライミングされた噴流経路、すなわち、閉鎖噴射流体経路１を維持することは、乱流および流動への抵抗を大いに低減させ、トイレ性能を改良し、より少量の水がサイホンを開始するために使用されることを可能にする。噴射チャネル３８または閉鎖噴流経路に沿った任意の随意の領域中の空気は、水洗用水流を妨げ、噴射口２０の流量を制限する。さらに、噴流経路内の空気は、効率的に排出またはパージされない場合、噴射出口ポート４２を通して放出され、トラップウェイ４４の中に進入することができ、トラップサイホンを妨害し、便器３０流体および排泄物の一掃に影響を及ぼし得る。米国特許出願公開第２０１５／０１９７９２８Ａ１号に説明されるようなトイレの他の変形例はまた、本明細書のアセンブリ１０で使用されてもよく、本明細書に説明される実施形態１０、２００、３００、４００、５００、７００、８００、９００、１２００、１３００、１４００、１５００、１９００、および２４００の洗浄システムと組み合わせて増進した水洗作用を有する、プライミングされた周縁なしトイレ設計の使用は、好ましいが、本発明の開示の範囲に限定的と見なされるべきではない。
【０２４４】
図１−２７を参照すると、本発明の一実施形態による、本明細書では概して１０と称されるトイレアセンブリ、および本明細書では概して１００と称される洗浄システムが示されている。洗浄システム１００では、リザーバ６が、液体洗浄剤を保持するために提供される。リザーバは、様々な形状および構成を有してもよいが、しかしながら、圧縮された略長方形が示され、好ましくは、タンク蓋アセンブリ内の空間を節約するように選定される（図４−５参照）。リザーバ６は、洗浄剤からの劣化に耐性があり、好ましくは、軽量となるべきである、種々の材料で形成されてもよい。線状低密度ポリエチレン、高密度ポリエチレン、ポリプロピレン、およびポリエチレン・ポリプロピレンコポリマー等の成形可能ポリオレフィンホモポリマーならびにコポリマー、ポリ塩化ビニル材料、ポリエチレンテレフタレート、ポリカーボネート、ポリ乳酸、ポリウレタン、ポリスチレン、ポリアクリロニトリルブタジエンスチレン、および同等物、ならびにそれらのコポリマーおよび官能性誘導体（例えば、静電気性質、結合性質、および同等物のための官能基をそれらの主鎖上に有するポリマー）を含む、好適なポリマーおよびポリマー複合材料の実施例が、当技術分野で公知である。
【０２４５】
リザーバは、好ましくは、リザーバが交換および／または補充される必要がある前に、複数の洗浄サイクルを可能にするために十分な洗浄剤溶液を保持する。好ましい実施形態では、リザーバは、約２５０ｍｌ〜約２，０００ｍｌ、好ましくは、約５００ｍｌ〜約１，０００ｍｌの液体洗浄剤を保持してもよい。洗浄サイクルは、約２１〜約６ｌ、好ましくは、約２１〜約５ｌを保持する、滞留している充填された便器の中の平均水洗量のために、タンク充填弁から約４ｌ〜約１５ｌ、好ましくは、約９ｌの付加的水洗用水を導入するであろう。洗浄サイクルは、付加的水洗量とともに、所与の洗浄のために、約２０ｍｌ〜約６０ｍｌの液体洗浄剤、好ましくは、約２５ｍｌの液体洗浄剤を導入するであろう。これは、洗浄サイクル中の便器の中の液体洗浄剤に対する水洗用水の約５０：１〜約３００：１の平均希釈係数を提供する。
【０２４６】
横断面が略長方形のリザーバ本体に関して、リザーバは、好ましくは、長さｌが約１０ｃｍ〜約２０で、幅ｗが約５ｃｍ〜約１５ｃｍであり、長さおよび幅は、リザーバの底面５１を横断して面Ｐ−Ｐ’内で横方向に測定され、面Ｐ−Ｐ’と垂直な方向に測定されるような深度ｄが約２ｃｍ〜約８ｃｍである。
【０２４７】
リザーバ６は、液体洗浄剤９を保持するための内部空間３１を画定する本体７を有する。望ましい流動性質のため、および送出の容易性のために、洗浄剤溶液が水に近い粘度を有することが好ましい。洗浄剤溶液は、好ましくは、第４級アンモニウム化合物、漂白剤、または酸性系洗剤等の当技術分野で公知である、もしくは開発されるものによる水溶液である。Ｐｒｏｆｅｓｓｉｏｎａｌ  ＬＹＳＯＬ（Ｒ）  Ｂｒａｎｄ  Ａｎｔｉｂａｃｔｅｒｉａｌ  Ａｌｌ  Ｐｕｒｐｏｓｅ  Ｃｌｅａｎｅｒ等の市販の第４級アンモニウム系洗浄剤製品が、適しており、殺菌または消毒効能を実現し得る。クエン酸系作用物質または他の環境に優しい洗浄剤（環境に配慮した）もまた、使用されてもよい。変動する量の種々の随意の添加剤が、下記のように添加されてもよい。クエン酸系洗浄剤は、レモン、オレンジ、またはグレープフルーツ系洗浄剤を含む。本明細書の洗浄剤溶液のための他の好適な洗浄剤は、ブドウ種子油、弱い過酸化物剤のうちの１つまたはそれを上回るものと組み合わせた植物油、界面活性剤、および同等物を含む。
【０２４８】
洗浄剤溶液は、洗浄剤が導入されており、洗浄サイクル中に便器の中に存在しているという視覚アラートを提供するように、顔料もしくは着色添加剤を含む、１つまたはそれを上回る種々の随意の原料を有してもよい。防腐剤、チキソトロピック剤、およびレオロジー改質剤等の他の添加剤、ならびに洗浄に応じて清潔な匂いを便器に提供するための芳香添加剤（松の香り、レモンの香り、オレンジの香り、花の香り等）がさらに、洗浄剤溶液で使用されてもよい。加えて、発泡、色変化、または泡立ち（気泡）のための他の作用物質が、所望される場合、洗浄作用を実証するように提供されてもよい。
【０２４９】
洗浄剤が洗浄弁機構を通って便器の中へ、ならびにトイレトラップウェイおよび下水管を通って通過するであろうため、接触される機器に悪影響、侵食効果、および／または腐食効果を及ぼすであろう腐食性もしくは他の材料を含まないことが好ましい。また、洗浄剤溶液が安全であり、下水道または家庭用汚水処理システム内の筐体の中に導入するために承認されることも好ましい。
【０２５０】
リザーバ６の本体７は、好ましくは、随意の出口部分１１を有する。
リザーバはまた、リザーバ本体７の内部空間３１と流体連通する出口ポート１９も有する。本明細書で使用されるように、「流体連通する」は、アセンブリの１つの要素が別の要素からまたはそこへの流動に開放するよう、構造的に位置付けられることを意味する。
【０２５１】
出口部分１１は、リザーバ上の種々の場所におけるリザーバの本体の形状によって位置し、画定されてもよい。示されるように、出口ポート１９は、随意の出口部分１１の中に位置付けられ、それによって、下向きの構成で画定される。随意の出口部分は、種々の形状を有してもよく、好ましくは、リザーバ６からの重力流を促進するために下向きに延在しているが、また、本体７の他の場所の上に配置されてもよい。示されるように、出口部分１１は、出口部分１１を通る層流を促進するように略円形であるが、また、略長方形、楕円形、三角形、または他の形状であることもできる、断面形状を有する。
【０２５２】
図５に概略的に示されるように、本明細書の流量制御デバイスで使用するための供給導管の種々の随意の構成は、管設計の使用または液体供給弁の挿入を含む、開口部に挿入されてもよい。それぞれが、本実施形態における好ましい使用のための代替物として解説されるであろう。流量制御デバイス６６ａとして管および供給導管設計を使用するとき、随意の開口部７７が出口に提供され、管６７内に嵌合する。管６７は、リザーバ６が筐体１２１のシート５７の中に据え付けられるときに出口部分１１内に位置するように位置付けられてもよい。類似管もまた、随意に、所望される場合、リザーバの通気を促進するために提供されてもよいが、本実施形態では示されていない（図３９の実施形態参照）。随意の管６７は、それを通る通路８６を画定する。管６７は、リザーバ６の内部空間３１から通路８６を通して、リザーバがシート５７の中に据え付けられるときに出口ポート１９を通って供給導管の第１の端部７８の中へ出口部分１１から出て行く液体のための開口部６９をその中に有する、管６７の第２の端部９０を通して供給導管７９の第１の端部７８の中へ、流体を指向するための上向きに延在する第１の端部８８を有する。
【０２５３】
上向きに延在する第１の端部８８は、管の中へ流体を指向するよう、および／または使用される場合に破れやすいカバーを押し通すよう、構成されてもよい。これは、使用される破れやすいカバーおよび管の中への所望の流動特性に応じて、曲線状および鈍的またはテーパ状または尖っていてもよい。一実施形態では、第１の端部７８は、以下でさらに説明される図２３に示されるような具体的流動特性のための注入型針のように構成される。
【０２５４】
管６７は、管の上向きに延在する端部８８に進入する流体が出口部分１１の底部領域１０８に流入するために、それを通って延在する１つまたはそれを上回る随意の側面開口部１０７を含んでもよい。リザーバが筐体１２１の中に据え付けられるとき、随意の出口部分の底部領域１０８は、シート部分７４の対応する底部領域１０９内に据え付けられる。好ましくは、部品の間の密閉係合のための出口部分１１とシート部分７４との間のエラストマまたはポリマーＯリング等の周辺シール１１０が、提供される。Ｏリングシール１１０は、出口部分の外部内の随意の溝の中に着座してもよい。Ｏリングシール１１０は、好ましくは、側面開口部１０７を通って管６７から出て行く流体が出口部分１１の底部領域１０８を充填するが、Ｏリングの上方を通過しないように位置付けられ、したがって、リザーバ６が筐体１２１内に完全に据え付けられるときに、シール１１０および破れやすいカバー１０６の下方の出口部分の底部において、画定された領域１０８を密閉する。所望される場合、本領域１０８ならびに任意のさらなる機械化弁、モータ、または他の流量制御デバイスの上流の供給導管の領域は、洗浄剤がプライミングされた状態であるときに、洗浄剤の所望の投与量を保持するように事前定寸されることができる。
【０２５５】
図５に示される実施形態および本明細書に説明されるリザーバならびに出口部分の他の実施形態では、上記のようなリザーバの出口ポート１９は、破れやすいカバー１０６によって被覆されてもよい。破れやすいカバーの使用は、リザーバポート１９がアセンブリ１０の好ましい実施形態では下向きに対面するように位置付けられるため、（使用に先立って洗浄剤溶液で充填されるリザーバの商業的販売の場合のように）キャップまたは他の閉鎖具がリザーバから除去されたときにリザーバ上でシールを維持することを可能にする。破れやすいカバー１０６は、管の上向きに延在する端部によって容易に貫通されることが可能であるが、貫通に応じて完全に破れるほど脆弱ではない、箔または他の膜であってもよい。好適な材料は、例えば、そのような性質を提供するために十分な厚さを伴う、および／または破れやすいプラスチック膜裏打ちを有する、アルミニウム包装箔を含む。そのような材料は、店内でキャップが除去された場合に製品の異物混入または製品の損失を回避するように保護被覆を提供するために、他の洗浄剤（食洗機洗浄液体等）、牛乳またはジュースの紙パック、もしくは医薬品およびビタミンで使用するための包装技術分野で公知である。
破れやすいカバーのタイプは、重要ではない。好ましくは、破れやすいカバー１０６は、ポリマー裏打ち付きアルミニウム箔で形成される。商業的販売では、除去可能な蓋が、保護理由のために破れやすいシールを覆って提供されることができる。
【０２５６】
本明細書で使用される供給導管７９は、任意の好適な管類または導管であってもよく、アセンブリ１０では、リザーバを形成するための上記のポリマーならびに種々の熱可塑性エラストマおよび可撓性ポリマー等の流体流のために好適であり、選定される洗浄剤溶液に耐性がある可撓性導管であってもよく、例えば、Ｔｙｇｏｎ（Ｒ）管類または他の可撓性ホースが使用されてもよい。供給導管７９は、好ましくは、流量を調整するための１つまたはそれを上回る弁、歯車ポンプ、ピストンポンプ、蠕動ポンプ、モータ、もしくは類似制御デバイス等の流量制御デバイスを含む、またはそれと連通する。図５に示される実施形態では、流量制御デバイス６６ａは、制御システム１０００の中のプログラムされたサイクルに応答して調整されて開閉される、供給導管を通る流量を制御するための機械化弁９１である。
【０２５７】
作動特徴４に応答して、制御システム１０００は、リザーバ６から、機械化弁９１の上流の供給導管７９の初期部分内で、弁９１を通して、次いで、供給導管の第２の端部９２から退出する供給導管の残りの部分の中へ、液体洗浄剤９の投与量を送達するために十分な時間周期（管または他の供給導管を通る設定された流速を提供する）にわたって、機械化弁９１または類似流量制御デバイスを作動させる。同時に、溶液からの任意の同伴空気が、溶液を変位させるように随意の通気経路の中へ入ってもよい。そのような機械化弁は、制御システム１０００によって電子的かつ自動的に作動可能である、一方向または調節可能ボール弁もしくは類似弁であってもよい。弁は、同様にソレノイドまたは空気圧弁であってもよい。これは、歯車または蠕動ポンプもしくは歯車モータによって動作されてもよい。
【０２５８】
アセンブリはさらに、タンク６０の上に着座するタンク蓋１７０として構成されてもよい。タンク蓋１７０の底部分は、トレイ９４として構成されてもよく、また、歯車ポンプおよび／または歯車モータを保持するためのさらなるレセプタクルを組み込んでもよい、もしくは示されるように、アクチュエータモータ２３ならびに以下でさらに説明されるようなリフトアーム作動アセンブリの形態の弁動作機構の他の構成要素のための筐体に適応する開口部９６を有してもよい。
【０２５９】
供給導管および／または供給弁アセンブリならびに関連付けられる歯車モータに適応するさらなるレセプタクルおよび／または開口部９５が、以下でさらに説明される。歯車モータ２３と同様に液体供給機能のための歯車モータ（所望される場合、歯車ポンプでもあり得る）は、制御システム１０００によってアクティブ化されてもよい。歯車モータ１８７等の歯車モータのアクティブ化は、弁１８０を開放することによって、洗浄流体がリザーバから流出することを可能にするであろう。歯車モータ１８７はまた、弁９１等の機械化弁を動作させることもできる。使用される場合、歯車ポンプは、自動的かつ電子的に作動されることができる、任意の好適な少容量歯車ポンプであってもよい。蠕動またはピストンポンプ等の他のポンプもまた、使用されてもよい。好適な歯車モータは、電子的かつ自動的に作動可能であるものである。歯車ポンプは、本システムがポンプを含む場合に使用されてもよい、または重力流を促進するために歯車モータを使用してもよい。
【０２６０】
洗浄弁を動作させる際の使用に関して、本システムはまた、１つまたは複数の機械化弁ならびに以下でさらに説明されるようなトイレの中の洗浄弁の制御された作動される動作を支援するために、そのような歯車モータの回転シャフトと併せて使用されることができる、カムまたは他の類似機構（図３９参照）を有してもよい。
【０２６１】
示されるように、供給導管開口部は、図５に示されるようにシート部分の中にあってもよい。シート５７のシート部分７４は、供給導管７９の第１の端部７８を受容するための第２の開口部７７を含んでもよい。
【０２６２】
本明細書の供給導管は、本実施形態では可撓性管類等の管として示されているが、本明細書の本開示の種々の実施形態に基づいて、「供給導管」は、その用語が本明細書で使用されると、（水洗用水および洗浄流体が従来の周縁チャネルならびに関連付けられる周縁チャネル出口を通って便器の中へ進入するように、周縁入口を通って便器に直接、または周縁チャネルに進入する周縁入口に流入するかどうかにかかわらず）洗浄剤が、リザーバ内の出口から、洗浄弁の溢流管１９０の中、洗浄弁の中、リザーバと便器の中への混合物における水洗用水および洗浄流体の入口との間の任意の指定場所の中のいずれかに流入するように、リザーバ内部３１から流体連通を提供する、デバイスを通る単一の供給導管または任意の通路であってもよいことを理解されたい。したがって、種々の代替物が本願で説明され、供給導管は、１つの管類、成形された部品、または流体連通する種々の通路を通してリザーバから便器の中に洗浄剤を導入するための通路を集合的に形成する一連の部品である。また、供給導管が完全に封入され、その長さの全体にわたって連続的であり、例えば、漏斗が供給導管の一部または全体を形成し、タンク内の大気に開放している間に供給機能を果たすように溢流管の中へ洗浄剤を指向し得ることは、必要ではない。供給導管は、重力によって、漏斗を通して漏斗内の開口部の中へ、次いで、例えば、密閉された閉鎖具を用いることなく溢流管の中へ流体を導入することができる、または本明細書の実施形態２４００のように、重力によって、洗浄弁の中への溢流管を伴って一元的に成形される漏斗の中に流体を導入することができる。さらに、導管は、中断されてもよい、および／または投与チャンバを含んでもよい。
【０２６３】
したがって、特定の実施形態のためにより具体的に使用されない限り、「供給導管」は、溢流管から洗浄弁まで、および／または直接的に便器の中への周縁流までの（直接周縁入口、（介在マニホールドを伴う、もしくは伴わない）１つまたはそれを上回る周縁出口を伴う周縁チャネルの中への入口であり得る、もしくは便器進入に先立った周縁流路に沿った任意の注入点で、さらに、完全に封入された、および／または連続的な導管である場合もあり、そうではない場合もある）周縁流路内の任意の点に沿って、リザーバ内部空間内からリザーバ出口を通り、直接または間接的のいずれかで、便器の中への入口の中へ流体連通を提供する、任意の機構を説明するために、本明細書ではその最も広義の意味で使用される。
【０２６４】
供給導管の第２の端部は、種々の場所で水洗用水の中に導入されることができる。例えば、供給導管の第２の端部は、その中の開口部９５を通してトレイ９４の底部９３に位置付けられ、その点で終端してもよい、または示されるように、漏斗１６６の形態の供給導管を通して洗浄弁８０の溢流管１９０に洗浄剤を流入させ続けるように位置付けられてもよい、もしくは供給が便器３０の中への周縁流のための周縁入口と流体連通するように、漏斗を用いることなく溢流管に、直接、流体を流入させ続けてもよい。トレイ９４は、筐体の下方に据え付けられ、筐体１２１を保持する。洗浄システムは、システム１００の底部上に随意の下部トレイを含んでもよい。トレイ９４の底部は、好ましくは、配設されたときにトイレタンク６０内の水位線の少なくとも約４インチ〜約５インチ上方に位置するように構成されるが、これは、所与のタンク設計のためのタンク内の高さおよび水位に応じて変動し得る。トレイは、好ましくは、リザーバ６および筐体１２１ならびに上蓋９９を保持するように構成される。トレイ９４および上蓋９９は、蓋９９が従来のタンクカバーの頂面の代わりに着座し、底部トレイ９４がトイレ洗浄弁の上方でトイレタンク６０の内部空間１１９内に着座するように、トイレタンク６０の上に位置付けられるように構成される。しかしながら、タンク蓋１７０は、他の点では、使用時に外見は従来のタンクカバーのように見え、タンクの上に着座する。
【０２６５】
タンクは、好ましくは、洗浄システムが既存のトイレ上で改造され得るように、横断面が標準トイレタンク寸法である。しかしながら、また、トイレの横断面（蓋の長さおよび幅）が特殊サイズである洗浄システムを提供すること、および／または本明細書に説明されるような異なる実施形態のための洗浄システムのサイズの設計変動に適応するように特殊サイズのタンクを有するトイレを伴う洗浄システムを提供することも、本発明の範囲内である。純粋に審美的な理由のために、タンクが可能な限り従来のタンク寸法に近いことが好ましい。
【０２６６】
アクチュエータ特徴４によってアクティブ化されたとき、洗浄システム１００の中の制御システム１０００は、種々の機能を実施する信号を受信する。液体洗浄剤は、任意の機械化弁または液体供給弁の上流の出口部分および供給導管の中へ事前装填される。洗浄流体の最初の装填は、ユニットをプライミングする初期作動タイミングによって等、システムをプライミングし、洗浄剤を事前装填するために、初期プログラマブル特徴を要求し得る。別個の「開始」ボタンが、新しい洗浄流体コンテナを配設することに応じて、ユニットを事前プライミングするために所望される場合、制御パネルに提供されてもよい。いったん定位置になり、事前装填されると、制御システム１０００は、リザーバ６から供給導管７９を通して、閉鎖位置にそのフラッパを伴う洗浄弁８０の内部空間１０３の中へ液体洗浄剤の投与量を送達するために十分な第１の時間周期にわたって、機械化弁または他の液体供給弁を動作させる。流体が導入される洗浄弁は、好ましくは、溢流管１９０を有する、および／または水洗用水等の流体を受容し、便器３０の周縁入口ポート２８に送達するために構成される。
【０２６７】
より好ましいリザーバ６が、図１７および１８に非概略的形態で示されている。図５に関して上記で説明される概略リザーバと同様に、寸法は、上記のものと同一であってもよく、リザーバ本体７は、内部空間３１を画定する。リザーバは、別個の交換用コンテナが別個に販売されるときに、噛合キャップのためにねじ山を付けられることができる、上記で説明されるようなその出口部分１１の上に出口ポート１９を有する。
【０２６８】
管類様供給導管とともに使用するための上記で説明されるような管の代わりに、図４、１７、および１８のリザーバは、液体供給弁１２０を含む。示されるように、歯車モータおよび弁アクチュエータによって動作される液体供給弁１２０は、上記で説明される概略的リザーバのように管および機械化弁の代替物であるように、流量制御デバイス６６ａの一部として位置付けられ、相補的リザーバ筐体１２１内のリザーバシート５７の中に据え付けられるときに、同様に、リザーバ６の出口部分１１内を通って位置する。液体供給弁１２０は、洗浄流体の放出のためのそれを通る通路１２２を画定する。弁１２０は、内部弁プラグ１８０を被覆するよう位置付けられる、静止弁挿入物１７９を有する。弁プラグは、歯車１８６、および随意の制限スイッチ３１８を有する歯車モータ１８７によって動作される、弁管アクチュエータ１８５によって回転するように動作可能である。制御システム１０００が洗浄流体を放出するように弁を作動させると、弁歯車モータ１８７のステムが旋回し、プラグ１８０上の停止部１８１が接触されるまで弁プラグ１８０に係合する、管アクチュエータ１８５を動作させる。弁が開放しているとき、静止弁挿入物１７９内の開口部３１９および回転弁プラグ１８０内の開口部３２６は、整合される。弁が閉鎖されるとき、開口部は、もはや整合していない。洗浄剤は、開口部３１９を通って開放弁に進入してもよい。弁プラグは、洗浄剤液体を下向きに誘導することに役立ち、通気目的のために閉じ込められた空気を上向きに誘導する、内部バッフル３２０を含む。弁はまた、開口部を部分的に整合させ、より低い流速で洗浄剤を分注するように部分的に開放されることもできる。
【０２６９】
上記で説明されるような洗浄剤溶液は、重力送給によって、リザーバ６の内部空間３１から弁挿入物１７９および弁プラグ１８０内の開口部３１９を通して、次いで、弁１２０内の通路１２２の中へ、かつその内部を通して供給導管の中へ指向されてもよく、供給導管は、概略的実施形態に説明されるような管類であり得る、または示されるように、アクチュエータ１８５の内部１８８を介した管アクチュエータ１８５を通して、全て供給導管に流体連通するか、または示されるような供給導管としてともに作用しているかのいずれかである、漏斗１６６の中および溢流管１９０の中への直接進入経路として形成されることができる。
【０２７０】
液体供給弁が直接作動される、本実施形態および以下で説明される、そのような他の実施形態では、弁自体が洗浄流体の送達のための流量制御デバイスであるため、別個の流量制御デバイスが弁を作動させるために必要とされない。したがって、本明細書で使用されるように、「流量制御デバイス」または計量機構は、本明細書に説明される種々の実施形態では、液体供給弁を含む任意の機構であり得る、もしくはリザーバからの流量を独立して制御する流量制御デバイスがある限り、図５で概略的に上記のように機械化弁９１等の供給導管に沿って位置する別個の弁として構成され得ることを理解されたい。
【０２７１】
本明細書の他の実施形態と同様に、アクチュエータ特徴（アクチュエータ特徴４等）のアクティブ化に応じて、制御システムは、好ましくは、便器の中への洗浄剤および水洗用水の入口と流体連通する流路に沿った場所に、例えば、供給導管に、次いで、閉鎖された洗浄弁（弁８０等）の弁体の内部空間に、またはより好ましくは、示されるように、アクチュエータ１８５の内部１８８の様式で供給導管を通して漏斗６６の中へ、次いで、直接、もしくは重力流によって、溢流管１９０の中へのいずれかで、液体洗浄剤溶液の投与量を送達するために十分な第１の時間周期にわたって弁１２０を動作させることによって、洗浄サイクルを開始するように適合される。洗浄剤は、便器の周縁入口ポートまたは従来の周縁チャネル入口のいずれかへ、次いで、１つもしくはそれを上回る周縁チャネル出口を通して、流体を送達するために構成される、洗浄剤および水洗用水の入口と流体連通する流路に進入する。（以下の他の弁の実施形態と同様の）そのような弁１２０は、洗浄弁の上方の溢流管１９０に直接送給するよう、好ましくは、本明細書の好ましい実施形態のように隔離された周縁弁８０に、かつ便器の中への周縁入口への直接的な送給に、または従来の周縁チャネルの周縁入口に接続され、１つもしくはそれを上回る出口ポートを通って外に出ることができる。
【０２７２】
要求されるものは、リザーバの下流にあり、洗浄剤を伴う水洗用水が便器に進入する点の上流にある、水洗用水経路に沿ったある点において、洗浄剤が水洗用水と合体することだけである。本実施形態１０では、弁１２０は、便器進入に先立ったある時点で水洗用水と組み合わせるための洗浄剤を制御可能に放出することができる。
【０２７３】
制御システム１０００は、洗浄弁を開放し、本明細書に記述されるような第２の時間周期にわたって水洗用水とともに液体洗浄剤の投与量を導入するように、同様に本明細書に説明されるような液体洗浄剤の投与量を送達した後に、洗浄弁を少なくとも部分的に閉鎖するように、かつ所望される場合、第３の時間周期（保留時間）後に、洗浄弁、随意に、アセンブリの中の任意の噴射洗浄弁７０を再び開放し、洗浄サイクルの終わりに新しい水洗用水で便器の内部を浄化するように、洗浄弁８０を動作させる。制御システム動作における時間周期は、流体送達の観点から第１の時間周期および第２の時間周期として識別されるが、これら２つの時間周期は、特定の順序である必要はなく、また、同時に、または重複様式で動作し得ることが、本発明の範囲内であることに留意されたい。例えば、洗浄剤が洗浄弁に送達されてもよく、洗浄弁が洗浄剤送達と同時に開放されてもよい、または洗浄弁は、サイクルが編成される方法に応じて、洗浄剤の導入および送達の前に開放されてもよい。好ましいモードでは、第１の時間周期内の洗浄剤の送達は、第２の時間周期内の洗浄弁開放に先行するが、これは選好にすぎず、ステップは、第１および第２の時間周期を逆転させること、または同時もしくは重複様式でそれらを動作させることによって、流体送達のために改変もしくは変更されてもよい。また、簡単洗浄および／または徹底洗浄サイクルに適応して、ユーザ選好に適応するように、（実施形態２４００に関して以下でさらに詳細に議論されるような）開放およびタイミングを設定することも可能である。
【０２７４】
液体供給弁１２０は、液体供給弁１２０を供給導管の第１の端部に接続するため、またはそれ自体が示されるような供給導管として作用するためのいずれかで、アクチュエータ通路を有する（所望される場合、他の継手も有してもよい）。本システムはさらに、任意の随意の機械化弁様弁９１を動作させるための制御システム１０００によってもアクティブ化可能な歯車モータ１８７に加えて、上記のような随意の歯車ポンプを含んでもよい、または本明細書に説明されるような作動システムとともに動作するように構成されてもよい。リザーバ６は、リザーバを保持することが可能である、示されるように構成される筐体１２１および底部トレイ９４の中に据え付けられてもよい。液体供給弁１２０およびリザーバ６はまた、本明細書に説明される通気チャネル、開口部、または通気機構のうちの１つもしくはそれを上回るものを組み込んでもよいが、通気孔は、図１７および１８に示されていない。
【０２７５】
制御システム１０００は、アクティブ化可能であり、アクチュエータ特徴４によって開始されることができる。アクチュエータ特徴は、洗浄サイクル１００が所望されるときにユーザが手動でアクティブ化することができる、種々の特徴であってもよい。例えば、アクチュエータ特徴は、示されるようなスイッチ、トグル、ボタン、一連のボタンオプションを伴うタッチパッド、または同等物であってもよい。これはまた、例えば、自動水洗トイレにおいて水洗サイクルを開始するために、当技術分野で周知であるような遠隔制御および赤外線応答機構を使用することによって、遠隔でアクティブ化可能であり得る。図面に、または非限定的実施例として示される実施形態に示されるように、アクチュエータ特徴４は、パネル上の少なくとも１つのボタンである。ボタンは、制御システム１０００をアクティブ化する信号を送信するように、通常の様式でスイッチ機構に電気的に接続される。アクチュエータ特徴４のアクティブ化に応じて、制御システム１０００は、洗浄サイクルを開始するように適合される。
【０２７６】
一実施形態における制御システム１０００は、設定タイミングシーケンス上で洗浄サイクル特徴を設定するためのプログラマブルコントローラを有する。好適な制御システムは、機能の数に応じて、プログラマブル論理コントローラ（ＰＬＣ）またはプログラマブル論理リレー（ＰＬＲ）を含んでもよい。加えて、タイミングシーケンスにプログラムされるオープンソースプログラマブルソフトウェア、センサ、および入力ならびに出力用の論理ボードを使用する、Ａｒｄｕｉｎｏシステムも、使用されてもよい。小型マイクロコンピュータもまた、ユーザの容易な相互作用のために、液面、システムエラー、または保守の必要性等のフィードバックをユーザに与えるように、液面センサ（図示せず）および他のセンサ機構を用いてプログラムされることもできる、タッチスクリーンインターフェースとともに使用されてもよい。多種多様な制御システムが、使用されてもよく、列挙される本オプションは、限定的と見なされるべきではない。本システムは、いったんプログラムされると、プログラムシーケンスを記憶するための記憶メモリを有し、また、所望される場合、制御システムまたはシーケンスを再プログラムするため、もしくは当技術分野で公知である、または開発される任意の好適な様式で、所望に応じてインターネットもしくは他のオプションにアクセスしてアップグレードをプログラムにダウンロードするために、アクティブなアクセスメモリおよび双方向ソフトウェアを有し得ることが好ましい。制御システムは、好ましくは、容易な配線および接続のために、アクチュエータ特徴に、またはその近傍に位置する。
【０２７７】
示されるように、制御システム１０００のパネル９７は、筐体上のタンク蓋１７０の上に配置され、アクチュエータ特徴４と電気通信する。しかしながら、アクチュエータ特徴は、ハンドルまたは水洗作動２特徴の近傍を含む、タンク６０の側面または正面上を含む、トイレアセンブリ１０の上の多種多様な場所に配置され得ることを理解されたい。示される実施形態では、少なくとも１つのボタンとして示されるアクチュエータ特徴４は、筐体上のパネル９７の上に位置し、ＣＰＵ９７ａは、図１３で最も良く見られるように筐体内の陥凹６３の中でパネル９７の下方に位置する。所望されるような制御システムの他の特徴のための付加的ボタンまたは制御のいずれかが、パネル９７上に提供されてもよい。上部カバー９９は、好ましくは、制御システムパネル９７の上を覆って保護する。筐体１２１を伴うタンク蓋１７０がタンク６０の上にあるとき、完全に別個のタンク蓋として作用する。カバー９９は、清潔な上蓋外観をトイレに与えるように、所望される場合、縁１０２または類似くぼみ特徴を有してもよい。オプションとして、ヒンジ連結ドア９８が、パネル９７の上を覆う蓋カバー９９内の開口部１０１を被覆するように提供されてもよい。指リフト特徴が、ユーザにとってドア９８を持ち上げやすくするために提供されてもよい。ユーザは、ドア９８の下の蓋開口部１０１を通して出現する筐体の部分の上でアクセス可能である、アクチュエータボタン４および制御パネル９７にアクセスするように、蓋９９の中のドア９８を開放する。ヒンジ連結ドア９８、蓋９９、およびトレイ９４は、種々の材料および成形された熱可塑性または熱硬化性ポリマーから成ることができるが、優先的に、一実施形態では、尿素ホルムアルデヒドまたはＤｕｒａｐｌａｓｔＴＭ等の形成可能ポリマーから成る。
【０２７８】
洗浄システム１００はさらに、リザーバ６を受容するように構成される筐体１２１を含む。筐体は、シート５７の中にリザーバを据え付けるとともに、複数のバッテリ６１ａを受容するためのバッテリ受容ウェル６１を提供する。ウェル６１は、ポールに接触するように並べられ、所望のバッテリサイズを受容するように定寸される、所望のサイズのバッテリのそのようなポールと接続するための典型的特徴を含んでもよい。随意のカバー７３が、バッテリウェル６１の上に提供されてもよい。
【０２７９】
リザーバが示されるような出口部分等の異なる特徴を有する場合、筐体１２１は、好ましくは、リザーバの随意の出口部分１１を含む、そのような特徴を受容するように構成されるシート部分７４を有する。シート部分７４は、出口ポートが位置する、リザーバの出口部分または領域を安定して受容するように、出口部分１１もしくは他の特徴の形状を補完する形状を有するべきである。これは、過度に緊密である必要はなく、必要であるときにリザーバを交換および／または補充するために、ユーザが筐体の中ならびに外にリザーバを容易に摺動させることができるように、構成されるべきである。所望される場合、スナップ嵌合特徴または保持特徴（図示せず）が、本発明の範囲内の随意の滑り嵌めのために提供されてもよいが、本発明に必要ではない。
【０２８０】
図５の概略的リザーバを参照すると、随意の開口部が、必要に応じてリザーバの内部と流体連通する、任意の通気管路および／または本明細書でさらに説明されるような供給導管にもアクセスするために筐体の中に提供されてもよい。示されるように、そのような随意の開口部がシート部分７４の基部において筐体の中に位置し、筐体は、通気管路７６の第１の端部７５を受容するための第１の孔６５を組み込んでもよい。孔は、通気管路のために定寸されて構成され、通気管路は、約１ｍｍ〜約１０ｍｍの種々のサイズを有してもよい。任意の随意の通気管路もまた、筐体自体の材料内に形成されてもよい。したがって、孔６５は、筐体の一部のみを通って延在し、リザーバが据え付けられるときにリザーバの中の液面Ｌの上方で筐体の上部において通気するように、筐体材料の本体を通る通路と連通してもよい。したがって、通気管路７６は、出口部分１１から同伴空気および／または液体を受容するように位置する、その第１の端部７５を有するように構成される。これはさらに、リザーバの中に全液面Ｌの高さの少なくとも上方に位置する第２の開放端８４を有する。第２の開放端はまた、退出および／または進入する空気ならびに／もしくは液体が一方向通気管路の中で間違った方向に通過しないように防ぐための随意の逆止弁８５も有してもよい。
【０２８１】
タンク蓋１７０は、示されるような特徴を有してもよいが、制御パネル９７への物理的アクセスを変動させることも本発明の範囲内である。例えば、筐体を覆って据え付けられる全蓋カバーの一部は、蓋の全区分が上向きに折り曲がって蓋カバーの下の制御パネルを見せるように、それ自体がヒンジ連結されてもよい。そのような設計は、例えば、タッチスクリーンの使用のためにより広い面積を開放することが所望される場合に有用であり得る。加えて、アクチュエータ特徴が、タンク６０の正面もしく側面上等のトイレの上の遠隔場所に配置される、または遠隔制御システムを使用して遠隔で作動可能である場合、中実蓋カバーが使用されてもよい。
【０２８２】
本システムはまた、上記で簡潔に説明されるような洗浄弁動作機構８２も含む。好ましい実施形態における本特徴は、図１９−２６を参照してさらに詳細に本明細書に説明される。水洗アクチュエータハンドル２は、（図２３−２６で最も良く示されるように）リフトアームアクチュエータアセンブリ１４０の形態の洗浄弁アクチュエータリフト機構に接続される。リフトアームアクチュエータアセンブリ１４０は、水洗アクチュエータハンドル２から独立して動作するように適合される。すなわち、通常水洗モードが可能にされるとき、水洗アクチュエータハンドル２は、上記で説明されるようにトイレの中の１つまたは複数の弁を開放するようにリフトアーム１４４に係合するが、洗浄システムが係合され、制御システムがアクティブ化されるとき、ハンドル２は、リフトアーム機構とともに動作または移動しないであろうが、代わりに、以下で説明されるように独立して動作されるであろう。リフトアームアクチュエータアセンブリ１４０は、水洗アクチュエータハンドル２が、第１の標準モードで動作し、標準動作のために洗浄弁８０および／または７０等の洗浄弁を開放するためにリフトアーム１４４ならびに水洗アクティブ化バー７５と単純に連動すること、もしくは第２の洗浄サイクルモードで動作することを可能にする特徴を伴って適合される。
【０２８３】
アセンブリ１４０は、所望に応じて弁（好ましい実施形態では周縁および噴射弁、または実施形態１６００、１７００、ならびに１８００で説明されるようなタイプの従来のトイレを使用する場合は少なくとも１つの洗浄弁）を動作させるように、標準水洗リフト機構（上記で説明される水洗アクティブ化バーおよび回転可能連結コネクタアセンブリ等）に接続される、および／または係合することができる、リフトアーム１４４を含む。洗浄サイクルモードであるとき、アセンブリ１４０は、周縁洗浄弁８０を持ち上げるであろう。リフトアーム１４４は、アセンブリ１４０によって直接係合される。
【０２８４】
リフトアーム１４４は、図２１および２２で最も良く見られるように延在部２８７を有する。そのような延在部は、変動する形状を有してもよく、ここでは角度付きのタブとして示されている。延在タブは、以下で説明されるように歯車モータ１４８用の筐体２９０に係合する。リフトアームはまた、受容タブ１４４ａによって洗浄モードで機械的に動作される。アクチュエータ歯車１５２は、歯車モータ筐体２９０のウェルの中に位置付けられる。筐体２９０は、上記のポリマーまたは他の材料のうちのいずれかで成形されてもよく、単一の部品もしくは複数の取付可能／取外可能部品であってもよい。内部の部品への容易なアクセスがシステムの保守において所望される場合に、筐体がある様式で取外可能であることが好ましい。示されるように、アクチュエータ歯車１５２は、筐体の中に嵌合するように構成される。
【０２８５】
筐体２９０は、１または２部品であってもよい。歯車モータ筐体２９０は、組み立てられたときにリザーバ筐体１２１の下部トレイ９４内の開口部９６から着座および／または延在するように構成される。これは、所望される場合、開口部を通ってさらに上向きに延在してもよい。
【０２８６】
リフトアーム延在部２８７および歯車モータ筐体２９０が接触すると、リフトアーム１４４は、洗浄弁のための開放機構を動作させるように作動される。
【０２８７】
洗浄サイクル中に、コントローラ１０００は、リフトアームアクチュエータアセンブリ１４０の中の歯車モータ１４８に係合する。アクチュエータアセンブリ歯車モータ１４８は、したがって、好ましくは、コントローラと電子通信する。示されるような歯車モータ１４８は、歯車モータ筐体２９０の中に位置付けられ、したがって、動作中に乾燥した状態で保たれ、保護される。歯車モータおよび関連付けられる制限スイッチ１５３は、したがって、任意の好適な方法によってトレイ９４に固着されることができる、筐体２９０の中に位置付けられる。
【０２８８】
動作時、ピニオン歯車１５１は、歯車モータ筐体２９０の中にあるアクチュエータ歯車１５２に係合する。ピニオン歯車１５１が旋回するとき、歯車モータ筐体２９０に接触し、次いで、洗浄弁を開放するようにリフトアーム１４４の移動を制限するであろう、トリップレバーとして、アクチュエータリフトアーム１４４の延在部２８７を動作させるよう位置付けられる。
【０２８９】
動作時、コントローラは、ピニオン歯車１５１を動作させる歯車モータ１４８をアクティブ化する。ピニオン歯車１５１は、アクチュエータ歯車１５２に係合し、それに沿って移動する。リフトアーム１４４は、筐体２９０がリフトアーム１４４上の延在部２８７に接触し、動作を停止させるまで、弁機構を動作させるであろう。制限スイッチ１５３はまた、所望の位置でリフトアームを停止させるために利用されることもできる。隔離された周縁および噴射チャネルを組み込むトイレ設計における好ましい実施形態では、リフトアームは、好ましくは、周縁洗浄弁を開放するために十分に高いが、噴射洗浄弁を開放するためには不十分に高い位置まで移動される。リフトアームは、したがって、カバーを制御可能に持ち上げて洗浄サイクルのために洗浄弁を開放するように、周縁洗浄弁と直接接続して、または接続もしくは連結機構を通してのいずれかで、動作することができる。コントローラが歯車モータをオフにするとき、作用が停止し、歯車モータの制御された動作によって逆転されることができる。通常水洗サイクルでは、歯車モータが動作していないとき、リフトアームは、次いで、リフトアーム延在部に接触しないよう位置付けられたままであろう、歯車に係合するように移動することなく、通常水洗機構を動作させるであろう。
【０２９０】
従来のトイレ設計、例えば、周縁送給噴射式便器を伴う実施形態では、リフトアームは、洗浄弁の部分流モードのみを開放するように上昇させられることができる（例えば、図３１−３６参照）。制限スイッチの代替物として、モータ電力引き込みからのフィードバックループが、リフトアーム上の力の増加および減少を感知するために使用されることができ、それによって、ＰＬＣが洗浄弁の位置を判定することを可能にする。
【０２９１】
したがって、洗浄サイクルでは、歯車モータが機構をその元の位置に戻すとき、ハンドル２は、標準水洗モードで動作するであろう。通常水洗モードでは、ハンドル２は、スタッド１４３と相互作用する内部リブ１４１を有する。ハンドルはまた、スタッドの通路１４３ｇを通過し、示されるアクチュエータ歯車１５２に係合する、水洗ハンドル車軸３２２も有する。スタッド１４３は、使用時にハンドルリブ１４１に対する捻転停止デバイス１４２とともに動作する。ナット１５５または類似締結機構が、通常使用時に停止デバイス１４２とともに動作するために、ハンドル２に対してスタッド１４３を固着する。
【０２９２】
蓋１７０は、好ましくは、ロック機構１６４を有する。筐体１２１は、少なくとも１つの開口部３１１を有し、本明細書に示されるように、少なくとも２つのそのような開口部を有する。類似開口部３０９が、ロックを受容するためにトレイ９４を通して提供される。ロック機構（１つまたはそれを上回る）の中の部品またはロックの数は、蓋１７０が安定しているという前提で変動してもよい。そのようなロック機構は、随意であるが、安全およびセキュリティ、ならびに歯車および洗浄システムの円滑な動作のために有利である。開口部３１１は、筐体１２１を通って延在する。それらは、示されるもの等のロック機構を受容するために成形、定寸、および別様に構成されるが、開口部は、他のより様々な設計に適応するように変動してもよい。
【０２９３】
示される実施形態におけるロック機構（図４および７参照）は、本明細書に示されるように、少なくとも１つの延在締結具３１２、好ましくは、上記の種々の開口部を通って延在するための螺入可能または旋回可能ヘッド３１２ａと、噛合係止特徴に係合するように種々の方法で構成され得る第２の係止端３１２ｂとをそれぞれ有する、少なくとも２つまたはそれを上回る締結具を含んでもよい。示されるように、スナップ端３１２ｂが、迅速ロック固着具内に嵌合する。スナップワッシャアセンブリ３１４が、圧縮ばね３１３、プッシュナットおよび／またはワッシャもしくは類似特徴を有して提供されてもよい。圧縮ばね３１３が、締結具３１２を調節可能に係止するために提供されてもよい。そのようなロック特徴は、次いで、図２に示されるライナ１６９内の受容管１６８内に嵌合し、そのライナおよび管は、タンク６０等のトイレタンクの中に配置されることができる。他のロック機構が使用され得る（長いロッドロック、または係止ロッドのねじ山付き端部に係合する内部ねじ山を伴うキャップ上のねじ、他のスナップ嵌合係合および同等物等）。
【０２９４】
リザーバ筐体、トレイ、およびタンク蓋が統合されると、それらは、タンクの内部がアクセスされる必要がある任意の時間に、タンクのライナからアセンブリを係止解除した後に、１つのアセンブリとして保守のために容易に除去される。タンク蓋１７０は、トイレもしくはそのタンクのように陶磁器で形成されてもよい、または成形された複合材料もしくは成形された熱可塑性または熱硬化性ポリマー等のポリマー材料で形成されてもよい。タンクはさらに、リザーバの交換または補充のために容易なアクセスを依然として提供しながら、清潔な外観のためにリザーバ筐体１２１を覆って嵌合し、その上に位置付けられるように、タンク蓋１７０の中にカバー９９を有してもよい。カバー９９は、タンク蓋１７０の上に位置付けられるように成形、定寸、または別様に構成されるべきであり、その上にアクチュエータボタンまたはタッチパッド制御も有し得る、制御パネル／電子アセンブリ９７を視認してアクセスするための上記に説明されるようなアクセス開口部１０１（または本明細書の他の実施形態で説明されるような随意のドア）を有してもよい。
【０２９５】
ライナ１６９は、ポリ塩化ビニルまたは類似する水安全ポリマー材料等の種々の材料で形成されてもよい。ライナとタンクとの間の小さい空隙が、凝縮防止性質を提供するために使用されることができる。ライナはまた、示されるような係止ロッド受容管を形成するために使用されてもよい。漏斗１６６または類似ガイド特徴もまた、好ましくは、便器に進入する前に水洗用水と組み合わせるためにリザーバから下流流動の中へ、直接、洗浄剤流を誘導または指向するように提供される。示されるように、これは、供給導管および／または溢流管１９０の中へ水を指向するであろう。好ましい実施形態では、カバー９９は、リフトアーム機構に対してカバーのより一貫した垂直および水平位置付けを提供するように、ライナの上部に接触する。
【０２９６】
上記で議論されるようなリフトアームは、好ましくは、洗浄弁８０と動作可能に接続し、また、直接または間接連結部を通して、上記で説明されるもののような噴射弁に接続されてもよく、その連結部は、調節可能であり得る。リフトアーム１４４はまた、好ましくは、水洗ハンドル２と動作可能に接続し、水洗ハンドルおよびリフトアーム１４４はまた、通常水洗サイクル中に洗浄弁を動作させるよう、上記で説明されるように接続されてもよい。リフトアームアクチュエータアセンブリはまた、リフトアームアクチュエータ歯車モータ１４８および少なくとも１つの歯車１５１、１５２の動作によって、ハンドルを伴わずに洗浄弁を動作させるよう配列される。したがって、洗浄サイクル中に、ユーザは、洗浄に従事するためにアクチュエータボタンまたはタッチパッドもしくは他のアクチュエータ特徴４（本明細書では少なくとも１つのボタンとして示される）を使用する必要のみあり、ハンドルの動作を見ることも水洗ハンドルを押下する必要もないであろう。いったん洗浄サイクルが終わり、水洗ハンドルが作動されると、トイレは、通常水洗に戻る。
【０２９７】
ボタンを押下することに応じて、接触が制御システム１０００を作動させるためにＣＰＵ９７ａまたはＡｒｄｕｉｎｏアセンブリへのパネル９７の下部分で行われる。制御システムは、次いで、リフトアームアセンブリ１４０のための歯車モータ１４８のタイミングを作動させ、また、リザーバ６として示されるリザーバ内からの洗浄剤の放出のタイミングも調整する。
【０２９８】
導入後、液体洗浄剤および水洗用水が、サイクルが終了する前に、約１分〜約３０分、好ましくは、約５分〜約２５分の事前判定された量の保留時間にわたって便器の中に留まり、通常水洗作用が、水洗用水中の洗浄剤を浄化し、便器から洗浄剤を除去するであろう。トイレは、次いで、次の使用時の通常動作のために設定される。
【０２９９】
機械化弁９１または歯車モータ１８７が、この場合、動作され、流体の投与量を放出するように液体供給弁１２０を開放する。投与量は、プログラミング目的のために事前判定され、選択される導管、この場合、液体供給弁を通して、漏斗を通した溢流管の中への洗浄剤の体積流速に基づいて、設定時間にわたってプログラムされるであろう。タイミングは、約２０ｍｌ〜約６０ｍｌの液体洗浄剤、好ましくは、約２５ｍｌの液体洗浄剤が、供給導管、この場合、液体供給弁通路から、周縁入口ポート２８と連通する洗浄弁８０の内部空間１０３まで通過するように設定されるべきである。供給導管は、周縁洗浄弁８０の溢流管への直接注入によって、または周縁洗浄弁の弁体１０４の内側の内部空間１０３と連通する洗浄弁８０の基部に位置付けられた注入器機構（図示せず）を介してのいずれかで、洗浄剤溶液を導入してもよい。代替として、供給導管は、洗浄弁８０を完全に迂回し、開口部を通って、またはタンク６０の側面に沿ってタンク６０から外に出て、洗浄剤が混和して付加的水洗用水とともに導入され得るように、随意の周縁マニホールド、または周縁入口ポート２８の前および上流の任意の場所における本明細書に説明されるような周縁水洗経路上の他の場所のいずれかを通して、周縁の中へトイレに再進入するように構成されてもよい。
【０３００】
示される実施形態では、洗浄剤は、作動される機械化弁９１および／または液体供給弁１２０から流動し、約２秒〜約１０秒の第１の時間周期にわたって少なくとも１つの初期投与量を送達し、溢流管１９０を通して周縁洗浄弁の内部空間１０３に洗浄剤溶液の所望の量を送達する。
【０３０１】
制御システム１０００はまた、設定された第２の時間周期にわたって水洗用水とともに液体洗浄剤の投与量を導入するよう、洗浄弁８０を動作させて洗浄弁８０を機械的に開放するように構成およびプログラムされる。本時間周期は、タンク内の水洗用水が、より長い時間周期にわたって動作していないトイレの中へ流れ落ちて、水洗用水と希釈して洗浄剤の分布を可能にし、かつ設定された時間周期にわたってトイレ内で保持することができるように、次いで、通常洗浄において洗浄弁のより遅い開放を可能にする。洗浄弁が、通常、水洗ハンドルおよび関連付けられる連結機構等の水洗アクチュエータ２を通して動作されると、本明細書に説明されるような特に修正された洗浄弁動作機構がない場合、制御システムは、正しい時間における（投与後）、かつ第２の時間周期にわたる洗浄弁の制御された機械的開放のために別個の機構を要求する。
【０３０２】
洗浄弁は、タンク内からトイレに、約４ｌ〜約１５ｌ、好ましくは、約９ｌを送達するよう開放される。これは、約３秒〜約１５秒、好ましくは、約９秒かかるが、タイミングは、所望される場合、異なるシステムのために変動されることができる。トイレは、好ましくは、十分な洗浄が達成されるまで、トイレがトラップウェイの中へ洗浄剤および水洗用水を放出することを回避するために、そのような設計が可能である場合、洗浄サイクル中にアクティブ化された噴射口を有していない。しかしながら、従来のサイホン式水洗トイレでは、洗浄弁の制御が重要になり、好ましくは、洗浄サイクルにおいて本ステップ中でトラップウェイを遮断し、堰を乗り越える水の損失を回避するように、機構が提供される。したがって、噴流経路が洗浄サイクルの動作から分離し得るように、実施形態１０における隔離された周縁経路および噴流経路を有する、アセンブリにトイレを組み込むことが、本実施形態では好ましい。
【０３０３】
洗浄機能以上が所望され、ユーザが洗浄して消毒または衛生化することを所望する場合には、洗浄サイクルは、洗浄とともに消毒および／または衛生化機能を最適化するように修正されてもよい。衛生化または消毒の要求のためにＵＳ  ＥＰＡによって要求される殺菌レベルをより容易に達成するために、２つの投与ステップで便器に投与量を追加することが有利である。第１の投与量、次いで、洗浄サイクルにおいて最後の５００〜１，０００ｍｌの水とともに洗浄剤の第２の投与量が、投与されて保持されてもよい。これは、比較的高い濃度の活性成分が保留サイクルの在留時間にわたって便器の中に留まることを確実にする。洗浄流体のより高い濃度およびより長い保留サイクルが、ＥＰＡ要求効能レベルに達する際に有益である。
【０３０４】
トイレアセンブリ１０のための隔離された周縁流路を有する、示される好ましい実施形態では、トイレは、周縁洗浄弁８０を機械的かつ制御可能に開放する制御システム１０００の動作が、噴射洗浄弁７０を開放せず、それによって、トラップウェイの中のサイホンの形成を回避し、より効果的な洗浄サイクルを可能にするように、別個の噴射洗浄弁機構７０を有する。制御システム１０００は、所望の洗浄剤を送達するように、設定された時間周期にわたって制御された速度でそのフラッパ１０５を持ち上げ、弁を通した周縁入口ポートまでの水洗用水流を希釈することによって、周縁洗浄弁８０を機械的に開放する。
【０３０５】
制御システム１０００は、次いで、第２の時間周期中に液体洗浄剤の１つまたは複数の投与量を送達した後に洗浄弁を少なくとも部分的に閉鎖する（第２の時間周期は、消毒および／または衛生化のために上記のような介入保留周期とともに１つもしくはそれを上回る投与ステップを含み得ることに留意されたい）。投与が完了した後、制御システムは、次いで、便器の中の洗浄溶液の在留を可能にし、所望のレベルの消毒および／または洗浄作用を達成するように、さらなる第３の時間周期にわたって動作を保留するであろう。水は、定着するまで、約１分〜約３０分、好ましくは、約５分〜約２５分の最適な洗浄時間にわたって保持される。
【０３０６】
洗浄時間周期または「洗浄保留時間」後に、制御システムは、随意に、洗浄弁をさらに機械的に再開放し、便器３０の内部領域３６を浄化するようにプログラムされてもよい。随意に、（本明細書の以下でさらに説明されるような）噴射洗浄弁はまた、付加的な水を導入し、トラップウェイの中でサイホンを開始し、より大量の洗浄流体を排水管路に放出して、より完全な浄化を達成するように、（タイミングは噴射洗浄弁の開放の開始点に関して変動し得るが）周縁からの浄化水の導入中に開放されてもよい。代替として、制御システムは、保留周期の終わりに洗浄サイクルを単純に停止させるようにプログラムされてもよい。ユーザは、次いで、洗浄サイクルの終わりに便器を浄化するように新しい水洗用水を導入する、通常水洗サイクルを開始するように、水洗アクチュエータ（ハンドル）を単純に作動させるであろう。第１のオプションは、安全特徴として、ユーザがさらなる水洗を開始して便器を浄化することを忘れた場合に、洗浄剤が便器の中に残されないことを確実にするため好ましいが、両方のオプションが容認可能であり、本明細書の本発明の範囲内である。
【０３０７】
実施形態１０による、洗浄溶液および水洗用水送達の好ましいタイミングが、図２７に示されている。サイクルの開始時に、洗浄溶液は、２秒の持続時間にわたって毎秒約５ｍｌの流速を提供するように弁を部分的に開放し、約１０ｍｌの洗浄剤を送達することによって、リザーバから分注される。本初期投与量は、次いで、リフトアーム機構を介した周縁洗浄弁の開放によって、便器の全体を通して分注される。水は、次いで、約９秒にわたって約１，２００ｍｌ／秒〜約８００ｍｌ／秒の速度でタンクから周縁出口ポートまで流動し、タンク内の水滴の高さとして流速を減少させる。水送達の終了の約３秒前に、３０ｍｌのより大きい投与量の洗浄流体が、最後の２リットルの水とともに追加され、来たる保留周期のために便器の中により高い濃度の活性成分を残す。制御システム、例えば、ＰＬＣは、次いで、１５分の保留周期になり、その後、浄化ステップが開始され、リフトアームが完全延在まで駆動され、周縁および噴射洗浄弁の両方を開放してサイホンとともに標準水洗を開始し、使用済みの洗浄溶液を排水管路に排出し、清浄水を便器に補充するであろう。
【０３０８】
上記で説明されるような本洗浄実施形態では、動作への約１秒における洗浄サイクルの開始後に、第２の時間周期であるが、２つの投与ステップ周期２−１および２−２に分割される、投与時間が発生する。第１の投与周期は、（約５ｍｌ／秒の流速で）約１０ｍｌを便器に導入し、数秒（ここでは約２秒）にわたって起動する。水洗用水が導入され、便器が保持される一方で、洗浄サイクル動作が約６秒のさらなる周期にわたって起こる。その時点で、付加的な約３５ｍｌの洗浄溶液が、さらに数秒（ここでは約２．３秒）にわたって約１５ｍｌ／秒の速度で導入される一方で、水洗用水は、サイクルの中へ約３秒で約１，２００ｍｌ／秒近くからサイクルの中へ約１２秒で約８００ｍｌ／秒まで経時的に減少する速度で、追加され続ける。二重投与ステップを伴う本代替的洗浄サイクルは、洗浄および消毒サイクルにおいて消毒を最適化し、細菌の消毒のための望ましいレベルの衛生洗浄を達成するために使用されてもよい。
【０３０９】
動作する周縁なしトイレおよびそれらの特徴の説明に関して参照することによって本明細書にそれぞれ組み込まれる、国際特許公開第ＷＯ２００９／０３０９０４Ａ１号または米国特許出願公開第２０１３／０２１９６０５Ａ１号および米国特許公開第２０１５／０１９７９２８Ａ１号で説明されるもの等の周縁なしトイレ設計もまた、組み込まれてもよい。米国特許公開第２０１５／０１９７９２８Ａ１号に示される実施形態では、周縁は、流体が、便器３０の内面の中に形成された輪郭または幾何学的特徴に沿って進行する周縁入口ポート２８を通して便器の中に導入されるという点で、「周縁なし」設計である。輪郭は、便器の上部周辺部分に沿って形成される１つまたはそれを上回るシェルフ２７もしくは類似特徴であってもよい。図１３に示されるように、本明細書の実施形態は、便器の陶磁器に差し込まれたシェルフを含むという点で、類似特徴とともに示される。本明細書では周縁シェルフ２７とも称されるシェルフは、その上部周辺部分の中の便器の内面に沿って、便器の少なくとも部分的に周囲で、かつ便器３０の内面の差し込み輪郭の中で周縁入口ポート２８から略横方向に延在する。
【０３１０】
便器３０は、本明細書に説明される実施形態１００におけるトイレ１０と同様に種々の形状および構成であってもよく、種々のトイレシート蓋および／または蓋ヒンジアセンブリを有してもよい。そのような蓋は、随意であるため、それらは図面に示されておらず、公知である、または開発される任意の好適な蓋が、本発明とともに使用されてもよい。
【０３１１】
図１３に示されるように、シェルフ２７は、ほぼ内面全体の周囲に延在することができる。これは、洗浄のための渦流効果を誘発するように終端する。周縁シェルフ設計はまた、周縁なし特徴を説明する観点から、関連部分において参照することによって本明細書に組み込まれる、同時係属米国公開第２０１３／０２１９６０５Ａ１号で説明されるような複数の周縁シェルフおよび複数の周縁入口に適応することもできる。便器が従来の中空周縁を伴わずに形成され、流体が便器の周囲の少なくとも部分的経路の周囲を通過し、周縁入口から横方向に変位される場所において便器の内部に進入することを可能にする、シェルフまたは類似幾何学的特徴を示されるような便器表面の輪郭に形成する、上部周辺部分内の便器の輪郭形成された内面の周囲に水が指向される、英国特許出願第ＧＢ２４３１９３７Ａ号に示されるような類似設計、またはそのような設計の任意の将来の変形例も使用されてもよい。従来の上部周縁によって画定される周縁チャネルの中へ送給する周縁入口ポートを有し、かつ水洗用水を便器の内部領域の中に導入するための１つまたはそれを上回る周縁出口ポートを有する、標準周縁チャネルもまた、本明細書に説明される実施形態で使用され得ることも理解されたい。そのような周縁は、加圧されてもよい、または加圧されなくてもよい。
【０３１２】
上記のような実施形態１００のトイレアセンブリ１０では、シェルフ２７が差し込まれてもよい。シェルフ２７は、便器の内面から輪郭の中へ横方向に測定されるような深度と、シェルフ２７からシェルフの上方の上面４７まで縦方向に測定される高さとを有する、輪郭の中にあり、そのパラメータは、シェルフの幅または横サイズを画定する。輪郭は、内向きに延在する部分と、シェルフに沿って延在するが、領域中でより深いシェルフを提供するためにサイズが変化する、シェルフ２７の上方の上面とを有することができ、輪郭は、第１の深度と、周縁入口ポートからの強い流体流に適応するように深度よりも若干大きく、周縁流がシェルフに沿って便器の前部に向かって継続するにつれて、便器の後部と前部との間のほぼ中間の位置で合理的に大きいシェルフサイズを維持している、第１の高さとを有する。シェルフの深度は、比較的一定であるが、輪郭高さは、便器の前部に向かって伸長し始める。例えば、深度は、中間場所を通した周縁輪郭の初めでは約１５ｍｍ〜約３０ｍｍ、便器の前部では約１０ｍｍ〜約３０ｍｍに留まってもよい。これらの場所における高さは、中間場所を通した流動の開始における約３５ｍｍ〜約５５ｍｍから、便器の前部における約４０ｍｍ〜約５５ｍｍまで変動する。
【０３１３】
流動が、便器の前部から便器の後部に向かって戻るように進行し、中間点における便器の反対側まで継続すると、深度は、依然として比較的一定である（便器の後部では若干小さいが、高さは、例えば、中間場所における約４５ｍｍ〜約６０ｍｍから、約５０ｍｍ〜約６５ｍｍである便器の後部まで、さらに伸長することができる）。高さが伸長すると、シェルフ２７は、サイズが減少し、最終的に終端する。
【０３１４】
いくつかのトイレアセンブリが、本明細書の洗浄システムおよび方法ならびに本明細書に説明される種々の実施形態とともに使用されてもよい。洗浄システムとともに使用するための好適なトイレは、全ての重力動力型サイホン式洗浄弁トイレ、ならびに単一および多重水洗トイレならびに洗い落とし式トイレを含む。便器の構造および動作に関して関連部分において本明細書に組み込まれる、米国特許第８，３１６，４７５号のような加圧周縁および直接噴流経路を伴うものが、使用されてもよい。本明細書のトイレアセンブリの中の洗浄システムとともに、その中のトイレの動作および特徴に関して参照することによって関連部分において本明細書に同様に組み込まれる、米国特許出願公開第２０１２／０１９８６１０Ａ１号に説明されるような周縁および噴射流を調整する制御特徴を有する、トイレも有用である。
【０３１５】
本発明はまた、内部空間を画定する便器と、タンク内部を画定するトイレタンクと、洗浄弁と、洗浄弁の出口から少なくとも１つの周縁出口ポートまで延在する周縁流路を通して便器の内部と流体連通する周縁とを備える、トイレアセンブリを含む、洗浄システムを有するトイレアセンブリも含み、洗浄弁は、流体を周縁に送達するように構成され、洗浄弁は、水洗作動モードで動作するように構成される。洗浄弁はまた、トイレアセンブリが水洗サイホンを開始する、または洗い落とし式水洗を提供するために十分な水洗用水流を提供することができ、かつ洗浄弁がサイホンを開始するためには不十分であるが便器を洗浄するためには十分である、便器への洗浄剤および水洗用水混合物の導入を可能にするように部分的にのみ開放される、洗浄作動モードで動作することができる。洗浄システムはまた、内部空間を画定する本体を有し、かつリザーバ本体の内部空間と流体連通する出口ポートを有する、液体洗浄剤を保持するためのリザーバも含む。これらの特徴の多くは、実施形態１０に関して上記ですでに説明されている。しかしながら、本実施形態では、トイレアセンブリは、より従来的なトイレであってもよい。
【０３１６】
本システムは、リザーバを受容するように構成される筐体と、リザーバの内部と流体連通し、リザーバ内から流体を受容するための第１の端部を有する、供給導管と、供給導管を通る流量を制御することが可能な流量制御デバイスとを含む。アクチュエータ特徴によってアクティブ化可能な制御システムも提供され、アクチュエータ特徴のアクティブ化に応じて、制御システムは、リザーバから１つまたはそれを上回る周縁出口に液体洗浄剤の投与量を送達するために十分な第１の時間周期にわたって流量制御デバイスを動作させるステップと、洗浄作動モードで洗浄弁を動作させ、水洗用水を導入し、サイホンを開始するためには不十分であるが便器を洗浄するためには十分である流速で、少なくとも１つの周縁出口ポートを通して便器の中へ液体洗浄剤の投与量を運搬するよう、洗浄弁を開放するステップとによって、洗浄サイクルを開始するように適合される。
【０３１７】
直接送給非噴射式トイレまたは洗い落とし式トイレ等の従来のトイレでは、洗浄弁は、洗浄作動モードでは、通常水洗モード中に洗浄弁を通る流速よりも約２０％〜約８０％遅い、好ましくは、洗浄作動モードでは、通常水洗モード中に洗浄弁を通る流速よりも約４０％〜約６０％遅い流速で水洗用水を導入してもよい。加えて、水洗用水は、約２秒〜約３０秒の周期にわたって水洗作動モードで弁に進入してもよい。水洗用水および洗浄剤は、便器の中に導入され、便器を洗浄するために約３０秒〜約３０分の在留時間を有してもよい。
【０３１８】
本アセンブリの１つの特定の実施形態では、便器は、直接送給噴射式のサイホン式重力動力型便器であってもよい。便器は、代替として、周縁送給噴射式のサイホン式便器、非噴射式のサイホン式重力動力型便器、または重力動力型洗い落とし式便器であってもよい。
【０３１９】
さらに、本アセンブリの代替実施形態では、洗浄弁は、洗浄作動モード中に弁を開放する際に使用するための弁カバーの中のポペット特徴を伴うフラッパ型洗浄弁であってもよい。代替として、洗浄弁は、洗浄作動モード中に弁を開放する際に使用するためのフックおよびキャッチ特徴を伴うフラッパ型洗浄弁であってもよい。さらに別の実施形態では、洗浄弁は、ポペット型洗浄弁であってもよく、ポペット型弁カバーは、通常水洗モードで洗浄弁を開放し、洗浄弁は、洗浄作動モード中に弁を開放する際に使用するためのカバーをその上に有する、側面ポートを有する。
【０３２０】
別個の周縁および噴射流を伴う、実施形態１０で上記に説明される好ましいプライミングされた噴流経路のトイレに加えて、本明細書の洗浄システムおよび方法の概念はまた、以下で説明される理由のために、標準トイレ、好ましくは、非噴射式または周縁送給噴射式構造を伴うサイホン式もしくは洗い落とし式トイレのために適合されてもよい。
【０３２１】
直接送給噴射便器は、現在、排泄物の大量除去のために北米およびアジア市場で販売されているトイレの大部分である。しかしながら、本明細書の洗浄システムは、そのような便器のために適合されてもよいが、最も強力な洗浄作用のためには好ましくない。理由が、そのような便器の構造に関して解説され得る。従来技術の直接送給噴射サイホン式重力水洗便器の実施例が、図２９、２９Ａ、および２９Ｂに示されている。分かり得るように、入口Ｉを通した便器の中への流動は、マニホールドＭに進入し、周縁入口ＲＩにおける周縁チャネルＲＣの中および噴射チャネルＪＣの中へ分かれる。本明細書の自己洗浄システムの利益は、長期水流を介して洗浄流体を便器に送達し、機械的および化学的洗浄作用の両方を提供するように便器の実質的に全体または完全表面にわたって洗浄剤を分散する、ある程度の渦巻作用および乱流回転移動を提供する能力を含む。
【０３２２】
これは、要求される表面にわたって洗浄剤および水洗用水の混合物を運搬し、要求される機械的作用を提供するために十分に高いが、サイホンを開始するほど十分に高くない流速で、それを追加することによって達成される。サイホンの模倣は、洗浄剤がその真の洗浄および／または衛生化潜在性を達成するために十分な在留時間を有する前に、便器Ｂから排水管路Ｄの中へ大量の洗浄剤を運搬するであろう。
【０３２３】
図２９に示される従来技術の直接噴射式トイレＤＪＴでは、水洗用水および洗浄剤が、サイホンを開始するために不十分に高い、より遅い速度で送達される場合、水洗用水の殆どが噴射チャネルＪＣに進入し、噴射出口ポートＪＯＰを通ってサンプＳおよびトラップウェイＴＷに流入するであろう。噴射チャネルは、重力が水の大部分を噴射チャネルに押し込むように、マニホールドＭおよび周縁入口ＲＩに対して「下降線」である。不十分な水および洗浄剤は、周縁チャネルＲＣの中に到達し、周縁出口ポートＲＯＰから流出して、所望の洗浄作用を達成することができる。そのような直接噴射式トイレシステムが、それらの完全な設計が意図した流速で水洗されるとき、水洗用水の約３０％のみが、噴射チャネルＪＣまで噴射入口を越え、周縁出口ポートに辿り着き、これは、洗浄弁からの流速が噴射チャネルおよび噴射出口ポートを通して到達可能な最大流速を超え、水を噴射チャネルの中で逆流させて周縁入口ポートに進入させるため起こる。したがって、本明細書の洗浄システムは、おそらく、洗浄剤の大部分をサンプに送って排水管から出し、水位線の上方の便器の表面にわずかな洗浄作用を付与するであろう。本明細書の洗浄システムは、図２９に示されるような従来技術の直接噴射式トイレまたは類似設計を伴って適合されて使用されてもよいが、しかしながら、水位線の上方の洗浄作用は、本明細書で議論される他のトイレ構造のものほど効果的ではないであろう。
【０３２４】
本明細書の洗浄システムは、以下で説明されるような軽微な修正を伴う他の標準トイレに適合されることができる。図３０に示されるように、周縁送給噴射式便器１６３０は、実施形態１６００と称される、本明細書のシステムのさらなる実施形態で使用するために適合されてもよい。実施形態１６００では、種々の弁開口部機構、水洗アクチュエータ、電動式カム動作型を含む代替的リザーバ、および実施形態１０、３００、４００、５００、７００、８００、９００、１２００、１３００、１４００、１５００、１９００、ならびに２４００の他の洗浄剤導入弁を含む、本明細書の実施形態のシステムの全てが、本実施形態のトイレアセンブリ１６３０とともに使用されてもよい。したがって、以下で説明されるようなトイレ１６３０およびその洗浄弁動作以外に、標準周縁噴射式便器アセンブリで使用するためのシステムを適合する明確な側面のみが、その他の点では同一であろう。便器および弁の変形例が存在することを踏まえて、それらは、本明細書に説明される。周縁送給噴射式便器では、自己洗浄システムは、トイレ幾何学形状に起因して、良好に機能することができる。典型的周縁送給噴射式便器が、（他の周縁送給設計が使用されてもよいが）便器１６３０として図３０に示されている。水洗用水は、そのような便器のための当技術分野で公知の様式で、そのような幾何学的形状において便器入口１６２３７から一次マニホールド１６２３８に流入するであろう。一次マニホールドから、流動は、上部中空周縁入口ポート１６２８によって形成される開放周縁チャネルの中へ流出する。
【０３２５】
本明細書で使用されるように、周縁なし設計における「周縁入口ポート」は、前の実施形態において上記で説明されるような周縁シェルフ２７に沿って等、便器の内部の周囲で渦巻流を可能にする、それを通して水洗用水が開口部を通って便器に進入するポートである、またはトイレの周囲の中空周辺上部周縁に形成された従来の周縁チャネルの中への入口開口部である。周縁チャネルを画定する、そのような中空周縁は、当技術分野で周知である。流動が、内部周縁チャネル１６２４０を画定する中空周縁１６２３９を通って、１つだけの方向にマニホールド１６２３８から出て行くことができる、または流動が周縁チャネルの各側面上の便器１６３０の後部における一次マニホールド１６２３８から便器の前部に向かって通過するように、２つのポートを通って２つの反対方向に通過し得るという点で、１つもしくは２つの入口１６２８があってもよい。
【０３２６】
いくつかの出口ポート１６２４１が、便器１６３０の内部６３６に対面して周縁に形成される。そのような出口は、全て等しいサイズであってもよい、または所望される場合、付加的洗浄作用のためにより大きい、いくつかを有してもよい。
【０３２７】
流動が周縁送給噴射式便器１６３０の前部に到達すると、周縁送給噴射口１６２４３の周縁送給噴射入口１６２４２を通り越し、周縁送給噴射出口１６２４４まで下向きに噴射口１６２４３を通過する。したがって、水は、周縁から、周縁チャネル出口１６２４１を通して、または周縁送給噴射出口１６２４３を通してのいずれかで、トラップウェイに至るサンプ領域の中へ、便器に進入する。
【０３２８】
本明細書の洗浄システムが周縁送給噴射式便器１６３０を含むように構成されるとき、より少ない水がサンプおよびトラップウェイに指向されるように、より大量の洗浄剤および水洗用水が、出口１６２４１を通して、周縁を通って便器に進入するであろう。したがって、流速および弁放出が以下で議論されるように制御される場合、十分な在留時間が、標準周縁送給便器１６３０上で実施形態１０、３００、４００、５００、７００、８００、９００、１２００、１３００、１４００、１５００、１９００、および２４００のうちのいずれかの洗浄システムの良好な機能を可能にするために取得され得る。
【０３２９】
典型的な非噴射式重力動力型便器は、周縁チャネルが中実のままであり、周縁噴射口がないことを除いて、図３０に示されるような周縁送給噴射式のもののような構成を有する。便器は、周縁からサンプまで流れる噴射口を伴わずに、その前部分において中実壁のままである。そのような非噴射式便器はまた、全ての水洗用水が周縁出口ポートを通って中空周縁（便器１６３０について上記で示されるもの等）から流出しなければならないという点で、本明細書の洗浄システムとともに良好に機能することもできる。そのような設計では、周縁出口ポートのうちの１つまたはそれを上回るものが、噴射作用便器を模倣する様式で便器用のトラップウェイの入口に指向される、より強力な水洗用水流を与えるよう、便器の前部の略近傍の所望の場所で、さらなる洗浄流を提供するために、典型的周縁出口ポートよりも大きく作製されるであろうこともまた、より一般的である。サイホン式非噴射式便器のように、典型的には、トラップウェイおよび周縁出口に対してわずかに異なるトイレ幾何学形状を有する、洗い落とし式便器として公知の類似便器もある。洗い落とし式便器は、概して、トラップウェイがサイホンをサポートするように設計されていないことを除いて、非噴射式サイホン式便器のものに類似する構造である。洗い落とし式トイレのトラップウェイは、概して、断面積がより大きく、それぞれ、壁および床出口配設のために比較的単純なＰトラップまたはＳトラップ幾何学形状である。複数の出口ポートを伴う従来の周縁の代わりに、それらは、多くの場合、便器の中へのより速い流速およびトラップウェイの堰を越える排泄物のより効率的な運搬を可能にするように、周縁への開放下面を伴って構築される。
【０３３０】
周縁噴射式、非噴射式、または洗い落とし式標準トイレにおける本明細書の上記に説明されるような洗浄システムの配設は、洗浄剤および水洗用水が、洗浄のために周縁出口ポート（または開放周縁）からより大量に便器の表面上に指向されることができ、より少ない量がトラップウェイおよびサンプ領域の中で無駄にされるという点で、他の標準トイレ設計よりも効率的である。
【０３３１】
本明細書の洗浄システムにつながる、そのような従来の便器は、前の実施形態および米国特許出願公開第ＵＳ２０１５／０１９７９２８Ａ１号で詳細に説明されるように隔離された噴流経路を有する、プライミングされたマニホールド便器と異なる際に、現在、そのような標準便器の殆どでは、便器への導入のために流体をマニホールドおよび／または周縁チャネルに導入する、単一の洗浄弁のみがあるため、隔離された周縁および噴流経路の欠如、ならびに周縁を通して洗浄剤を便器に導入するときの別個の周縁および噴射弁を考慮することが必要である。
【０３３２】
より遅い速度が、周縁送給噴射式または非噴射式便器においてサイホン効果の開始を回避するように、または洗い落とし式トイレの場合にはより強力な水洗を回避するように、水洗用水および洗浄剤の導入のために要求される。そのようなサイホンまたは動力水洗は、別様に、意図された洗浄作用を達成する前に、トラップを通して便器の外へ過剰に多くの洗浄剤を時期尚早に運搬し得る。また、洗浄サイクル中に通常水洗よりも長い持続時間にわたって洗浄弁を開放して保持することも重要である。これは、洗浄サイクルが開始されるときに、より遅い速度およびより長い洗浄サイクル在留時間を達成するために、修正された洗浄弁設計を提供することによって達成され、これは、標準トイレの中の標準洗浄弁では適切に稼働しないであろう。標準洗浄弁は、ヒンジ連結カバー開口を有するフラッパカバー弁、またはキャップもしくは蓋カバーの上向き浮動のための中心軸を有するポペット弁を含む、種々の構成になる。
【０３３３】
修正された弁は、図３０の周縁送給噴射式便器１６００を使用する実施形態で使用するための第１の洗浄弁１６２４５に関してさらに説明されるであろうが、他のタイプの標準便器（洗い落とし式または非噴射式等）もまた、本明細書に説明されるような修正された洗浄弁１６２４５を使用し得ることを理解されたい。したがって、実施形態１６００は、弁が、それぞれ、閉鎖および開放位置にある、図３１および３２に示される洗浄弁とのトイレ１６００の組み合わせを含む。図３１および３２に示されるような洗浄弁１６２４５は、本明細書の実施形態１０におけるタンク６０と同一であり得る、タンク１６６０内の開口部の中に据え付けられる弁体１６２４６を有する。弁１６２４５は、以下で説明されるようなポペット特徴を伴うフラッパ型カバー１６２４７を有する。カバー１６２４７は、溢流管１６２４９上に位置するヒンジマウント１６２４８において洗浄弁体１６２４６に接続される（溢流管は、以前に説明された溢流管１９０のようであり得る）。ポペット特徴１６２５０は、ガイドロッド１６２５１を受容するための開口部１６２５３を画定するガイドリング１６２５２を通って往復して移動することを可能にするように、ガイドロッド１６２５１または他の同軸ガイド構造を有する。ガイドロッドの端部は、より大きく定寸されるか、および／またはカバー１６２４７から脱離しないよう、上向きに移動するときにガイドロッド１６２５１がガイドリング１６２５２から完全に出て行かないように防ぐ停止特徴１６２５４を有するように構成されるかのいずれかである。
【０３３４】
ポペットアクティブ化チェーンＣ２が上向きに引動されるとき、ポペット特徴１６２５０は、カバー１６２４７に接するときにポペット特徴１６２５０によって遮断される領域を開放して、上向きに移動する。水は、洗浄流体（例えば、溢流管１６２４９を通して導入されることができる）を運搬し、サイホンを開始することなく本明細書の洗浄システムを使用して、所望される洗浄作用を達成するために十分な速度で進入する。チェーンＣ２は、リンク、グロメット、または類似特徴を通してポペット特徴１６２５０の上部に取り付けられる。
【０３３５】
洗浄サイクルが完了し、通常水洗が再び所望されるとき、水洗アクチュエータは、リンク１６２５５において取り付けられるチェーンＣ１を上向きに引動し、カバー１６２４７全体を上向きに引動して、タンク６０からの水が、弁体の内部に跨架する、より大きい弁入口開口部を通って進入し、通常水洗作用のためのサイホンを開始するために十分な流速を達成することを可能にする。
【０３３６】
実施形態１６００によって実証されるような上記で説明される標準トイレとともに使用するための洗浄弁の別の実施形態では、そのようなトイレを有するシステムで使用するためのさらなる代替的弁が、図３３および３４に示され、実施形態１７００として識別される。これは、１６００のトイレを参照して解説されているが、上記で説明される標準トイレのうちのいずれかとともに使用され得ることに留意されたい。実施形態１６００、１７００（および以下で説明される１８００）は、実施形態１６００および１７００が、１つまたはそれを上回るタイプの標準重力動力型サイホン式もしくは洗い落とし式トイレ、具体的には、非噴射式、周縁噴射式、または洗い落とし式トイレを使用し、結果として、トイレが隔離された周縁および噴射流ならびにプライミングされた噴流経路を有する、前の実施形態で説明されるトイレ１０およびその変形例とは対照的に、本明細書に説明されるような修正された弁を採用することを除いて、実施形態１０で、または実施形態２００、３００、４００、５００、７００、８００、９００、１２００、１３００、１４００、１５００、１９００、および２４００等の本明細書の他の実施形態で説明される、洗浄システムについて上記で図示されるようなシステム、機械的部品、および方法ステップのうちのいずれかを使用してもよい。
【０３３７】
図３３および３４の弁１７００では、弁１７２５６は、球ならびにフックおよびキャッチ特徴を伴うフラッパ型カバーを有して示されている。洗浄弁１７２５６は、層流の略円筒内部を有する、断面で示される弁体１７２５７と、半径状入口１７２５８とを有する。フラッパカバー１７２５９は、通常水洗動作において洗浄弁の揚力および浮動を支援するための浮遊球１７２６０を有する。カバー１７２５９は、溢流管１７２６２（本明細書に説明される他の溢流管のようであり得る）上のヒンジマウント１７２６１において弁体１７２５７に取り付けられる。さらなるフックヒンジマウント１７２６３が、フラッパカバーヒンジマウント１７２６１の側面と反対側のフラッパカバー１７２５９の第１の前端１７２６４上に提供される。
【０３３８】
フックヒンジマウント１７２６３は、フック１７２６６の第１の搭載端１７２６５に係合する。図３３に示されるように、洗浄弁は、閉鎖され、カバー１７２５９は、半径状入口１７２５８において弁体１７２５７の上部と接触している。本位置では、フック１７２６６の第２の捕捉端１７２６７は、緩く垂れ下がっており、弁体に係合しない。水は、本位置では洗浄弁１７２５６に流入することができない。通常水洗サイクルが開始されるとき、フック１７２６６は、水洗作動チェーンＣ１がトイレの水洗アクチュエータ（本明細書に記述される洗浄システムで説明されるこれらの水洗アクチュエータのうちのいずれか、または標準水洗アクチュエータであり得る）によって上昇させられるときに、キャッチ１７２６８を中心として回転および揺動するよう定寸される。これは、図３４のようなフラッパカバー１７２５９を完全に開放し、十分な水洗用水が弁に進入し、サイホンを開始して便器を水洗することを可能にする、または洗い落とし式トイレの場合は十分な水がトラップウェイに進入することを可能にする。フック１７２６６がそのような隙間を有するために、図３３に示されるように、静止位置にあるときに約１ｍｍ〜約６ｍｍの十分な間隙ｘがある。
【０３３９】
実施形態１７００による洗浄システムを使用する洗浄サイクルでは、洗浄サイクル作動チェーンＣ２は、フック１７２６６の第２の端部１７２６７がキャッチ１７２６８に係合する点までフラッパカバー１７２５９を持ち上げるよう、本明細書に説明される機構を使用して上昇させられる。これは、より遅い流速における限定された水洗用水が洗浄弁に進入することを可能にするために、カバー１７２５９と弁体の上の半径状入口１７２５８との間の間隙を可能にする。このより遅い流速は、溢流管１７２６２を通して本明細書に説明される標準トイレの中へ、弁体の中に導入され得る、洗浄剤を運搬し、必要とされるがサイホンを開始するために十分な流量を伴わずに渦巻き状の機械的攪拌を提供するために十分である。
【０３４０】
実施形態１６００によって実証されるような上記で説明される標準トイレとともに使用するための洗浄弁のさらなる実施形態では、そのようなトイレを有するシステムで使用するためのさらなる代替的弁が、図３５および３６に示され、実施形態１８００として識別される。これは、１６００のトイレを参照して解説されているが、上記で説明される標準トイレのうちのいずれかとともに使用され得ることに留意されたい。実施形態１６００および１７００と同様に、実施形態１８００は、実施形態１６００、１７００、および１８００が、１つまたはそれを上回るタイプの標準重力動力型サイホン式もしくは洗い落とし式トイレ、具体的には、非噴射式、周縁噴射式、または洗い落とし式トイレを使用し、結果として、トイレが隔離された周縁および噴射流ならびにプライミングされた噴流経路を有する、実施形態１０で説明されるトイレ１０およびその変形例とは対照的に、本明細書に説明されるような修正された弁を採用することを除いて、実施形態１０ならびに本明細書の他の実施形態２００、３００、４００、５００、７００、８００、９００、１２００、１３００、１４００、１５００、１９００、および２４００で説明される、洗浄システムについて上記で図示されるようなシステム、機械的部品、および方法ステップのうちのいずれかを使用してもよい。
【０３４１】
図３５および３６の弁１８００では、弁１８２６９は、側面ポート１８２７１を伴うポペット型カバー１８２７０を有して示されている。洗浄弁１８２６９は、層流の略円筒内部を有する、断面で示される弁体１８２７２と、半径状入口１８２７３とを有する。ポペットカバー１８２７０は、標準水洗サイクル中に中心軸方向様式でポペットカバーを上向きに誘導し、通常水洗動作中にサイクルが完了するときに閉鎖位置に戻すための下垂ガイドロッド１８２７４を有する。ガイドロッド１８２７４は、ガイドロッドと軸方向に整合され、それを受容するように構成される、それを通る開口部１８２７７を有するガイドリング１８２７６に係合する、停止部１８２７５をその端部に有する。弁１８２６９はまた、溢流管１８２７８（本明細書に説明される他の溢流管のようであり得る）も含む。
【０３４２】
側面ポート１８２７１は、側面ポートカバー１８２８０を有する、第１の端部１８２７９（随意に、半径状縁を提供され得る）を有する。カバーは、（任意の好適な開口部機構を有してもよいが）ヒンジ１８２８１を有する。側面ポートは、側面ポート１８２７１の第１の端部１８２７９から、弁体１８２７２の内部１８２８４と流体連通する第２の端部１８２８３まで延在する、それを通る通路１８２８２を有する。側面ポートカバー１８２８０は、上記で説明されるような制御システムによる洗浄サイクル動作中に作動される、図３５の第１のチェーンＣ１によって動作可能である。標準水洗サイクルでは、カバー１８２７０は、図３５に示される第２のチェーンＣ２によって持ち上げられる。
【０３４３】
動作時、図３５に示されるように、洗浄弁は、閉鎖され、カバー１８２７０は、半径状入口１８２７３において弁体１８２７２の上部と接触している。本位置では、側面ポート１８２７１は、閉鎖され、側面ポートのカバー１８２８０も閉鎖される。水は、本位置では洗浄弁１８２７０に流入することができない。通常水洗サイクルが開始されるとき、チェーンＣ２は、図３５の水洗作動チェーンＣ２がトイレの水洗アクチュエータ（本明細書に記述される洗浄システムで説明されるこれらの水洗アクチュエータのうちのいずれか、または標準水洗アクチュエータであり得る）によって上昇させられるときに、カバー１８２７０を上向きに引動するようアクティブ化される。これは、ポペット型カバー１８２７０を完全に開放し、十分な水洗用水が弁に進入し、サイホンを開始して便器を水洗することを可能にする、または洗い落とし式トイレの場合は十分な水がトラップウェイに進入することを可能にする。水洗サイクルの終わりに、カバー１８２７０は、閉鎖し、弁は、初期閉鎖位置に戻るであろう。
【０３４４】
実施形態１８００による洗浄システムを使用する洗浄サイクルでは、図３５の洗浄サイクル作動チェーンＣ１は、側面ポートカバー１８２８０を持ち上げ、限定された水洗用水流のみが図３６に示されるような側面ポート１８２７１に進入することを可能にするように、本明細書に説明される機構を使用して上昇させられる。側面ポートは、より遅い流速における限定された水洗用水が洗浄弁に進入することを可能にするように構成および／または定寸される。このより遅い速度は、溢流管１８２７８を通して本明細書に説明される標準トイレの中へ、弁体の中に導入され得る、洗浄剤を運搬するため、かつ必要とされるがサイホンを開始するために十分な流量を伴わずに渦巻き状の機械的攪拌を提供するために十分である。
【０３４５】
他の実施形態もまた、洗浄剤が能動洗浄動作のために合体してトイレに進入することを可能にするために十分である一方で、サイホンを開始するためには不十分な洗浄サイクル中に、次いで、便器から洗浄剤を一掃し、新しい水洗用水を導入する標準水洗に従事するために全流速を使用する、別個の水洗中に、弁体の中へのより遅い速度の水洗用水の進入のために、弁がある様式で部分的に開放する様式で、稼働するように同様に設計されてもよい。例えば、洗浄弁は、水洗アクティブ化ポペットリフトチェーンを用いた完全水洗動作を可能にするように、また、別個の洗浄サイクル作動チェーン上で動作可能な別個のより小さい開放経路およびヒンジ連結蓋を有する、（延在本体であり得る）側面開口部を有するように、標準ポペット蓋および同軸ガイドロッドを伴って構成されてもよい。
【０３４６】
弁および本明細書に説明される標準トイレ用の洗浄弁の提案される実施形態毎に、当技術分野で公知であり、実施形態１７００に示されるような（所望される場合、特定の流路のための）半径状入口の使用、所望される場合、かつ好ましくは洗浄作動中に弁を通る洗浄流速に悪影響を及ぼさない場合、上昇した弁体、弁動作および開放速度を制御するための米国出願公開第ＵＳ２０１５／０１９７９２８Ａ１号に説明されるもののうちのいずれか等の逆流防止装置機構、本明細書の出願人の同時係属米国特許出願公開第２０１４／０２３０１３６Ａ１号に説明されるような溢流通気スクープ、流動方向のための内部バッフル、弁タイミングを最適化するために水洗作動チェーンまたは洗浄サイクル作動チェーンのいずれかの上に引っ掛けられ得る、（米国特許出願公開第２０１４／００９０１５８Ａ１号のような）付加的な取り付けられたフロート、ならびに同等物を含む、随意の特徴が、（実施形態１６００、１７００、および１８００のような）本明細書の洗浄システムで採用されるときに、標準トイレについて説明される弁とともに使用するために、提供されてもよい。
【０３４７】
最適な動作のために、従来の便器では、そのような部分的に開放された弁は、間隙の中で開放する、または洗浄剤／水洗用水混合物を用いた良好な洗浄のために十分であるが、隔離された噴流経路を有していない便器の中でサイホンを開始するためには十分ではない速度で流動を可能にするように、最適化された距離で部分的に持ち上げられる（もしくは別個の側面開口部を有する）等である（部分流モード）。実施形態１７００における容認可能な間隙は、部分的に開放した弁を通して達成される流速が、所与のトイレ設計のための全水洗流速（すなわち、完全サイホンまたは完全洗い落とし作用を達成するために要求される流速）の約２０％〜約８０％であるようなものであり、１６００等の実施形態における弁体の入口の上方の部分開口部は、実施形態１８００において側面開口部ポートを通る流動を可能にするために利用可能であるような面積と類似する測定である。好ましくは、部分的に開放した弁を通して達成される流速は、所与のトイレ設計のための全水洗流速の約４０％〜約６０％である。標準水洗アクチュエータ（電子または標準水洗ハンドル（もしくは本明細書に記述されるような機械化ハンドル）であるかどうかにかかわらず）は、次いで、好ましくは、標準水洗サイクルにおいて便器を浄化するように従事する。
【０３４８】
本明細書に説明される洗浄弁の全てのための動作時、洗浄サイクルアクチュエータ１６０４（本明細書に説明されるような歯車駆動等を伴うアクチュエータボタンまたは機械化作動ハンドル等）がアクティブ化される。上記で説明されるような制御システム１６０００は、周縁入口ポート１６２８（実施形態１０のプライミングされたトイレのような別個の隔離された周縁弁の中の周縁入口ポート、または非噴射式便器、周縁送給噴射式便器、もしくは洗い落とし式便器等の標準トイレのような周縁チャネルへの周縁入口ポートであるかどうかにかかわらず）を通したトイレ１６３０への水洗用水の導入に先立って、リザーバ１６０６から液体供給弁１６１２０または他の弁アセンブリを通した、実施形態１６００、１７００、および１８００に説明される洗浄弁内の溢流管１６１９０または他の進入点の中への洗浄剤の制御された導入のために、上記の種々の実施形態のうちの１つを開始するように本システムを動作させる。各便器の中の洗浄弁は、上記で詳細に説明されるように、洗浄サイクルが完了する前に洗浄溶液の不要な損失を引き起こす便器水洗／サイホン開始を伴わずに、便器の中への水洗用水と混合された洗浄剤の制御された放出のために、洗浄弁を開放するように、ＣＰＵ等の制御システム１６０００によって作動される。洗浄在留時間の終わりに、従来の水洗が、清潔な水洗用水の全流量を便器に放出し、洗浄サイクルからの洗浄剤／水洗用水混合物および洗浄剤によって除去された残渣を一掃するように、通常の様式で（またはプログラムされた作動を通して）作動されてもよい。
【０３４９】
異なるトイレアセンブリの異なる動作に適応するためのトイレアセンブリおよび変動する洗浄弁における変形例と同様に、本明細書の実施形態は、上記で説明されるような液体供給弁１２０の種々の修正と、ある場合には、液体供給弁における変形例と連動するため、または付加的特徴を提供するための修正されたリザーバとを使用することによって等、代替的流量制御デバイス６６ａを提供することによって変動されてもよい。以下は、種々の代替的液体供給弁の実施形態を提供する。
【０３５０】
図３７および３８を参照すると、本明細書のさらなる実施形態２００では、上記のような洗浄システムは、全ての他の点に関して上記の実施形態１０の洗浄システム１００と同一であり、同様の数字が、下記の例外を伴って、全体を通して同様の部品を示すために使用される。本実施形態は、代替リザーバおよび液体送達システムを含む。本実施形態２００では、リザーバ２０６は、相補的筐体の中に据え付けられるときにリザーバ２０６の随意の出口部分２１１内に位置するよう位置付けられる、液体供給弁２１２０を有する。液体供給弁２１２０は、弁継手２１２５を受容する、それを通る通路２１２２を画定する。弁２１２０は、定位置にあるときに、リザーバ２０６の内部空間２３１から弁体２１２６内の通路２１２２を通し、かつ継手２１２５の内部２１２８を通して洗浄剤溶液または他の流体を指向するための第１の上端２１２３を有する。そのような継手は、溢流管へ、またはトイレアセンブリの洗浄弁の中への管類タイプの供給導管もしくは別の類似供給導管経路の第１の端部７８への送給部として作用してもよい。弁２１２０はまた、継手２１２５が通過する、第２の下端２１２４も有する。
【０３５１】
実施形態２００では、（実施形態１００における弁と同一であり得る、図５に示されるような）機械化弁９１もまた、代替的流量制御デバイスとしての液体供給弁２１２０と併せた場合のように使用されてもよく、好ましくは、供給導管７９を通した、または溢流管の中への流量を制御することが可能である。制御システム２００００はまた、実施形態１０におけるアクチュエータ特徴４等のアクチュエータ特徴によってアクティブ化可能である。アクチュエータ特徴４のアクティブ化に応じて、制御システム２００００は、供給導管７９および／または溢流管１９０から、実施形態１０における上記のような便器３０の周縁入口ポート２８への流体の送達のために構成される閉鎖された洗浄弁８０の弁体１０４の内部空間１０３に液体洗浄剤溶液９の投与量を送達するために十分な第１の時間周期にわたって、上記のような機械化弁９１を動作させることによって、洗浄サイクルを開始するように適合される。制御システム２００００は、制御システム１０００に関して上記のように、プログラムされ、特徴を含んでもよい。制御システム２００００はまた、洗浄弁を開放し、上記のような第２の時間周期にわたって水洗用水とともに液体洗浄剤の投与量を導入するように、同様に上記で説明されるような液体洗浄剤の投与量を送達した後に、洗浄弁を少なくとも部分的に閉鎖するように、かつ所望される場合、第３の時間周期（保留時間）後に、洗浄弁、随意に、アセンブリの中の任意の噴射洗浄弁を再び開放し、洗浄サイクルの終わりに新しい水洗用水で便器の内部を浄化するように、洗浄弁８０を動作させる。
【０３５２】
液体供給弁２１２０は、液体供給弁の第２の端部２１２４を供給導管７９の第１の端部７８に接続するために液体供給弁２１２０の第２の端部２１２４と連通する弁継手２１２５を有してもよい。液体供給弁２１２０は、異なる弁シール２１２７を有する、本目的のために当技術分野で使用される種々の好適な弁であってもよく、例えば、シールは、アンブレラ弁、ダックビル弁、ばね荷重弁、回転弁、通気式エラストマ弁、およびフラップエラストマ弁であってもよい。示されるように、液体供給弁２１２０は、アンブレラ弁シールを有する。実施形態１００と同様に、本システムはさらに、機械化弁９１を開放するために制御システム２００００によってもアクティブ化可能な歯車ポンプおよび／または歯車モータ２３を含んでもよい。リザーバ２０６は、実施形態１０と同様に、代替リザーバ２０６および筐体１２１ならびにタンク蓋１７０の中の上部カバー９９を保持するように構成される、筐体１２１および底部トレイ９４の中に据え付けられてもよく、底部トレイ９４、筐体１２１、および蓋カバーは、上蓋または蓋挿入物が標準タンクカバーの代わりに着座し、底部トレイがトイレ洗浄弁の上方でトイレタンクの内部内に着座するように、トイレタンク６０の上に位置付けられるように構成される。トレイ９４および筐体１２１は、上記で説明されるような弁継手および形状を考慮するように当業者によって修正されてもよい。
【０３５３】
図３９−４０を参照すると、洗浄システム４００のさらなる実施形態は、エラストマ隔壁４１４０によって閉鎖される出口ポート４１９を伴う出口部分４１１を有する、本体４０７を有するリザーバ４０６を含む。隔壁４１４０は、針を通して供給導管７９の中へ流体連通を確立するよう、穿刺注入様針４１３８の形態の管が通過することを可能にする。リザーバ４０６内からの流体は、歯車ポンプ２１を経由して、周縁洗浄弁８０である洗浄弁の中へ溢流管１９０の入口を通過する。
【０３５４】
随意の通気管路７６は、リザーバ４０６の内部領域４３１中の空気を交換するようにリザーバに空気を引き込むために、通気管路７６の第２の端部８４の近傍に逆止弁８５を提供される。随意の第２の通気針４１３９が、同伴空気とともにそのような空気および／または流体をシステムに入れるために示されている。
【０３５５】
示されるような洗浄弁８０は、カムが接点４１１１に係合した後にリフトロッド４１１２を動作させるように、カム４１３７を使用して動作する。制御システム４００００は、動作が制御システム１０００と同一となり、本システムは、同様に実施形態１０のものと同一であり得る筐体の中に、制御パネル９７と、アクチュエータ４と、バッテリコンパートメント６１内のバッテリ６１ａとを含んでもよいが、シート４１４２は、出口部分４１１および関連付けられる供給導管７９ならびに通気管路７６を受容するように構成されるであろうことを理解されたい。
【０３５６】
フラッパ４１０５を機械的に持ち上げるために、別様に弁８０と同一である洗浄弁４８０の弁体４１０４の周囲に据え付けられたフラッパリフト機構４１１４に接続された連結部４１１３と連通するリフトロッド４１１２を有する、本実施形態における洗浄弁動作機構８２ａが、提供される。フラッパリフト機構４１１４は、相補的形状で弁体４１０４に巻着するように構成される（但し、そうである必要はなく、また、部分的にのみ周囲に延在し、依然として適切に機能し得る）。好ましいように、フラッパリフト機構は、作動されたときに均等な揚力を与えるよう、弁体の周囲に延在する。リフト機構の前部分４１１５は、好ましくは、フラッパ開口部領域の周囲の弁体（弁体の前部および側面）の周囲で曲線状である。示されるように、これは、フラッパの縁の直下に位置し、作動されたときにそれを捕捉してフラッパを持ち上げるために十分な縦方向への幅の略平坦部品である。フラッパリフト機構４１１４の後部分４１１６は、フラッパヒンジ４１１７の下方に着座するようにフラッパリフト機構の前部分４１１５よりもわずかに高く位置付けられるロッド４１１８を有する。フラッパリフト機構の後部分４１１６はさらに、リフトロッド４１１２によって作用されるための接触部品４１１１を有する、外側部品を有する。
【０３５７】
使用時、歯車モータ４２３が制御システムによってフラッパカバー４１０５を開放するようにアクティブ化されるとき、機構４１１４の前部分４１１５が、自然に上向きに押動され、歯車モータの中の歯車のプログラムされたタイミングと一貫した制御された様式でフラッパ４１０５を持ち上げるように、歯車モータは、リフトロッドが下向きに押動して接触部品４１１１を押動し、フラッパリフト機構４１１４の後部分４１１６を押し下げるように、枢動可能リフトロッド４１１２を旋回させる。歯車モータは、動作時に接触部を押動するように、そのシャフト上にカムまたは類似デバイスを有してもよい。フラッパリフト機構４１１４およびリフトロッド４１１２の使用は、洗浄システム４００が、本質的に水洗タンクおよびトイレの他の構成要素に繋留されず、それが補修、修理、および交換のために容易に除去されることを可能にする、システム設計を可能にする。
【０３５８】
上記のようなアセンブリは、上記の１０等の実施形態で有用な種々のリザーバ設計を有してもよい。そのようなリザーバのさらなる実施例が、ここで図４１−５６を参照して代替的弁とともに説明される。
【０３５９】
最初に図４１−４２を参照すると、上記のような洗浄システムを有し得る、さらなる実施形態７００が、全ての他の点に関して実施形態１０と同一であり、本明細書に記述されるような実施形態５００、１６００、１７００、１８００、１９００、または２４００で使用され得る、代替的リザーバおよび動作可能弁を参照して示され、同様の数字が全体を通して同様の部品を示すために使用される。本実施形態は、説明されるような代替リザーバを含む。本実施形態７００では、リザーバ７０６は、相補的筐体７１２１（上記の筐体のうちのいずれかであり得る）の中に据え付けられるときにリザーバ７０６の随意の出口部分７１１内に位置するよう位置付けられる、液体供給弁７１２０を有する。液体供給弁７１２０は、洗浄流体の放出のためにそれを通る通路７１２２を画定する。
【０３６０】
弁７１２０は、内部弁プラグ７１８０を被覆するよう位置付けられる、静止弁挿入物７１７９を有する。弁プラグは、歯車７１８６および歯車モータ７１８７によって動作される弁アクチュエータ７１８５によって、回転するように動作可能である。（本明細書に説明される他の制御システムに類似する）制御システム７００００が洗浄流体を放出するように供給弁７１２０を作動させると、モータが旋回し、プラグ７１８０上の停止部７１８１が接触されるまで、弁プラグ７１８０に係合するアクチュエータを動作させる。
【０３６１】
洗浄剤溶液が、重力送給によって、リザーバ７０６の内部空間７３１から弁７１２０内の通路７１２２を通し、かつ内部を通して供給導管の中へ指向されてもよく、供給導管は、上記のもののうちのいずれかのようであってもよく、アクチュエータ７１８５の内部７１８８を介して供給導管に流体連通するであろう。弁が本明細書では直接作動される、７００のような実施形態およびその他では、弁自体が洗浄流体の送達のための電動式流量制御デバイスとして作用するため、別個の流量制御デバイスは必要とされない。したがって、本明細書で使用されるように、「流量制御デバイス」は、実施形態７００に説明される種々の出口弁の実施形態および他の類似設計、または流量を独立して制御するための供給導管に沿って位置する別個の弁を含む、任意の機構であってもよい。
【０３６２】
他の実施形態と同様に、その中のアクチュエータ特徴のアクティブ化に応じて、制御システムは、好ましくは、便器の中への洗浄剤および水洗用水の入口と流体連通する流路に沿った場所に、例えば、供給導管に、次いで、本明細書の他の場所で記述されるような便器の周縁入口ポートまたは従来の周縁チャネル入口のいずれか、次いで、１つまたはそれを上回る周縁チャネル出口に流体を送達するために構成される、閉鎖された洗浄弁（弁８０等）の弁体の内部空間に、液体洗浄剤溶液の投与量を送達するために十分な第１の時間周期にわたって、上記のような弁７１２０を動作させることによって、洗浄サイクルを開始するように適合される。（本明細書の他の弁の実施形態と同様の）そのような弁７１２０は、洗浄弁の上方の溢流管に直接送給するよう、本明細書の好ましい実施形態のように隔離された周縁弁に、かつ便器の中への周縁入口への直接的な送給に、または従来の周縁チャネルの周縁入口に接続され、１つもしくはそれを上回る出口ポートを通って外に出ることができる。要求されるものは、リザーバの下流にあり、洗浄剤を伴う水洗用水が便器に進入するであろう点の上流にある、水洗用水経路に沿ったある点において、洗浄剤が水洗用水と合体することだけである。本実施形態７００では、弁７１２０は、便器進入に先立ったある時点で水洗用水と組み合わせるための洗浄剤を制御可能に放出することができる。
【０３６３】
制御システムは、制御システム１０００および他の実施形態に関して上記のように、プログラムされ、特徴を含んでもよい。制御システムはまた、洗浄弁を開放し、上記のような第２の時間周期にわたって水洗用水とともに液体洗浄剤の投与量を導入するように、同様に上記で説明されるような液体洗浄剤の投与量を送達した後に、洗浄弁を少なくとも部分的に閉鎖するように、かつ所望される場合、第３の時間周期（保留時間）後に、洗浄弁、随意に、アセンブリの中の任意の噴射洗浄弁を再び開放し、洗浄サイクルの終わりに新しい水洗用水で便器の内部を浄化するように、洗浄弁８０を動作させる。
【０３６４】
液体供給弁７１２０は、液体供給弁７１２０を供給導管の第１の端部に接続するようにアクチュエータ通路を有する（所望される場合、他の継手も有してもよい）。実施形態１０、２００と同様に、本システムはさらに、機械化弁様弁９１を開放するために制御システムによってもアクティブ化可能な歯車ポンプ２１および／または歯車モータ２３を含んでもよい、もしくは上記の実施形態１０で説明されるようなリフトアーム作動システムとともに動作するように構成されてもよい。リザーバ７０６は、代替リザーバ７０６を保持するように実施形態１０のように構成される筐体および／または底部トレイ（もしくは実施形態６００のような蓋および筐体）の中に据え付けられてもよい。弁およびリザーバ７０６はまた、本明細書に説明される通気チャネル、開口部、または通気機構のうちの１つまたはそれを上回るものを組み込んでもよいが、通気孔は、図４１−４２に示されていない。
【０３６５】
図４３−４４を参照すると、さらなる実施形態８００が部分的に示され、同様の部品が類似する、以下で議論されるような実施形態１０、５００、１６００、１７００、１８００、１９００、または２４００に類似する、もしくはそれで使用されるが、代替的リザーバ８０６および代替的弁８１２０を提供する、これは、他の点に関して、記述される他の実施形態におけるアセンブリと同一となり、同様の数字が全体を通して同様の部品を示すために使用されるであろう。本実施形態８００では、リザーバ８０６は、相補的筐体８１２１の中に据え付けられるときにリザーバ８０６の随意の出口部分８１１内に位置するよう位置付けられる、液体供給弁８１２０を有する。液体供給弁８１２０は、定位置にあるときに、リザーバ８０６の内部空間８３１から弁８１２０を通し、実施形態１０で説明されるもの等の供給導管の第１の端部と流体連通するアクチュエータ８１８５の内部８１８８の中へ、かつそれを通して、洗浄剤溶液または他の流体を指向する。
【０３６６】
動作時、弁８１２０は、エラストマ弁８１８９と、弁体８１９０とを含む。エラストマ弁は、外側リング８１８９ａと、中心エラストマプラグ８１８９ｂとを有する。リング８１８９ａは、その間の開口部８１８９ｄを通過して退出する一連のリブ８１８９ｃによってプラグ８１８９ｂに接続される。ねじ山８１９２ａを有するねじピン８１９２を有する、モータ８１９７が、噛合ねじ山８１９５ａを有する、ねじ受容孔８１９５内で旋回する。ねじが旋回すると、枢動アーム８１９３がアクチュエータ８１８５に係合し、そのプランジャ８１９４を弁体８１９０内の通路８１２２に押し込んでエラストマ弁８１８９に係合し、エラストマ弁８１８９のプラグ８１８９ｂを押し上げる。プラグがもはや通路８１２２の中の弁体８１９０内でしっかりと据え付けられなくなるとき、洗浄剤が空間８１８９ｄ内のエラストマ弁リブ８１８９ｃの間で流動するために、間隙が弁体とエラストマ弁との間に開放される。
【０３６７】
本実施形態では、機械化弁９１（前の実施形態に示される）もまた、随意に、付加的流量制御デバイスとして使用されてもよく、該当する場合、好ましくは、供給導管を通る流量を制御するために使用される。制御システムは、本明細書の他の場所で説明されるようなアクチュエータ特徴によってアクティブ化可能であり得る。アクチュエータ特徴のアクティブ化に応じて、制御システムは、供給導管から、上記のような便器の周縁入口ポートへの流体の送達のために構成される閉鎖された洗浄弁の弁体の内部空間に液体洗浄剤溶液の投与量を送達するために十分な第１の時間周期にわたって、上記のような弁８１２０と併せて本明細書に説明されるような機械化弁９１またはモータを動作させることによって、洗浄サイクルを開始するように適合される。制御システムは、制御システム１０００に関して上記のように、プログラムされ、特徴を含んでもよい。制御システムはまた、洗浄弁を開放し、上記のような第２の時間周期にわたって水洗用水とともに液体洗浄剤の投与量を導入するように、同様に上記で説明されるような液体洗浄剤の投与量を送達した後に、洗浄弁を少なくとも部分的に閉鎖するように、かつ所望される場合、第３の時間周期（保留時間）後に、洗浄弁、随意に、アセンブリの中の任意の噴射洗浄弁を再び開放し、洗浄サイクルの終わりに新しい水洗用水で便器の内部を浄化するように、洗浄弁を動作させるであろう。
【０３６８】
アクチュエータを有する液体供給弁８１２０は、アクチュエータ通路８１８８を通して供給導管に流体連通するよう嵌合されてもよい。エラストマ弁構成も修正されてもよい。リザーバ８０６は、本明細書に説明される任意の筐体の中に据え付けられてもよい。
【０３６９】
また、示されるように、本実施形態８００では、随意の通気アセンブリ８１９６が、提供される。通気アセンブリ８１９６は、挿入物８１９８内の開口部８１９９が、開放位置で、組み立てられたときにキャップ８１９７と挿入物８１９８との間に形成されるチャネル８２００と整合されるであろうように、挿入物８１９８内に嵌合する４分の１旋回キャップ８１９７を有する。別様に、本明細書のタンク用の他のカバーおよび挿入物のようであり得る、カバー８０９９は、キャップに干渉し、好ましくは、空気取入および開放位置に位置付けられるようにキャップに係合する、下垂ピン８２０１を有するように構成されてもよい。開放しているとき、リザーバが空になり、液体が弁８１２０を通って下向きに流動するにつれて、空気がチャネルを通して内向きに引動される。通気口アセンブリ８１９６は、リザーバ８０６の中に提供される入口開口部８２０２内に据え付けられてもよい。代替的な内向きに成形された部分８２０３もまた、交換用リザーバの貯蔵および輸送のためのスタッキング特徴を提供するように、リザーバの下部分に形成されてもよい。換気アセンブリ８１９６および成形部分８２０３等の他の特徴も、提供される任意の既存の通気管路に加えて、またはその代わりに、本明細書の任意の他のリザーバアセンブリに提供され得ることを理解されたい。
【０３７０】
図４５−４６を参照すると、実施形態８００のように、実施形態７００および８００とともに使用するために記述される、種々の実施形態で使用するための代替的リザーバ９０６および代替的弁９１２０を導入する、さらに別の実施形態９００が示されている。本実施形態では、弁９１２０は、弁８１２０と同じであるため、本明細書でさらに説明されない。アセンブリはまた、他の点に関して、本明細書に記述されるような実施形態１０、５００、１６００、１７００、１８００、１９００、または２４００と同一であり、同様の数字が全体を通して同様の部品を示すために使用される。本実施形態９００では、リザーバ９０６は、相補的筐体９１２１の中に据え付けられるときにリザーバ９０６の随意の出口部分９１１内に位置するよう位置付けられる、液体供給弁９１２０を有する。液体供給弁９１２０は、定位置にあるときに、リザーバ９０６の内部空間９３１から弁９１２０を通し、実施形態１０で説明されるもの等の供給導管の第１の端部と流体連通するアクチュエータ９１８５の内部９１８８の中へ、かつそれを通して、洗浄剤溶液または他の流体を指向する。
【０３７１】
動作時、弁９１２０は、弁８１２０の中のもののようであるため、本明細書でさらに説明されない、エラストマ弁９１８９と、弁体９１９０とを含む。モータ９１８７は、歯車開口部９２０５を画定する、ねじ山付き内部歯車表面９２０４を有する、歯車８１８６を動作させる。モータが動作し、歯車が旋回すると、内部ねじ山付き歯車表面９２０４が、アクチュエータ９１８５上の噛合ねじ山９２０６に沿って旋回する。アクチュエータ９１８５のプランジャ９１９４は、次いで、実施形態８００におけるプランジャ８１９４に関して上記で説明されるものと同様に、エラストマ弁９１８９に係合する。これは、プランジャ９１９４を弁体９１９０の中の通路９１２２に押し込んでエラストマ弁９１８９に係合し、それを上向きに押動して、洗浄剤がエラストマ弁リブの間で流動するために、弁体９１９０とエラストマ弁９１８９との間に間隙を開放する。他の点に関して、実施形態９００における弁は、それが使用される洗浄システムのように、実施形態８００における弁と同様に動作する。
【０３７２】
アクチュエータを有する液体供給弁９１２０は、アクチュエータ通路９１８８を通して供給導管に流体連通するよう嵌合されてもよい。エラストマ弁構成も、修正されてもよい。リザーバ９０６は、本明細書に説明される任意の筐体の中に据え付けられてもよい。
【０３７３】
また、示されるように、本実施形態９００では、代替的な随意の通気アセンブリ９２０７が、提供される。通気アセンブリ９２０７は、リザーバ内の挿入物開口部９２０２内に嵌合する通気キャップ９２０８を有する。別様に、本明細書ではタンク用の他のカバーおよび挿入物のようであり得る、カバー９０９９は、キャップに干渉し、好ましくは、位置付けられて据え付けられるようにキャップに係合する、実施形態８００のもののような下垂ピン９２０１を有するように構成されてもよい。リザーバが据え付けられるとき、箔９２１１が通気キャップ９２０８を覆って位置付けられる。弁が動作し、回転歯車９１８６が弁アクチュエータ９１８５をアクティブ化するとき、弁が開放され、流体が下向きに引き寄せられるように、ロッド９２０９の穿刺点空気が上向きに押動される。ロッドによる箔の穿刺は、通気のためにリザーバの中への空気取入を可能にする。蓋９０９９はまた、カバー上の随意の穿刺下垂ピン９２１０と嵌合されることによって、ロッド９２０９等のロッドの代わりに作用するように構成されてもよい。したがって、カバー９０９９が定位置に置かれるとき、ピン９２１０は、代替オプションとして箔を穿刺することができる。随意の箔および穿刺特徴ならびに代替弁作動特徴を伴う通気アセンブリ９２０７も、提供される任意の既存の通気管路に加えて、またはその代わりに、本明細書の任意の他のリザーバアセンブリに提供され得ることを理解されたい。
【０３７４】
図４７−４８を参照すると、その上さらなる代替的リザーバ１２０６および代替的弁１２１２０を導入する、概して、本明細書では１２００と称される、さらなる実施形態が示されている。これは、他の点に関して、実施形態１０、５００、１６００、１７００、１８００、１９００、または２４００と同一となり、同様の数字が全体を通して同様の部品を示すために使用されるであろう。本実施形態１２００では、リザーバ２１０６は、相補的筐体１２１２１の中に据え付けられるときにリザーバ１２０６の随意の出口部分１２１１内に位置するよう位置付けられる、液体供給弁１２１２０を有する。液体供給弁１２１２０は、定位置にあるときに、リザーバ１２０６の内部空間１２３１から弁１２１２０を通し、実施形態１００で説明されるもの等の供給導管の第１の端部と流体連通するアクチュエータ１２１８５の内部１２１８８の中へ、かつそれを通して、洗浄剤溶液または他の流体を指向する。
【０３７５】
動作時、弁１２１２０は、フラップ弁であり、フラップエラストマ１２２１２と、フラップ弁体１２２１３とを含む。フラップ弁体は、より剛性の材料で形成され、図４８のように開放位置にあるときに、フラップエラストマ１２２１２内の開口部１２２１５を通って押動する、上向きに延在するピン２１２１４を有する。フラップエラストマ弁は、次いで、本体を通してフラップの周囲に流体流を可能にするように上向きに屈曲する。歯車が枢動アーム１２２１６上の係合ねじ山１２２１９に沿って移動するにつれて平歯車１２２１７にさらに係合する、ウォーム歯車２１２１８に係合するモータ１２１８７は、枢動アームにその上のアクチュエータ１２１８５を上向きに押動させ、フラップエラストマを押し上げることによって弁を開放させる。
【０３７６】
全ての他の点に関して、実施形態１２００は、本明細書の実施形態１０、５００、１６００、１７００、１８００、１９００、または２４００における他の洗浄システムと同一であり得、リザーバおよび弁設計は、単純である。実施形態８００および９００において本明細書で、ならびに本明細書の他の場所で説明される他のリザーバの通気アセンブリおよび成形部分、箔等が、システムの本説明される弁およびリザーバ部分を提供され得ることを理解されたい。
【０３７７】
図４９−５０を参照すると、付加的な代替的リザーバ１３０６および弁１３１２０を提供する、さらに別の実施形態１３００が示されている。本実施形態では、弁１３１２０は、その弁体１３２２０を除いて、弁８１２０と同じである。弁体１３２２０は、エラストマ弁１３１８９に係合し、それをより良好に据え付けることができる、複数の上向きスナッピングアーム１３２２１を伴う、わずかに異なるスナップ式係合特徴を含む。アセンブリの中の洗浄システムおよびトイレは、他の点に関して、本明細書の実施形態１０、５００、１６００、１７００、１８００、または１９００におけるもののうちのいずれかと同一であり、同様の数字が全体を通して同様の部品を示すために使用される。本実施形態１３００では、リザーバ１３０６は、相補的筐体１３１２１の中に据え付けられるときにリザーバ１３０６の随意の出口部分１３１１内に位置するよう位置付けられる、液体供給弁１３１２０を有する。液体供給弁１３１２０は、定位置にあるときに、リザーバ１３０６の内部空間１３３１から弁１３１２０を通し、実施形態１０で説明されるもの等の供給導管の第１の端部と流体連通するアクチュエータ１３１８５の内部１３１８８の中へ、かつそれを通して、洗浄剤溶液または他の流体を指向する。
【０３７８】
動作時、弁１３１２０は、エラストマ弁１３１８９と、弁体１３２２０とを含み、エラストマ弁は、実施形態８００および９００のもののようである。モータ１３１８７は、ねじ山付き歯車表面を有する、ウォーム歯車１３２２０を動作させる。モータが動作し、歯車が枢動アーム１３２２３のねじ山付き係合表面１３２２４に係合し、それに沿って移動すると、次いで、実施形態８００におけるプランジャ８１９４に関して上記で説明されるものと同様に、エラストマ弁１３１８９の中へ枢動アーム駆動プランジャ１３１９４を上向きに押動する。これは、プランジャ１３１９４を弁体１３２２０の中の通路１３１２２に押し込んでエラストマ弁１３１８９に係合し、それを上向きに押動して、洗浄剤がエラストマ弁リブの間で流動するために、弁体１３２２０とエラストマ弁１３１８９との間に間隙を開放する。他の点に関して、実施形態８００および９００における弁は、それとともに実施形態１３００が使用される洗浄システムのように、実施形態１３００における弁と同様に動作する。
【０３７９】
アクチュエータを有する液体供給弁１３１２０は、アクチュエータ通路１３１８８を通して供給導管に流体連通するよう嵌合されてもよい。エラストマ弁構成も、修正されてもよい。リザーバ１３０６は、本明細書に説明される任意の筐体の中に据え付けられてもよい。
【０３８０】
また、示されるように、本実施形態１３００では、さらなる代替的な随意の通気アセンブリ１３２２５が、提供される。通気アセンブリ１３２２５は、通気アセンブリエラストマ弁１３２２７を据え付けるように、アームを伴う弁体１３２２０と同様に成形される通気アセンブリ弁体１３２２６を有する。本アセンブリ１３２２５は、リザーバ１３０６内の入口開口部１３２０２内に嵌合する。別様に、本明細書のタンク用の他のカバーおよび挿入物のようであり得る、カバー１３９９は、キャップに干渉し、好ましくは、位置付けられて据え付けられるようにキャップに係合する、実施形態８００のもののような下垂ピン１３２０１を有するように構成されてもよい。蓋１３９９もまた、カバー上に随意の穿刺下垂ピン１３２１０を有するように構成されてもよい。したがって、カバー１３９９が定位置に置かれるとき、ピン１３２１０は、リザーバの中への空気取入を可能にするように、通気アセンブリエラストマ弁１３２２６を押し開けることができる。通気アセンブリ１３２２５ならびに代替弁作動特徴も、提供される任意の既存の通気管路に加えて、またはその代わりに、本明細書の任意の他のリザーバアセンブリに提供され得ることを理解されたい。
【０３８１】
図５１−５２を参照すると、さらなる代替的リザーバ１４０６および弁１４１２０を伴うさらに別の実施形態１４００が示されている。本実施形態では、弁１４１２０は、弁１３１２０と同じであるため、本明細書でさらに説明されない。アセンブリおよび洗浄システムは、全ての他の点に関して、本本明細書の実施形態１０、５００、１６００、１７００、１８００、１９００、または２４００のようであり得、同様の数字が全体を通して同様の部品を示すために使用される。本実施形態１４００では、リザーバ１４０６は、相補的筐体１４１２１の中に据え付けられるときにリザーバ１４０６の随意の出口部分１４１１内に位置するよう位置付けられる、液体供給弁１４１２０を有する。液体供給弁１４１２０は、定位置にあるときに、リザーバ１４０６の内部空間１４３１から弁１４１２０を通して洗浄剤溶液または他の流体を指向する。本明細書の他の実施形態と異なり、筐体は、係合されたときに、空気が、取入管１４２２８内に形成された通路１４２２９を通り、エラストマ弁１４１８９内のリブの間の開口部の中へ、かつそれを通って内向きに流動することを可能にする、第１の空気取入管１４２２８を有するよう嵌合される。リザーバから流出する洗浄剤溶液は、エラストマ弁１４１８９内のリブを通って流体流出管１４２３０内の流体通路１４２３１に流入する。シート内の静止管は、リザーバが据え付けられるときに弁に係合する。他の換気孔は必要とされないが、上記のような随意の付加的通気口および他のリザーバ特徴が、提供されてもよい。
【０３８２】
流体流は、実施形態１０に関して説明されるような歯車ポンプまたは歯車モータの使用によって係合されてもよい。流体流管１４２３０は、供給導管と流体連通するように構成される。エラストマ弁構成も、修正されてもよい。リザーバ１４０６は、その中に形成された管１４２３０および１４２２８を有するという前提で、本明細書に説明される任意の筐体の中に据え付けられてもよい。
【０３８３】
図５３−５４は、本明細書の１０、５００、１６００、１７００、１８００、１９００、または２４００のアセンブリおよび洗浄システム等の実施形態で使用するためのさらなる流体供給弁の実施形態１５００を示す。本実施形態では、弁１５１２０は、実施形態１４００のように空気入口および液体出口流のための管を有して動作するが、管は、実施形態１４００とはわずかに異なって形成されて位置付けられる。弁１５１２０は、弁体１５２３２と、その中の通路１５１２２内の本体内の位置のための弁ステムと、密閉係合のためのＯリング１５２３３と、弁を開閉するためのステムの上下の移動のためのばね１５２３５とを伴う単純なばね荷重Ｏリング弁である。洗浄システムはまた、他の点に関して、上記のようなシステム１００または６００と同一であり、同様の数字が全体を通して同様の部品を示すために使用される。動作時、これは、別様に実施形態１４００のようである。本明細書に説明される他の通気孔および特徴もまた、本実施形態で採用されてもよい。
【０３８４】
便器用の洗浄システム用のリザーバおよび液体供給弁のさらなる実施形態が、図５５−５６で見られ得る。概して、本明細書では３００と称される、本実施形態は、他の点に関して、投与チャンバ３１２９と連通する代替的リザーバ３０６が提供されることを除いて、実施形態１０と同一である。リザーバ３０６は、他のリザーバに関して記述されるように液体洗浄剤を保持するが、充填弁からより遠隔にあるタンクの側面上の付加的空間を利用して、付加的投与チャンバとともにタンク空間内に嵌合するように、代替形状（ここでは横断面で略円形として示される）を有してもよい。リザーバ３０６は、内部空間３３１を画定する本体３０７を有する。リザーバ本体３０７は、出口ポート３１９を有し、示されるように、出口ポート３１９は、リザーバ３０６の底面３５１から延在する随意の出口部分３１１の中にある。出口ポート３１９は、リザーバ本体３０７の内部空間３３１と、第１の機械化弁３９１への入口と流体連通する。機械化弁３９１は、実施形態１０および本明細書の他の実施形態における機械化弁のようであり得る。しかしながら、本弁３９１は、供給導管と並ぶ代わりに、出口ポート３１９を投与チャンバ３１２９の入口３１３０に接続するように位置付けられる。示されるように、弁３９１は、ばね荷重弁である。
【０３８５】
投与チャンバ３１２９は、好ましくは、リザーバ３０６からの液体洗浄剤の所望の投与量を留保するように構成および定寸される。投与チャンバ３１２９は、内部空間３１３１を画定する。投与チャンバはさらに、投与チャンバの下流端上に出口ポート３１３２を有する。投与チャンバ３１２９の入口ポート３１３０は、第１の機械化弁３９１の出口ポート３１３３と流体連通する。投与チャンバ３１２９の出口ポート３１３２は、第２の機械化弁３１３５の入口３１３４と流体連通する。第２の機械化弁３１３５の出口３１３６は、供給導管７９の第１の端部と流体連通する。供給導管７９は、別様に実施形態１０および本明細書の他の実施形態の供給導管と同様に機能してもよい。
【０３８６】
実施形態３００はまた、代替リザーバ３０６および投与チャンバ３１２９を受容するように構成されるシート部分を有する、筐体も有する。シート部分は、リザーバの底部部分から延設する、前の実施形態の様式における通気管路と流体連通する第１の開口部を有するように、また、供給導管の第１の端部を受容するための第２の開口部を有するように構成されるよう、修正される必要があろう。通気管路は、リザーバから同伴空気および／または液体を受容するように位置する第１の端部と、リザーバ内の全液面の高さの少なくとも上方に位置する第２の開放端とを有するように、前の実施形態のように構成されるであろう。第１および第２の機械化弁３９１、３１３５は、それぞれ、投与チャンバの中および外、ならびに供給導管の中への流量を制御するようプログラムされる、本実施形態における制御システム３００００によって動作されるであろう。投与チャンバの目的は、作動のタイミングに依拠することとは対照的に、投与量の精密な測定を確実にするために弁の動作を使用することであろう。
【０３８７】
洗浄システム３００はまた、本明細書に説明されるようなリフトロッドおよび関連付けられるリフトロッド機構を動作させるように稼働することができる、図３９−４０の実施形態に示されるようなカム３１３７とともに、第１および第２の機械化弁を動作させるために制御システムによってアクティブ化可能な歯車モータ３２３を含んでもよい、または歯車モータは、単純に、洗浄弁カバーを開放するように洗浄弁を持ち上げる、代替的リフト作動機構を用いて、溢流管および／または供給導管への流体の周期的供給のために投与チャンバを動作させることができる。
【０３８８】
システム３００の好ましい配列では、チャンバの重力流側面に起因して、付加的管類を必要とすることなく、例えば、漏斗および／または溢流管の上部の中への洗浄流体のより良好な流動ならびに装填を提供するように、筐体を通した横断面に対してある角度で、リザーバ３０６および投与チャンバ３１２６を整合させることが望ましくあり得る。
【０３８９】
リザーバ設計を促進する蓋カバーとともに、リザーバならびに投与チャンバを保持するように具体的に構成される、筐体およびトレイもまた、他の実施形態のような部品を有して提供されてもよいが、投与チャンバおよび代替リザーバのためにサイズおよび形状を特別に適合されてもよい。底部トレイおよび蓋カバーは、依然として、タンク蓋が従来のタンクカバーの代わりに着座し、底部トレイがトイレ洗浄弁の上方でトイレタンクの内部内にあるように、トイレタンクの上にタンク蓋として位置付けられるように構成されるであろうが、タンク蓋のトレイは、低く垂れ下がっている投与チャンバが、より多くの利用可能な空間を提供するよう、充填弁から離れたタンクの側面に位置付けられるように位置付けられてもよい。
【０３９０】
本明細書のアセンブリのさらなる実施形態１９００では、実施形態１０、５００のものに類似するが、本明細書に説明されるようないくつかの修正を伴う、機械化水洗ハンドルアクチュエータのさらなる実施形態が、実施形態１０のものに類似する好ましい修正されたタンクとともに採用される。水洗ハンドルアクチュエータは、内部動作要素の大部分が、タンク内に着座するように構成され、リザーバ筐体内の開口部の中に搭載する、アクチュエータ筐体内にあるように動作する。これは、動作安定性を提供し、稼働部品を保護し、動作および保守の容易性を改良する。したがって、アセンブリトレイは、本特徴に適応するように修正される。さらに、そのような実施形態１９００（または上記のような他の実施形態）では、実施形態は、実施形態１０、２００、３００、４００、５００、７００、８００、９００、１２００、１３００、１４００、１５００、もしくは２４００において本明細書に記述される種々のリザーバ設計のうちのいずれかを含んでもよい、または本明細書に説明されるような（実施形態７００のものに類似する）管アクチュエータを有する、修正されたリザーバを組み込んでもよい。これはまた、好ましい、かつ実施形態１０に説明されるプライミングされたトイレ以外の他のタイプのトイレアセンブリと連動するように、実施形態１６００、１７００、および１８００の洗浄弁を使用して適合されてもよい。
【０３９１】
実施形態５００と同様に、図５７−６９は、上記のような実施形態１９００を対象とする。本実施形態は、洗浄システムを作動させるように単純な様式で、より少ない稼働部品とともに機能し、また、有利なこととして、アクティブ化機構が、例えば、ケーブル、ワイヤ等によってトイレタンクの本体に結合されていないカバーユニットの中で維持されることを可能にする。これは、実施形態１０と同様にトイレタンクからの洗浄システムの容易な除去を可能にし、修理または保守のために他のタンク構成要素へのアクセスを促進する。本実施形態では、図５７を参照すると、本明細書の他の場所で説明されるような便器、好ましくは、実施形態１０に関して説明されるようなトイレの上に着座するために構成される、タンク１９０６が示されている。これは、好ましくは、同様に分解形態で示される洗浄システム部品とともに、分解形態でアセンブリ１９００の一部として示されるようなタンク裏張１９１６９を有する（タンクおよび便器は示されていないが、好ましくは、実施形態１０のタンクおよび便器である）。本実施形態１９００は、（図６２で最も良く示されるように）リフトアームアクチュエータアセンブリ１９２８５の形態でさらなる代替的リフト機構を提供する。
【０３９２】
リフトアームアクチュエータアセンブリ１９２８５は、水洗アクチュエータハンドル１９０２から独立して動作するように適合される。すなわち、通常水洗モードが可能にされるとき、水洗アクチュエータハンドルは、トイレの中の１つまたは複数の弁を開放するようにリフトアームに係合するが、洗浄システムが係合され、制御システムがアクティブ化されるとき、ハンドルは、リフトアーム機構とともに動作または移動せず、代わりに、以下で説明されるように独立して動作されるであろう。リフトアームアクチュエータアセンブリ１９２８５は、水洗アクチュエータハンドル１９０２が第１の標準モードで動作し、標準動作のために図５７に示される洗浄弁１９８０等の洗浄弁を開放するための枢動ロッドまたは他の水洗リフト機構と単純に連動すること、または第２の洗浄サイクルモードで動作することを可能にする特徴を伴って適合される。
【０３９３】
アセンブリ１９２８５は、所望に応じて弁（好ましい実施形態における周縁および噴射弁、または実施形態１６００、１７００、および１８００に説明されるような標準トイレを使用する場合、少なくとも１つの洗浄弁）を動作させるように、標準水洗リフト機構（本明細書の他の場所に説明されるような枢動ロッドまたは連結アセンブリ）に接続される、および／または係合することができる、リフトアーム１９２８６を含む。洗浄サイクルモードであるとき、アセンブリ１９２８５は、周縁洗浄弁（実施形態１０に示される弁８０に別様に類似する弁１９８０等）を持ち上げるであろう。本部分は、アセンブリ１０の中で上記のように動作し、そのリフトアーム１９２８６は、アセンブリ１９２８５によって直接係合されることができる。
【０３９４】
リフトアーム１９２８６は、アクチュエータ歯車１９２８９上のさらなる係合延在部１９２８８に係合する、（変動する形状を有してもよく、ここでは角度付きのタブとして示されている）図５９で最も良く見られるような延在部１９２８７を有する。アクチュエータ歯車は、筐体１９２９０の外部の上に位置付けられる。筐体は、上記のポリマーまたは他の材料のうちのいずれかで成形されてもよく、単一の部品もしくは複数の取付可能／取外可能部品であってもよい。内部の部品への容易なアクセスがシステムの保守において所望される場合に、筐体がある様式で取外可能であることが好ましい。
【０３９５】
筐体１９２９０は、（配設されたときに便器の前部に対面するであろう）リフト歯車およびその関連部品として動作する、アクチュエータ歯車１９２８９用の基部を受容し、かつ基部であるように構成されるアクチュエータ側１９２９１と、反対側１９２９２または後向き側とを有する、２部品筐体（図６２参照）である。そのような部品は、示されるような噛合縁１９２９６を有し得る、他の噛合特徴を使用してともにスナップ留めされ得る、または螺入され得る、もしくは別様にともに嵌合され得る。示されるように、締結具１９２９８を噛合するための締結具孔１９２９７もある。筐体は、組み立てられたときにリザーバ筐体１９１２１の下方に着座するトレイ１９９４内の開口部１９２９３を通って上向きに、電源としてのバッテリを受容するように定寸される任意のタイプのバッテリトレイであり得る、バッテリ受容ウェル１９６１の前に延在し、また、図５７に示されるように、タンク蓋１９２９５内の対応する開口部１９２９４を通って上向きに延在する。
【０３９６】
リフトアーム延在部１９２８７および係合延在部１９２８８が接触すると、リフトアーム１９２８６は、（洗浄弁のフラッパの持ち上げを動作させるように本明細書の他の場所で説明されるように構成されることができる）洗浄弁用の開放機構を動作させるように作動される。
【０３９７】
洗浄サイクル中に、（上記の実施形態１０、２００、３００、４００等のコントローラと同様にプログラムされ得る）コントローラ１９０００は、リフトアームアクチュエータアセンブリ１９２８５の中の歯車モータ１９１４８に係合する。アクチュエータアセンブリ歯車モータ１９１４８は、したがって、好ましくは、コントローラと電子通信する。示されるような歯車モータ１９１４８は、筐体１９２９０の中に位置付けられ、したがって、動作中に乾燥した状態で保たれ、保護される。歯車モータおよび関連付けられる制限スイッチ１９１５３は、したがって、搭載フランジ１９２９９を通してトレイ１９９４に固着されることができる、筐体１９２９０の中に位置付けられる。搭載フランジは、搭載フランジを通って縦方向に延在する、少なくとも１つの締結具開口部１９３００を有する（示されるように、フランジのいずれか一方の端部上に１つ、２つのそのような開口部があるが、数は設計に応じて変動してもよい）。さらなる好ましくはより大きい開口部１９３００もまた、搭載フランジを通って縦方向に延在し、好ましくは、噛合および安定した係合で、好ましくは、筐体１９２９０を受容するように構成される。締結具１９３０２は、それぞれ、その中に締結具受容開口部１９３０５を有する、トレイ１９９４の上向きに延在する部分１９３０４の中へ下向きに緊締され、その部分１９３０４は、搭載フランジ１９２９９をトレイの上面１９３０３に固着するように搭載フランジ１９２９９の締結具開口部１９３００内に嵌合する。
【０３９８】
トレイ１９９４は、付加的安定性のために開口部１９２９４を通して筐体１９２９０を受容するように構成される、修正されたタンク蓋１９２９５の上に着座する。蓋１９２９５は、以下で説明されるような供給弁歯車モータを収納するトレイ１９９４の下部分、およびリザーバ筐体１９１２１の中のリザーバシート１９５７を両方とも受容するために、陥凹１９３０７も有する、上面１９３０６を有する。
【０３９９】
動作時、ピニオン歯車１９３０８は、筐体１９２９０上に搭載される、下向きに位置付けられたアクチュエータ歯車１９２８９に係合する。アクチュエータ歯車１９２８９が旋回するとき、これは、リフトアーム１９２８６の延在部１９２８７がアクチュエータ歯車１９２８９の係合延在部１９２８８に接触し、次いで、洗浄弁を開放するようにリフトアーム１９１８６の移動を限定するであろうという点で、始動装置レバーとしてアクチュエータリフトアーム１９２８６を動作させるよう位置付けられる。
【０４００】
動作時、コントローラは、ピニオン歯車１９３０８を動作させる歯車モータ１９１４８をアクティブ化する。ピニオン歯車１９２０８は、アクチュエータ歯車１９２８９に係合し、それを移動させる。リフトアームは、アクチュエータ歯車係合延在部１９２８８が、動作を停止させるリフトアーム１９２８６上の延在部１９２８７に対して押動するまで、弁機構を動作させるであろう。制限スイッチ１９１５３もまた、所望の位置でリフトアームを停止させるために利用されることができる。隔離された周縁および噴射チャネルを組み込むトイレ設計における好ましい実施形態では、リフトアームは、好ましくは、周縁洗浄弁を開放するために十分に高いが、噴射洗浄弁を開放するためには不十分に高い位置まで移動される。リフトアームは、したがって、カバーを制御可能に持ち上げて洗浄サイクルのために洗浄弁を開放するように、周縁洗浄弁と直接接続して、または接続もしくは連結機構を通してのいずれかで、動作することができる。
【０４０１】
コントローラが歯車モータをオフにするとき、作用が停止し、歯車モータの制御された動作によって逆転されることができる。通常水洗サイクルでは、歯車モータが動作していないとき、リフトアームは、次いで、リフトアーム延在部に接触しないよう位置付けられたままであろう、アクチュエータ歯車に係合するように移動することなく、通常水洗機構を動作させるであろう。したがって、洗浄サイクルでは、歯車モータが機構をその元の位置に戻すとき、ハンドル１９０２は、標準水洗モードで動作するであろう。通常水洗モードでは、ハンドル１９０２は、スタッド１９３２４と相互作用する内部リブ１９１４１を有する。
【０４０２】
ハンドルはまた、図６２に示されるように、作動歯車の中心マウントに係合するためのねじ鍋頭１９３２３を有し得る、水洗ハンドル車軸１９３２２を受容するための開口部１９３２１も有する。スタッド１９３２４は、使用時にハンドルに対してねじりばね（または類似捻転機構）１９３２５を圧縮する。ナット１９１５５または類似締結機構が、スタッドによるばねの圧縮のために、ハンドル１９０２に対してスタッド１３３２４を固着することができる。
【０４０３】
トイレアセンブリは、したがって、実施形態１０のタンク、または示される好ましいタンクと、タンク６０等のタンクの上に据え付けられるように構成される上面１９３０６を有する、上記で説明されるような修正された蓋１９２９５とを含んでもよい。タンク蓋の上面１９３０６は、リザーバ筐体１９１２１およびトレイ１９９４の両方を受容するように構成され、下向きに下垂するとトレイ１９９４およびリザーバ筐体１９１２１を受容するように構成される陥凹開口部１９３０７を含む。蓋１９２９５は、好ましくは、（実施形態１０に類似する）ロック機構１９１６４を有する。実施形態１９００に示されるように、蓋は、少なくとも１つの開口部１９１７８を有し、本明細書に示されるように、少なくとも２つのそのような開口部を有する。類似開口部１９３０９は、ロックを受容するために、トレイ１９９４を通して、かつトレイ延在部１９３１０を通して提供される。付加的ロック開口部１９３１１もリザーバ筐体１９１２１の中に提供される。ロック機構（１つまたはそれを上回る）の中の部品またはロックの数は、蓋が安定しているという前提で変動してもよい。そのようなロック機構は、随意であるが、安全およびセキュリティ、ならびに歯車および洗浄システムの円滑な動作のために有利である。開口部１９１７８は、蓋１９２９５を通って延在する。それらは、示されるもの等のロック機構を受容するために成形、定寸、および別様に構成される（但し、開口部は、他のより様々な設計に適応するように変動してもよい）。
【０４０４】
示される実施形態におけるロック機構（図５７参照）は、本明細書に示されるように、少なくとも１つの延在締結具１９３１２、好ましくは、上記の種々の開口部を通って延在するための螺入可能または旋回可能ヘッド１９３１２ａと、噛合係止特徴に係合するように種々の方法で構成され得る第２の係止端１９３１２ｂとをそれぞれ有する、少なくとも２つまたはそれを上回る締結具を含んでもよい。示されるように、スナップ端１９３１２ｂが、迅速ロック固着内に嵌合する。スナップワッシャアセンブリ１９３１４が、プッシュナットおよびワッシャまたは類似特徴を有して提供されてもよい。圧縮ばね１９３１３が、締結具１９３１２を調節可能に係止するために提供されてもよい。そのようなロック特徴は、次いで、実施形態１０のタンク６０等のトイレタンクの中に配置されることができる、ライナ１９１６９内の受容管１９１６８内に嵌合する。他のロック機構が、使用され得る（ロッドロック、係止ロッドのねじ山付き端部に係合する内部ねじ山を伴うキャップ上のねじ、他のスナップ嵌合係合および同等物等）。
【０４０５】
リザーバ筐体、トレイ、およびタンク蓋が統合されると、それらは、タンクの内部がアクセスされる必要がある任意の時間に、タンクのライナからアセンブリを係止解除した後に、１つのアセンブリとして保守のために容易に除去される。タンク蓋１９２９５は、トイレもしくはそのタンクのように陶磁器で形成されてもよい、または成形された複合材料もしくは成形された熱可塑性または熱硬化性ポリマー等のポリマー材料で形成されてもよい。タンクはさらに、清潔な外観のために蓋１９２９５およびリザーバ筐体１９１２１を覆って据え付けられ、その上に位置付けられるが、リザーバの交換または補充のために容易なアクセスを依然として提供する、１９９９等のカバーを有してもよい。カバー１９９９は、タンク蓋の上に位置付けられるように成形、定寸、または別様に構成されるべきであり、その上にアクチュエータボタンまたはタッチパッド制御も有し得る、制御パネル／電子アセンブリ１９９７を視認してアクセスするためのアクセス開口部（または本明細書の他の実施形態で説明されるような随意のドア）を有してもよい。
【０４０６】
上記のようなライナ１９１６９は、ポリ塩化ビニルまたは類似する水安全ポリマー材料等の種々の材料で形成されてもよい。ライナとタンクとの間の小さい空隙が、凝縮防止性質を提供するために使用されることができる。ライナはまた、示されるような係止ロッド受容管を形成するために使用されてもよい。漏斗１９１６６または類似ガイド特徴もまた、好ましくは、便器に進入する前に水洗用水と組み合わせるためにリザーバから下流流動の中へ、直接、洗浄剤流を誘導または指向するように提供される。示されるように、これは、供給導管および／または溢流管１９２４９の中へ水を指向するであろう。
【０４０７】
上記で議論されるようなリフトアームは、好ましくは、洗浄弁１９８０と動作可能に接続し、また、直接または間接連結部を通して、上記で説明されるもの等の噴射弁に接続されてもよく、その連結部は、調節可能であり得る。リフトアームはまた、好ましくは、水洗ハンドル１９０２と動作可能に接続し、水洗ハンドルおよびリフトアーム１９２８６はまた、通常水洗サイクル中に洗浄弁を動作させるよう接続されてもよい。リフトアームアクチュエータアセンブリはまた、リフトアームアクチュエータ歯車モータおよび少なくとも１つの歯車の動作によって、ハンドルを伴わずに洗浄弁を動作させるよう配列される。したがって、洗浄サイクル中に、ユーザは、洗浄に従事するためにアクチュエータボタンまたはタッチパッドもしくは他のアクチュエータ特徴１９０４（本明細書ではボタンとして示される）を使用する必要のみあり、ハンドルの動作を見ることも水洗ハンドルを押下する必要もないであろう。いったん洗浄サイクルが終わり、水洗ハンドルが作動されると、トイレは、通常水洗に戻る。
【０４０８】
図６８および６９に示されるように、ボタンアクチュエータ特徴１９０４は、受容リング１９３１５の上に据え付けられてもよい。ボタンを押下することに応じて、接触がトレイ１９９４の上に位置付けられたパネル１９９７の下部分で行われる。Ａｒｄｕｉｎｏアセンブリ１３３１６は、（本明細書の任意の実施形態における任意の制御システムと同一であり得る）制御システム１９０００を作動させるための受容接触機構１９３１７を有する。制御システムは、次いで、リフトアームアセンブリ１９２８５のための歯車モータ１９１４８のタイミングを作動させ、また、リザーバ１９０６として示されるリザーバ内からの洗浄剤の放出のタイミングも調整する。
【０４０９】
本発明のその上さらなる実施形態５００が、図７０−７３を参照して見られ得るような本明細書の便器用の洗浄システムを有して提供される。本実施形態５００は、リフトアームアクチュエータアセンブリ５１４０の形態で代替的洗浄弁動作機構５８２を提供する。リフトアームアクチュエータアセンブリは、水洗アクチュエータハンドル５０２が、第１の標準モードで動作し、標準動作のために洗浄弁を開放するために枢動ロッドまたは他の水洗リフト機構と単純に連動すること、または第２の洗浄サイクルモードで動作することを可能にする特徴を伴って適合される、水洗アクチュエータハンドル５０２に適合される。図７３の分解後面斜視図から分かり得るように、水洗アクチュエータハンドル５０２は、スタッド５１４３内に位置付けられた始動装置レバー停止特徴５１４２とともに機能する、アクチュエータハンドル５０２の内側のリブ５１４１等の特徴を有するように適合されるという点で、始動装置レバーとしても動作することができる。第２の標準モードであるとき、毎日の水洗のために、始動装置レバー停止部５１４２が、通常水洗位置においてアセンブリ５１４０の別様の能動機構を保持するように始動装置レバーとして作用する、水洗アクチュエータハンドル５０２の中のリブ５１４１に係合する。そのような状況では、リフトアーム５１４４は、所望に応じて両方の弁を動作させるように、標準水洗機構（本明細書の他の場所に説明されるような水洗アクティブ化バーまたは連結アセンブリ等）に接続される、および／または係合することができる。
【０４１０】
第２の洗浄サイクルモードであるとき、機構は、周縁洗浄弁（実施形態１０に示される弁８０等）を持ち上げるであろう。そうするために、リフトアーム５１４４の延在するシャフト部分５１４５は、リフトアーム５１４４の延在するシャフト部分の端部５１４６が始動装置レバー停止部５１４２内の噛合開口部５１４７に係合するように、アセンブリ５１４０を通過する。洗浄サイクル中に、（本明細書の他の実施形態、例えば、１０、２００、３００、７００、８００、９００、１２００、１３００、１４００、１５００、１９００、または２４００のコントローラと同様にプログラムされ得る）コントローラ５００００は、リフトアームアクチュエータアセンブリ５１４０の中に位置付けられた歯車モータ５１４８に係合する。アクチュエータアセンブリ歯車モータ５１４８は、したがって、好ましくは、コントローラと電子通信する。示されるような歯車モータ５１４８は、搭載ブラケット５１４９の上に位置付けられる。ブラケットは、ピニオン歯車５１５１の基部を据え付けるように陥凹５１４９ａを有する。ピニオン歯車基部５１５１ａは、アクチュエータアセンブリ歯車モータ５１４８の歯車ステム５１５０を受容するように構成されるピニオン歯車５１５１の反対側に陥凹５１５１ｂを有する。したがって、コントローラが歯車モータをアクティブ化するとき、ステム５１５０は、ピニオン歯車５１５１を移動させて旋回させる。ピニオン歯車は、アクチュエータ歯車５１５２上の歯５１５２ａに係合するように構成される歯５１５１ｃを有する。
【０４１１】
アクチュエータ歯車５１５２が旋回するとき、これは、搭載ブラケット５１４９上の制限スイッチ５１５３の間を移動する。アクチュエータおよびピニオン歯車から搭載ブラケットの反対側で延在する回転可能搭載ステム５１５４は、中空であり、ステム５１５４の中の通路５１５４ｂ内でリフトアーム５１４４の延在するシャフト部分５１４５を受容するように構成される内面５１５４ａを有する。搭載ブラケットステム５１５４の外面５１５４ｃは、スタッド５１４３の延在部分５１４３ａ内に嵌合するように構成される。より具体的には、搭載ブラケットステム５１５４は、スタッド５１４３の延在部分５１４３ａの内面５１４３ｆによって画定される通路５１４３ｅ内に嵌合する。スタッドの外面５１４３ｂは、スタッドの延在部分が搭載ブラケット搭載ステムの周囲に安定して嵌合されるように、搭載ブラケットをスタッドにしっかりと保持することが可能なナット５１５５または他の締結デバイスに係合する随意のねじ山５１４３ｃまたは他の類似特徴を有してもよい。
【０４１２】
示されるように、それを通る通路５１５５ｂまたは孔を画定する内面５１５５ａを有する、ナット５１５５が、提供される。内面５１５５ａは、スタッド５１４３上の外部ねじ山５１４３ｃに係合することができる、噛合ねじ山５１５５ｃを有してもよい。他の係止スナップ嵌合特徴または相互係止噛合特徴が、これらの特徴をともに保持するために使用されてもよい。六角形表面５１５５ｄ等の随意の緊締特徴が、定位置で緊締するためにナットに提供されてもよい。図７０および７２に示されるように組み立てられたとき、ナットは、搭載ブラケット５１４９の搭載ステム５１５４が、回転可能にスタッド５１４３の延在部分５１４３ａの通路５１４３ｆ内にあるように、搭載ブラケットに向かってスタッドを緊締する。搭載ステム５１５４およびスタッド５１４３の延在部分５１４３ａはそれぞれ、整合および動作のために部品を位置付けるように、それぞれ、停止特徴５１５４ｄ、５１４３ｄを有する。
【０４１３】
延在部分５１４３ａの反対のスタッド５１４３の部分上で、スタッドは、据え付けられた回転可能な様式で、始動装置レバー停止部５１４２を受容するように構成される、陥凹部分５１４３ｈ内のより幅広い開口部５１４３ｇを含む。より幅広い開口部５１４３ｇは、スタッド５１４３の延在部分５１４３ａを通して通路５１４３ｆと連通する。リフトアーム５１４４の延在部分５１４５が、スタッド５１４３の延在部分５１４３ａの通路５１４３ｆ内に据え付けられる、搭載ステムの通路５１５４ａを通過すると、リフトアーム５１４４の延在部分５１４５の端部５１４６は、始動装置レバー停止部５１４２上の開口部５１４７内に嵌合し、それに係合する。陥凹部分はまた、陥凹部分に対面する始動装置レバー停止部５１４２の側面上で噛合係合特徴５１５６に接触する、係合停止特徴５１４３ｉも含む。
【０４１４】
水洗アクチュエータハンドル５０２の内部に対面する始動装置レバー停止部５１４２の表面は、その外向きに延在する部分５１５８の上に付加的または第２の係合特徴５１５７を有する。外向きに延在する部分５１５８はまた、水洗アクチュエータハンドル５０２を始動装置レバー停止部５１４２に接続するねじ５１６０およびワッシャ５１６１または他の締結具のための随意の受容孔５１５９も有する。始動装置レバー戻しばねである、ばね機構５１６２もまた、洗浄サイクルがアクティブ化されるときに張力を維持するように提供されてもよい。
【０４１５】
動作時、コントローラは、ピニオン歯車５１５１を動作させるステム５１５０を有する、歯車モータ５１４８をアクティブ化する。ピニオン歯車５１５１は、アクチュエータ歯車５１５２に係合し、それを移動させる。アクチュエータ歯車陥凹５１６３は、回転可能搭載ステム５１５４の後部に係合するように構成される。歯車がステムを旋回させると、スタッド５１４３の陥凹部分５１４３ｈ内で始動装置レバー停止部５１４２を移動させるステムは、始動装置レバー停止部が定位置まで移動することを可能にし、始動装置レバー戻しばねは、歯車モータが始動装置レバー停止部を旋回させている間に、ハンドルが定常状態のままであるように、陥凹特徴５１６４を有する水洗アクチュエータハンドル５０２上で張力を維持する。搭載ステムが旋回すると、リフトアーム５１４４の延在部分５１４５も旋回し、カバーを制御可能に持ち上げて洗浄サイクルのために洗浄弁を開放するように、周縁洗浄弁と直接接続して、または接続もしくは連結機構を通してのいずれかで、動作することができる。コントローラが歯車モータをオフにするとき、作用が停止し、ばね作用によって、またはより好ましくは、歯車モータの制御された動作によって逆転されることができる。
【０４１６】
洗浄サイクルが終わった後、アクチュエータアセンブリは、再び標準水洗モードで動作し、特徴５１４１を伴う水洗アクチュエータハンドルは、直接、または他の水洗リフト機構（水洗アクティブ化バー等）を通して、所望の様式で周縁および噴射洗浄弁の両方を開放することができる、リフトアーム５１４４の延在部分５１４５に単純に手動で係合するように、始動装置レバー停止部を移動させる。全ての他の点に関して、実施形態５００は、他の種々の弁および本明細書の他の実施形態におけるトイレアセンブリとともに使用されることができる。
【０４１７】
洗浄システムを有するトイレを周期的に洗浄するための方法が、本明細書で提供され、本方法は、上記で説明されるような洗浄システム１０、２００、３００、４００、５００、７００、８００、９００、１２００、１３００、１４００、１５００、１９００、および２４００のうちのいずれかを用いて実践されてもよい。これはまた、実施形態１６００、１７００、および１８００とともに、修正を伴って使用されてもよい。簡潔にするために、これは、実施形態１０に関して説明されるであろうが、全てのステップは、本発明の範囲の精神から逸脱することなく、実施形態２００、３００、４００、５００、７００、８００、１２００、１３００、１４００、１５００、１９００、および２４００のための上記の付加的情報に従って実施されることができる。本方法は、内部領域３６を画定する便器３０と、タンク内部１１９を画定するトイレタンク６０と、洗浄弁８０と、周縁入口ポート２８とを有する、トイレアセンブリ１０の中の便器３０用の洗浄システム１００を提供するステップを含む。これらの特徴は、上記でさらに詳細に説明される。洗浄弁８０は、流体を便器３０の周縁入口ポート２８に送達するように構成されるものである。使用される洗浄弁のタイプ、便器およびタンクの形状、ならびに周縁入口は、多種多様なトイレアセンブリに適応するように変動されてもよい。
【０４１８】
制御システムは、洗浄サイクルを開始するようにアクチュエータ特徴４によってアクティブ化される。流量制御デバイス６６ａ、例えば、示されるような機械化弁９１または液体供給弁１２０は、次いで、供給導管から、上記で説明されるような閉鎖位置にあるときの洗浄弁８０の洗浄弁体１０４の内部空間１０３に液体洗浄剤の投与量を送達するために十分な第１の時間周期にわたって、動作されて開放される。
【０４１９】
洗浄弁は、次いで、上記で説明されるような第２の時間周期にわたって少なくとも約３ｌの水洗用水によって運搬される液体洗浄剤の投与量を導入するように洗浄弁８０のフラッパ１０５を持ち上げることによって、弁を開放するよう、洗浄弁動作機構の使用によって動作される。実施形態１０、４００、５００、または１９００のもの等の機構が、使用されてもよい。
【０４２０】
洗浄弁８０は、好ましくは、液体洗浄剤の投与量を送達した後に、少なくとも部分的に閉鎖するように動作される。流量制御デバイス６６ａおよび洗浄弁動作機構は、上記で説明されるように制御システムならびにその中にプログラムされたタイミングによって動作される。
【０４２１】
洗浄弁は、次いで、随意に、第３の時間周期（洗浄保留周期）後に洗浄弁を再び開放し、少なくとも約３ｌを導入して、洗浄サイクルの終わりに新しい水洗用水で便器の内部を浄化するように適合されてもよい。付加的水洗用水、少なくとも約０．５ｌもまた、所望に応じて調節される導入のタイミングで、噴射洗浄弁７０を通して導入されてもよい。
【０４２２】
図７４−１００を参照すると、さらなる好ましいアセンブリ２４００が本明細書に説明される。アセンブリは、上記で説明されるようなトイレ３０を含む、本明細書に説明されるような任意のトイレを含んでもよい。洗浄システム２４０００は、洗浄システムアセンブリ２４００を伴うトイレアセンブリで使用するために以下で説明され、付加的特徴が、以下で詳細に説明されるような本実施形態のための投与側面を考慮するようにシステムに組み込まれ得ることを除いて、洗浄システム１００に類似する。好ましいトイレアセンブリ２４００および洗浄システム２４０００は、本明細書の図１−４および６−２７に示されるようにトイレを使用して動作可能であるが、本開示に基づいて、洗浄システムは、実施形態１６００、１７００、ならびに１８００において上記で説明されるようなものを含む、種々のトイレのために適合され、プログラムおよび／または修正され得ることを理解されたい。単一または多重水洗モデルであるかどうかにかかわらず、重力動力型サイホン式水洗トイレが好ましいが、洗い落とし式トイレもまた、上記の実施形態１６００、１７００、および１８００でさらに詳細に説明されるようないくつかの修正または適合を伴って、本明細書の洗浄システムで使用されることができる。本実施形態のための最も好ましいトイレは、実施形態１０のトイレアセンブリに関して上記で詳細に説明されるような隔離された周縁流路を伴うものである。
【０４２３】
トイレ洗浄弁アセンブリに関して、本明細書の他のアセンブリと同様に、実施形態２４００は、周縁洗浄弁２４８０と、噴射洗浄弁２４７０とを含む。周縁洗浄弁２４８０は、タンク内の水位が溢流管の高さを超えるときに、タンクから周縁または周縁チャネルに水を指向する役割を果たす、溢流管２４１９０を有する。上記で説明される充填弁６６等の標準充填弁が、水洗サイクルまたは洗浄サイクル後にタンクを補充し、好ましいそのような充填弁２４６６が、図７７および７７Ａに示されている。導管２４３８４として図７７および７７Ａに示される実施形態１０の導管１３８等の導管は、水洗サイクルが終了され、便器が下水ガスの逆流に対するシール深度を復元するために補充される必要があるときに、水が漏斗入口２４１６６を通過した後に溢流管２４１９０を通して便器に導入されるために提供される。しかしながら、上記のように、種々の充填弁が、本開示と一致して作動されることができるという前提で、実施形態２４００に組み込まれてもよい。
【０４２４】
本明細書に説明される好ましいトイレアセンブリ２４１０は、好ましくは、上記のような洗浄サイクル中に、サイホンの形成を回避する（または別様に「保留」周期の前に排水管路に流出するであろう、洗浄流体の割合を低減させる）ように、所望に照らして効果的に動作するであろうように、実施形態１０のトイレアセンブリと同一のアセンブリである。
【０４２５】
周縁洗浄弁２４８０は、好ましくは、実施形態１０の便器３０の上記の周縁入口ポート２８と同一であり得る、トイレ周縁入口ポートに流体を送達するように構成される。前の実施形態と同様に、トイレは、好ましくは、隔離された周縁および噴流経路と、別個の周縁および噴射洗浄弁とを有し、また、周縁を含有する実施形態における便器の周囲の周縁チャネルから、従来の一連の周縁出口ポートを通して、または上記で説明されるように、余剰洗浄作用のために、周縁洗浄弁２４８０から出る周縁流路から、周縁なし便器の実施形態の側面の中へ、直接、周縁流水を注入する、周縁入口ポート２８等の好ましい単側周縁入口ポートを通してのいずれかで、水を便器に導入する、便器への周縁入口ポート２８を有してもよい。
【０４２６】
他の実施形態と同様に、洗浄サイクルでは、噴射洗浄弁２４７０は、閉鎖されたままである。好ましくは、随意に、噴射流体経路は、通常の水洗動作において、洗浄サイクルの前および後ならびに水洗サイクルの前に、プライミングされた状態で維持される。しかしながら、浄化ステップが含まれる場合、噴射洗浄弁２４７０はまた、上記で説明されるようにある量の付加的な水を放出するように、浄化ステップ中に開放されてもよい。
【０４２７】
（以下で説明されるような投与カップからの出口にある）本実施形態における供給導管の第２の端部は、漏斗２４１６６を介して周縁洗浄弁２４８０に接続される溢流管２４１９０の内部と流体連通する。前の実施形態と同様に、別個の周縁および噴射タンクコンパートメントが、米国特許出願公開第ＵＳ２０１５／０１９７９２８Ａ１号に説明されるように、別個の充填弁、別個の水洗作動機構、および別個の溢流管とともに使用されてもよいが、実施形態２４００では、アセンブリ２４００が、未分割または開放タンク、両方の洗浄弁を動作させることができる単一の水洗アクチュエータを有し、（以下で説明されるような）二重水洗レバーを組み込み、周縁洗浄弁２４８０上の単一の溢流管２４１９０（図７７参照）を使用していることが好ましい。しかしながら、本明細書の本開示に基づいて、複数のコンパートメントおよび／または１つもしくはそれを上回る洗浄弁、ならびに１つまたはそれを上回る関連付けられる機構（１つもしくは２つの水洗レバーを使用する）が、本発明の精神または範囲から逸脱することなく、実施形態２４００で使用され得ることが当業者によって理解されるであろう。
【０４２８】
周縁洗浄弁２４８０は、実施形態１０、５００、または１９００における上記のもの等の洗浄弁動作機構を装着されてもよい、もしくはそれと連動してもよい、またはより好ましくは、洗浄弁は、制御システム２４０００によって作動されるときに、歯車モータ２４１４８による機械的作動に応じて、洗浄サイクル中および／または通常水洗サイクル中に、リフトアクチュエータアセンブリ２４２８５が周縁洗浄弁２４８０を持ち上げて手動で動作させるように、動作する。従来の水洗サイクルでは、周縁および噴射洗浄弁はまた、好ましくは、本明細書に説明されるような水洗アクチュエータアセンブリによって動作される。本実施形態における水洗作動ハンドル２４０２は、好ましくは、本実施形態２４００に説明されるような洗浄弁アクチュエータアセンブリ２４２８５の一部であるが、実施形態１０、５００、および１９００のもの等の他の水洗ハンドル機構もまた、周縁洗浄弁を開放するために使用されてもよい。
【０４２９】
種々の水洗動作機構は、洗浄弁を動作させるための制御システムによってアクティブ化可能な歯車モータによって、動作してもよい。例えば、機械化または他の液体供給弁を動作させる、歯車ポンプおよび／または歯車モータ、蠕動ポンプ、回転デバイス、もしくは同等物を使用して、溶液を計量するための流量制御デバイスもまた、本発明のトイレアセンブリの中の本明細書に説明される便器とともに使用するための洗浄システム２４００に組み込まれてもよい。
【０４３０】
システム１００を伴う実施形態１０の便器アセンブリと同様に、実施形態２４００における便器は、永続的にプライミングされた状態で噴射チャネルを維持し、チャネルの中への空気の進入からそれを隔離する、閉鎖噴射流体経路を有する。したがって、そのようなトイレの動作の観点から実施形態１０において上記で説明される原理およびオプションは、実施形態２４００でも適用される。
【０４３１】
噴射洗浄弁２４７０および周縁洗浄弁２４８０のための洗浄弁作動を制御することは、本明細書の種々の実施形態において上記のようないくつかの方法で行われることができ、そのような方法は、実施形態２４００に適合されてもよい。本実施形態では、トイレは、噴射洗浄弁入口２４７１と、噴射洗浄弁出口２４７３とを有する、少なくとも１つの噴射洗浄弁アセンブリ２４７０を含む。噴射洗浄弁アセンブリは、種々の構成を有してもよく、当技術分野で公知である、または開発される任意の好適な洗浄弁アセンブリであってもよい。好ましくは、これは、それぞれ、そのような弁および加重カバーの使用の説明について参照することによって、関連部分において本明細書に組み込まれる、同時係属米国特許出願公開第２０１４／００９０１５８Ａ１号または同時係属特許出願第２０１５／０１９７９２８Ａ１号もしくは非仮出願第１４／１４／８５３，９８４号に説明されるものに類似するように構成される。示されるように、噴射洗浄弁アセンブリ２４７０は、噴射洗浄弁アセンブリを通る流量を制御するために、周縁洗浄弁アセンブリ２４８０よりも低い弁高さプロファイルを有する。周縁洗浄弁アセンブリ２４８０および噴射洗浄弁アセンブリ２４７０はそれぞれ、個別のカバー２４１０５、２４１５を有する。随意のフロート２４１７が、チェーンまたは他の連結部を介して、それに取り付けられてもよい。任意の好適な水洗アクチュエータは、直接、もしくは接続機構を通して、弁の上部に取り付けられた少なくとも１つのチェーンを介すること、および／またはフロート２４１７等の随意のフロートを組み込むことを含み、洗浄弁に接続するように使用ならびに／もしくは修正されてもよい。随意のフロートおよび／または別個のフロート取付部を伴うリフトチェーンが、使用されてもよい。本明細書および同時係属米国非仮出願第１４／８５３，９８４号に説明されるような、かつ図７７−８３に示されるようなフロートアセンブリを含む、フロートをカバー２４１０５、２４１５に接続するためのフロート取付部の他の変形例もまた、使用されてもよい。紐、コード、ロープ、ステンレス鋼ケーブル、剛性ロッドまたはワイヤもまた、フロート取付部の代替実施形態として、フロートとともに使用されてもよい。弁アセンブリで使用するための好適な弁は、それぞれ、その中の弁アセンブリおよび関連付けられるリフト機構ならびに水洗アクチュエータに関して、関連部分において本明細書に組み込まれる、同時係属米国特許公開第２０１４／００９０１５８Ａ１号、米国特許公開第２０１５／０１９７９２８号、および同時係属米国非仮特許出願第１４／８５３，９８４号の両方で詳細に説明される。そのようなフロートおよびリフト特徴は、特定の洗浄弁設計において先進性能および浮力の制御を提供することに役立つ。しかしながら、本発明の原理に基づいて動作する、他の洗浄弁アセンブリが使用され、改良された水洗能力を提供し得ることを理解されたい。さらに、フロートは、随意である弁の動作を増進する。
【０４３２】
噴射洗浄弁アセンブリ２４７０は、その噴射洗浄弁出口２４１３から上記で説明される閉鎖噴射流体経路１等の閉鎖噴射流体経路に流体を送達する。洗浄弁アセンブリ２４８０等の少なくとも１つの周縁洗浄弁アセンブリも提供される。各周縁弁アセンブリは、周縁洗浄弁入口２４８３と、周縁洗浄弁出口２４８１とを有し、周縁洗浄弁２４８０は、周縁洗浄弁２４８０の出口２４８１から、直接または間接的に、アセンブリの実施形態１０におけるトイレの周縁入口ポート２８等の周縁入口ポートへの流体の送達のために構成される限り、上記のような任意の好適な洗浄弁アセンブリであってもよい。
【０４３３】
上記のようなアセンブリは、実施形態１０および１９００に関する上記のタンクと同一であり得、水道水、タンク水、井戸水、または同等物を送達する供給管路と流体連通するように配設されるときにタンク充填弁を接続させる等、水洗使用のための流体源から流体を受容するように任意の様式で接続されることが可能である、タンクを含む。好ましくは、タンクは、図７４、７４Ａ、および７７に示される通りであり、実施形態１９００のものに類似する。
【０４３４】
水洗サイクルは、好ましくは、水洗作動アセンブリ２４２８５の一部であり、上記で説明されるようなアクチュエータ１９０２に類似し、動作歯車モータ２４１４８を含む、水洗アクチュエータ２４０２等の任意の好適なアクチュエータによって作動される。水洗アクチュエータ２４０２は、標準水洗ハンドルを含んでもよい、または以下でさらに説明されるような水洗アクチュエータアセンブリ２４２８５等の洗浄弁作動機構の一部であるように適合されてもよい。図８４−９０に示されるように、水洗ハンドル２４０２は、突出２４３３０を有する、開放陥凹２４３２８を有する。そのような突出は、以下で議論されるハンドル車軸挿入物の中に画定される噛合孔内で受容される。ハンドル２４０２はさらに、図８４および８４Ａに示されるように、ハンドル２４０２の中に挿入する、後方に延在するハンドル車軸挿入物２４３３４との相互作用のために、停止部２４３３２等の１つまたはそれを上回る停止部を含む。車軸２４３３４の一方の端部２４３３６は、突出２４３３０を受容するための孔２４３４０を画定する、外向きに延在するフランジ２４３３８を有する。突出および孔が、ハンドル２４０２をハンドル車軸挿入物２４３３４と係合させるために示されているが、本開示に基づいて、他の噛合特徴が、ハンドル陥凹２４３２８内のハンドル２４０２の中へハンドル車軸挿入物２４３３４を据え付けるために使用され得ることを理解されたい。好ましくは、フランジは、ハンドル陥凹２４３２８に提供される特徴内に据え付けるように成形される横周辺を有する。緊締ナット２４３４３が、ハンドル２４０２内でハンドル車軸挿入物２４３３４を固着するように提供されてもよい（または別の類似締結具）。
【０４３５】
後方に延在するハンドル車軸挿入物２４３３４は、ハンドルブッシング２４３４２内に据え付けられるように構成される。ブッシングは、ハンドル車軸挿入物２４３３４の安定した回転のための筐体を提供する。ブッシング２４３４２は、摩耗挿入リング２４３４４において等、回転領域２４３４５においてブッシング摩耗挿入物２４３４４を含んでもよい。回転特徴２４３４６等の１つまたはそれを上回るさらなる回転特徴もまた、動作時に、ブッシング２４３４２の内面２４３５０とハンドル車軸挿入物２４３３４の外面２４３４８との間に回転軸受接触を提供する、摩耗挿入物２４３４４に位置する回転領域に加えて、付加的回転領域２４３４５を提供するように、ハンドル車軸挿入物２４３３４の外面２４３４８に沿った場所に提供されてもよい。摩耗挿入物２４３４４は、随意の特徴であり、標準回転領域が、当技術分野で公知であるように提供されてもよいが、摩耗挿入物２４３４４は、部品の寿命を保ち、水洗ハンドル２４０２を動作させるユーザの力の下でより円滑な回転および安定性を提供するように、水洗ハンドル２４０２が最も多くの力で係合される領域中で、回転軸受支持を提供することを支援する。
【０４３６】
ハンドル２４０２等の水洗アクチュエータによって標準水洗サイクルを開始した後、ハンドルは、ある様式で水洗アクチュエータアセンブリ２４２８５の中の１つまたはそれを上回る水洗アクティブ化リフトアーム２４２８６と動作接続し（取外可能である場合もあり、取外可能ではない場合もある）、そのような水洗アクティブ化リフトアームは、下記のような修正を除いて、上記の実施形態１９００におけるリフトアーム１９２８６と同様に設計される。図８４に示されるように、リフトアーム２４２８６ａ、２４２８６ｂは両方とも、個別の水洗アクティブ化リフトアーム２４２８６ａ、２４２８６ｂによって画定される孔２４３５２ａ、２４３５２ｂを通して、アセンブリおよび相互に接続されるよう協調され、ブッシング２４３４２の後方端２４３５４の上に位置付けられる。安定性および動作に関して、後方に位置付けられた水洗アクティブ化リフトアーム２４３８６ｂは、リフトアーム２４３８６ｂから前方に位置付けられたリフトアーム２４２８６ａの孔２４３５２ａの中へ延在するよう位置付けられて構成される、延在部２４３５４を有する。本実施形態に示されるように、２つの水洗アクティブ化リフトアームが使用される。本実施形態または実施形態１０、５００、１９００に説明されるような機構も提供されてもよい。
【０４３７】
図８４および８４Ａに示されるようなハンドル２４０２は、リフトアーム２４２８６ａ、２４２８６ｂと動作接続する。後方に位置付けられた水洗アクティブ化リフトアーム２４２８６ｂは、平衡順序を通して、平衡アクティブ化バー２４７５を使用して２つの洗浄弁２４８０および２４７０を持ち上げるように、標準水洗サイクル内で稼働する。示されるような前方に位置付けられたリフトアーム２４２８６ａは、洗浄サイクル動作で使用するための周縁洗浄弁２４８０のみに接続される。リフトアーム２４２８６ｂはまた、洗浄サイクルで使用されるときに、浄化ステップにおいて動作する。
【０４３８】
リフトアーム２４２８６ａは、周縁洗浄弁２４８０のみに作用する際に洗浄サイクルで使用するために、直接または間接的にチェーンＣ３（またはラインもしくはバー等の類似デバイス）の第１の端部２４３３３に接続される。標準水洗サイクル中に、周縁洗浄弁２４８０を平衡アクティブ化バー２４７５に接続するチェーンＣ４が、上記のような両方の洗浄弁２４８０、２４７０の平衡および時限開放を提供するために使用されることができる。
【０４３９】
一実施形態では、チェーンＣ３の第１の端部２４３３３は、リフトアーム２４２８６ａのリフト端部分２４３３１ａに形成され、それによって画定される孔２４３４５ａを通して等、取付デバイスを通して、ピン２４３２９または類似機構を介してリフトアーム２４２８６ａに接続する。同一のチェーンＣ３は、次いで、その第２の端部２４３３７上で周縁弁アセンブリ２４８０の前端２４３５６に接続する。示されるように、標準水洗サイクルにおいて等、周縁および噴射弁の動作から独立して周縁洗浄弁カバー２４１０５を持ち上げるために、リフトラッチ２４３５８が、周縁洗浄弁カバー２４１０５の前端２４３５６に取り付けられる。リフトラッチ２４３５８が示されているが、任意の好適なグロメット、リフトアーム、または取付部が使用されてもよい。動作時、例えば、周縁洗浄弁のみの動作が要求される、アクティブ化された洗浄サイクルに応答して、噴射口を開放することを回避するために、そのような別個のリフトアーム２４２８６ａが、周縁洗浄弁のみの使用を隔離するよう使用されることができる。
【０４４０】
第２のリフトアーム２４２８６ｂは、単一のリフトアームのみがある、実施形態１９００等の前の実施形態に説明されるものと同様に、浄化ステップおよび／または標準水洗サイクルのいずれかを実施するように、洗浄サイクルにおいて動作する。そのようなリフトアーム２４２８６ｂは、周縁および噴射弁が両方とも開放されることを可能にすることができる。リフトアーム２４２８６ｂは、実施形態１０および１９００において上記で説明されるような調節可能コネクタならびに平衡の使用によって、本実施形態において動作可能である、周縁弁および噴射弁の順次開放を提供するように、アクチュエータアセンブリ２４２８５内で稼働する。
【０４４１】
本実施形態で示されるように、サイズが変動し得、示されるように、実施形態２４００の特定の筐体およびタンク配列の中に嵌合するよう実施形態１０に示されるものよりも小さく定寸される、縦方向に調節可能なコネクタ２４１４４ｂとともに、回転可能コネクタが採用される２４１４４ａ。示されるように、リフトアーム２４２８６ｂは、回転可能コネクタ２４１４４ａまたは他の好適な連結部を通して、枢動し、回転コネクタ２４１４４ａの使用の結果として、横方向に回転もし得る、および／または回転して揺動もし得る、水洗アクティブ化バー２４７５に接続する。示されるように、リフトアーム２４２８６ｂは、横方向に、または揺動角において回転し得、示されるように、洗浄弁の最適化された開放のための位置付けおよび平衡を調節するための縦方向調節接続２４１４４ｂを有するように適合され得る、回転可能連結コネクタ２４１４４ａに接続する。そのような調節は、製造業者によって事前設定されてもよい、および／または設置業者もしくはユーザによるさらなる修正および整合のために調節可能であり得る。任意のヒンジ、ピン接続、ワッシャ、または他の回転コネクタもまた、使用されてもよい。水洗アクティブ化バー２４７５は、好ましくは、ある様式で移動可能である、連結部を通して、好ましくは、アクティブ化リフトアーム２４２８６ｂへの可動接続のための平衡点を有するように構成される。可動および回転可能連結部２４１４４ａは、示されるように、好ましい平衡点において水洗アクティブ化リフトアーム２４２８６ｂおよびその連結部を水洗アクティブ化バー２４７５に接続するために使用されてもよい。
【０４４２】
平衡点は、ハンドルが通常水洗サイクルにおいて水洗サイクルを作動させるように押下されるときに、具体的かつ機械的に各弁の開放の時期を決めるよう、洗浄弁とともに動作するように設計によって選定される。ハンドルが押下されるとき、水洗アクティブ化リフトアームおよび連結部は、上向きに押動され、それらとともに、水洗アクティブ化バー２４７５に接続される、調節可能、可動、および回転可能コネクタ２４１４４ａ等の関連連結部を有する機構の端部を押動する。これは、ひいては、アクティブ化バー２４７５を引き上げる。示されるように、機構はまた、示されるようなコネクタ２４１４４ｂ等の縦方向に調節可能なコネクタを使用して、異なるタンク高さおよび弁構成のために縦方向に調節されてもよい。コネクタ、水洗アクティブ化リフトアーム、および連結部の長さならびに幅は、トイレタンク設計内の利用可能な面積に応じて、全体的弁アセンブリが洗浄システムの下方に据え付けられ得ることを前提として、異なるサイズの洗浄弁アセンブリのために変動されることができる。
【０４４３】
示されるように、洗浄弁はまた、弁がタンクの中に位置付けられ、弁ガスケット２４３６２が定位置にあるときに、弁が限定された移動を有し、最適な性能のために安定させられるように、相互係止接続２４３６０を有する。
【０４４４】
従来の水洗サイクルがアクティブ化されるとき、流体が、少なくとも１つの周縁洗浄弁アセンブリおよび少なくとも１つの噴射洗浄弁アセンブリを通して提供される。閉鎖噴射流体経路の構成は、そのようなものであり、水洗サイクルのタイミングは、水洗サイクルの完了後にプライミングされた状態で閉鎖噴射流体経路を維持するよう最適化される。
【０４４５】
他の点に関して、噴射口または段階的周縁弁開放の自己プライミングを促進する「剥離」または部分的開放弁カバーを含む、水洗サイクル、洗浄弁カバー、逆流防止装置、連結部、および同等物が、本実施形態でも使用されてもよい。
【０４４６】
作動特徴２４０４に応答して、制御システム２４０００は、（以下で説明される）投与チャンバを充填する時間周期にわたって、機械化弁または類似流量制御デバイス（この場合、液体供給弁２４１２０）を作動させる。動作中に、投与チャンバは、リザーバ２４０６の内部空間２４３１から、その経路が液体供給弁に進入することによって、供給導管の残りの部分を通って継続する、供給導管２４７９の初期部分の中へ、本明細書に説明されるような液体洗浄剤の投与量を送達するために十分な速度で、供給導管を通して流動を提供するであろう。実施形態２４００では、供給導管２４７９は、好ましくは、投与チャンバを通して漏斗の中へ、かつ以下で説明されるような溢流管の中へ中身を空にする、液体供給弁の弁体を含む。液体供給弁は、好ましくは、制御システム２４０００によって電子的かつ自動的に作動可能である、一方向弁である。弁は、ソレノイドまたは空気圧弁でもあってもよい。これは、蠕動ポンプまたは歯車モータの歯車によって動作されてもよい。示されるように、これは、歯車モータ２４１８７によって動作される。
【０４４７】
本実施形態におけるアセンブリは、好ましくは、タンク２０６０の上に着座するタンク蓋２４１７０として構成される。タンク蓋２４１７０の底部分は、トレイ２４９４として構成されてもよく、また、好ましいアクチュエータモータ２４１４８に適応するように筐体２４２９０を形成する、トレイ２４９４の一部を組み込む。トレイはさらに、液体供給弁歯車モータ２４１８７を据え付けるように成形された一部２４２９０ａを含んでもよい。さらなる区分２４２９０ｂが、他の場所で説明されるようなＡｒｄｕｉｎｏボードまたは特別に構成されたＣＰＵ等の任意のＣＰＵボードであることができる、制御システムＣＰＵボードを収納するようにトレイの中へ形成されてもよい。本実施形態では、ＣＰＵは、以下でさらに説明されるような本明細書の洗浄システムを動作させるように、Ｃ言語等の任意の好適なコンピュータ言語で構成およびプログラムされる、ＣＰＵボードであってもよい。そのような筐体部分２４２９０、２４２９０ａ、２４２９０ｂは、好ましくは、単一のトレイとして一体的かつ一様に成形されるが、しかしながら、それらはまた、締結具、超音波溶接、または熱結合を通して、もしくは相互係止する成形および／または接着もしくは溶接部品を通して接続され得る、別個の部品として形成されてもよい。示されるように、トレイは、一体部品である（図７４、７４Ａ、９０Ａ、９１、および９２参照）。
【０４４８】
液体供給機能のための（所望される場合、歯車ポンプでもあり得る）歯車モータは、制御システム２４０００によってアクティブ化されてもよい。歯車モータ２４１８７等の歯車モータのアクティブ化は、液体供給弁２４１８０を開放することによって、洗浄流体がリザーバ２４０６から流出することを可能にするであろう。
【０４４９】
実施形態１９００と同様の本実施形態では、供給導管２４７９は、重力によって、２４１６６等の漏斗を通して、次いで、例えば、調節およびタンクならびに洗浄システム内の容易な空間適応を可能にする、位置付け可能または固定漏斗であり得る、漏斗２４１６６と協働し、それを据え付けるよう成形された溢流管（または短縮溢流管）２４１９０の中へ、流体を導入することができる。示されるように、漏斗２４１６６は、好ましくは、別個の固定部品である、または溢流管２４１９０を伴う１つの部品として成形される。したがって、流体は、重力によって、周縁洗浄弁２４８０の中への溢流管２４１９０と協働するように一体または別個に成形される漏斗２４１６６に流入する。さらに、導管２４７９は、好ましくは、上記のような投与チャンバも含むよう、中断されてもよい。
【０４５０】
タンク２４６０は、好ましくは、洗浄システムが既存のトイレ上で改造され得るように、横断面が標準トイレタンク寸法である。しかしながら、また、トイレの横断面（蓋の長さおよび幅）が特殊サイズである洗浄システムを提供すること、および／または本明細書に説明されるような異なる実施形態のための洗浄システムのサイズの設計変動に適応するように特殊サイズのタンクを有するトイレを伴う洗浄システムを提供することが、本発明の範囲内である。純粋に審美的な理由のために、タンクが可能な限り従来のタンク寸法に近いことが好ましい。タンクはまた、周縁および噴射洗浄弁に適応するように２つの下部開口部も有するべきである。
【０４５１】
アクチュエータ特徴２４０４によってアクティブ化されたとき、制御システム２４０００は、洗浄システム２４００の電源を入れ、種々の機能を実施する信号を受信する。液体洗浄剤は、液体供給弁を介してリザーバ本体２４０７の出口部分２４１１から出て行く。本システムは、徹底洗浄または簡単洗浄サイクル等の異なるサイクルのために異なって動作する。徹底洗浄サイクルでは、液体供給弁のための歯車モータ２４１８７は、以下でさらに説明されるように弁アクチュエータ２４１８５を持ち上げ、液体が弁通路２４１２２を通って弁から流出し、投与チャンバ２４３６２を充填することを可能にするように、液体供給弁を動作させる（本実施形態のための好ましい用量は、約２４ｍｌであってもよいが、本願の中の他の場所に記述されるように、用量は変動されることができる）。本システムは、次いで、周縁洗浄弁を動作させる、リフト作動アーム２４２８６ａをアクティブ化する。水洗作動アームは、リフトラッチ２４３５８を介して、そのカバー２４１０５によって周縁洗浄弁２４８０を引き開ける、チェーンＣ３を持ち上げる。周縁洗浄弁２４８０に接続されたフロート２４１７は、リフト作動アーム２４２８６ａが下降された後に周縁洗浄弁２４８０を閉鎖することを引き継ぐ。カバーは、タンク内の水位が低下するにつれてゆっくり閉鎖し、それによって、量を所定の体積に限定する（好ましくは、約４．８〜５．２ｌであるが、これは、所望の洗浄シーケンスに応じて変動し得る）。水洗用水は、周縁入口ポートまで流動し、便器に進入する。
【０４５２】
供給弁アクチュエータ２４１８５は、次いで、下降され、投与チャンバ２４３６２内の洗浄流体の投与量が、リフトカップ２４３６６に進入し、そこから流出することを可能にする。弁アクチュエータ３４１８５は、次いで、付加的投与量が投与チャンバを充填することを可能にするように、再び上昇させられる。本システムは、次いで、第２の投与量が投与チャンバから出て行くことを可能にするように、弁アクチュエータ２４１８５を再び下降させる。リフト作動アーム２４２８６ａは、依然として下降位置にある。洗浄剤は、現在、便器内にあり、便器が洗浄されている間に保持されるであろう（滞留時間）。本システムは、次いで、浄化ステップが開始することを可能にする、水洗作動アーム２４２８６ｂを動作し、水洗用水は、洗浄を終了し、便器の洗浄剤溶液を伴う水洗用水を空にする。
【０４５３】
標準または「迅速」洗浄サイクルでは、本プロセスは、類似するが、しかしながら、第１の投与量がリフト作動アーム２４２８６ａによって送達された後、リフト作動アームが下降され、洗浄剤溶液は、次いで、滞留時間にわたって便器内にあり、本システムは、リフト作動アーム２４２８６ｂの動作によって浄化される。
【０４５４】
洗浄剤の最初の装填は、ユニットをプライミングする初期作動タイミングによって等、システムをプライミングして洗浄剤を事前装填するために、初期プログラマブル特徴を要求し得る。前の実施形態において上記のように、別個の「開始」ボタンが、新しい洗浄流体コンテナを配設することに応じて、ユニットを事前プライミングするために、制御パネルに提供されてもよい。
【０４５５】
いったん配置されて事前装填されると、制御システム２４０００が作動特徴２４０４を通して作動されるとき、制御システムは、リザーバ２４０６から供給弁および漏斗（供給弁および漏斗を通る通路が供給導管の一部である）を通して、閉鎖位置にそのフラッパを伴う洗浄弁２４８０の内部空間の中へ液体洗浄剤の投与量を送達するために十分な第１の時間周期にわたって、液体供給弁２４１２０を動作させるが、しかしながら、上記のように、サイクルおよびオプションに応じて、本ステップは、投与チャンバ２４３６２等の投与チャンバの使用と、１つまたはそれを上回る投与ステップ（好ましくは、徹底洗浄用の２つの投与量および簡単洗浄用の１つの投与量）とを含んでもよい。その中に流体が導入される周縁洗浄弁は、好ましくは、溢流管２４１９０を有する、および／または別様に、上記で説明されるような便器の周縁入口ポートへの管２４８３４を通して等、水洗用のタンク水等の流体を受容して送達するために構成されるものである。
【０４５６】
本実施形態で使用するためのリザーバは、上記で示されるような種々の実施形態であってもよく、また、図７５、９１−９３、および９６Ａ−９６Ｇに示されるリザーバ２４０６を含んでもよい。リザーバは、内部空間２４３１を画定するリザーバ本体を有する。リザーバは、別個の交換用コンテナが別個に販売されるときに、噛合キャップのためにねじ山付きであることができる、上記で説明されるようなその出口部分２４１１上の出口ポート２４１９を有する。
【０４５７】
実施形態はさらに、図９１−９３、９５、および９７−９８に示されるように、液体供給弁２４１２０ならびに関連機構を含む。示されるように、歯車モータ２４１８７および弁アクチュエータによって動作される液体供給弁２４１２０は、流量制御デバイス２４６６ａの一部として位置付けられる。リザーバ２４０６は、相補的リザーバ筐体２４１２１の中のリザーバシート２４５７の中に据え付けられる。液体供給弁２４１２０は、洗浄流体の放出のために、それを通る通路２４１２２を画定する。弁２４１２０は、可動弁挿入物２４１２８と、静止弁体２４１２６とを有する。シール２４１２７が、弁を密閉するために提供される。弁は、本実施形態では、リフトカップ２４３６６を移動させるためにその中に形成されたトラック２４３６８を有する、リフトカップブラケット２４３６７にヒンジ連結可能に取り付けられたリフトカップ２４３６６に取り付けられる、もしくはそれと一体的に形成される、弁アクチュエータ２４１８５を動作させる、アクチュエータ特徴２４０４によってアクティブ化される歯車モータ２４１８７の作用による、弁作動に応答して、上下に移動するように動作する。歯車モータ２４１８７は、トラック内のピン２４３７１に動作可能に係合するための回転可能シャフト２４３７０を有する。リフトカップ２４３６６が下向きに移動すると、投与チャンバ２４３６２の中に事前装填された洗浄剤が、弁から流出し、リフトカップ２４３６６の底部を通り、リフトカップによって画定され、それを通る底部内の開口部２４３７２を通り、トレイ２４９４のリザーバ筐体２４１２１部分内の対応する開口部２４３７４を通って通過することを可能にされる、図９１に示されるような時点まで、その弁アクチュエータ２４１８５も下向きに移動される。投与リフトカップ２４３６６から出て行く洗浄剤溶液は、漏斗２４１６６に、次いで、溢流管２４１９０を通して周縁洗浄弁の中へ進入するであろう。
【０４５８】
いったん弁が空にすると、制御システム２４０００は、空にするとき、または所望される場合、洗浄サイクルが完了したとき、もしくは洗浄サイクルにおける「再投与」ステップに先立ってのいずれかで、逆転様式で歯車モータ２４１８７を再び作動させ、上向きに移動するようにリフトカップをトリガすることができる。図９２を参照して、リフトカップ２４３６６が上向きに移動すると、弁アクチュエータ２４１８５は、弁継手２４１２８を上向きに押動する。可撓性シリコーンベローズ２４３８８は、投与チャンバ２４３６２を閉鎖し、弁アクチュエータ２４１８５の上部は、洗浄流体の所定の事前判定された用量が投与チャンバ２４３６２に進入することを可能にするように、事前判定された時間量にわたって、供給弁２４１２０を通し、かつ静止本体２４１２６を通して通路２４１２２を開放する。サイズおよび液体平衡ならびに弁タイミングに起因して、投与チャンバ２４３６２は、２５ｍｌの所望の投与量まで充填するであろう。弁体はさらに、弁が閉鎖することを支援し、投与チャンバ２４３６２を閉鎖する可撓性ベローズ２４３８８とともに、（その開放に抵抗するように）弁を開放するときに圧縮されることができる、圧縮ばね２４３６４を含む。
【０４５９】
液体供給弁が直接作動される、本実施形態および以下で説明されるそのような他の実施形態では、弁自体が洗浄流体の送達のための流量制御デバイスであるため、弁を作動させるために別個の流量制御デバイスが必要とされない。
【０４６０】
本明細書の他の実施形態と同様に、アクチュエータ特徴（アクチュエータ特徴２４０４等）のアクティブ化に応じて、制御システムは、好ましくは、便器の中への洗浄剤および水洗用水の入口と流体連通する流路に沿った場所に、すなわち、弁およびアクチュエータ２４１８５の内部２４１２２を通した供給導管２４７９を通して、投与チャンバ２４３６２を通して、リフトカップの出口を通して、トレイ２４９４の中のリザーバシートを通して漏斗２４１６６の中へ、次いで、直接、もしくは重力流によって、溢流管２４１９０の中へ、液体洗浄剤溶液の投与量、この場合、好ましくは、洗浄剤溶液の事前投与用量を送達するために十分な第１の時間周期にわたって弁２４１２０を動作させることによって、洗浄サイクルを開始するように適合される。洗浄剤は、便器の周縁入口ポートまたは従来の周縁チャネル入口のいずれかへ、次いで、１つまたはそれを上回る周縁チャネル出口を通して、流体を送達するために構成される、組み合わせられた洗浄剤および水洗用水のための入口と流体連通するトイレの流路に進入する。
【０４６１】
（本明細書の他の弁の実施形態と同様に）そのような液体供給弁２４１２０は、洗浄弁の上方の溢流管２４１９０に直接送給するように、好ましくは、隔離された周縁弁２４８０に、かつ便器の中への周縁入口への直接的な送給に、または従来の周縁チャネルの周縁入口に接続され、１つもしくはそれを上回る出口ポートを通って外に出ることができる。
【０４６２】
示されるような好ましい実施形態では、第１の時間周期は、洗浄剤溶液が投与チャンバの中に装填され、流体が投与チャンバから滴下され、最終的に溢流管に進入して水洗用水と混合するように、投与チャンバを使用する投与ステップを伴ってもよい。要求されるものは、リザーバの下流にあり、洗浄剤を伴う水洗用水が便器に進入する点の上流にある、水洗用水経路に沿ったある点において、洗浄剤が水洗用水と合体することだけである。
【０４６３】
制御システム２４０００は、周縁弁カバー２４１０５が最初にゆっくり開放して空気を放出するように、チェーンＣ３およびリフト機構２４３５８を持ち上げることによって、周縁洗浄弁２４８０を開放するように第１の水洗アクティブ化アーム２４２８６ａを使用して、洗浄弁２４８０を動作させる。作動歯車モータ２４１４８は、好ましくは、筐体２４２９０ｄ等の頑丈な筐体の中に位置し（図９０Ａ−Ｅ参照）、ひいては、アクチュエータ歯車２４１５２を動作させる、ピニオン歯車２４１５１を動作させるステムを有する。アクチュエータ歯車は、リフト作動アームに係合するように位置付けられる、小型および大型カム作用表面２４３９０、２４３９２を含む。１つの方向へのアクチュエータ歯車２４１５１の回転に応じて、小さい方のカム作用表面２４３９０は、リフト作動アーム２４２８６ａの端部２４２８７ｃに接触し、洗浄サイクル中に周縁洗浄弁の動作を引き起こすであろう。切り欠き２４３９４が、本時点でリフトアーム２４２８６ｂへの小さい方のカム作用表面２４３９０の同時接触を防止するようにリフトアーム２４２８６ｂの中に提供される。アクチュエータモータ２４１４８上の制限スイッチ２４２９６は、ホーム場所を指定する。リフトアーム２４２８６ａが表面２４３８２ａ上でハードストップに達すると、ＣＰＵは、システム内で、モータ２４１４８を停止させる電流の変化を検出するように動作する。モータは、次いで、制限スイッチのホーム位置まで逆転する。複数の制限スイッチが提供されてもよい。しかしながら、示される実施形態では、１つのみが必要である。洗浄サイクルが完了したとき、リフトアーム２４２８６ａは、停止部２４２３８０ａ上に静置するであろう。
【０４６４】
浄化ステップ中に、アクチュエータ歯車２４１５２は、反対方向に歯車を旋回させ、大きい方のカム作用表面２４３９２が、リフト作動アーム２４２８６ｂの端部２４２８７ｂに接触するであろう。これは、両方の洗浄弁を動作させるようにリフト作動アーム２４２８６ｂを持ち上げるであろう。リフトアーム２４２８６ｂの下側２４２８７ｄが表面２４３８２ａに接触するとき、ＣＰＵは、システム内で、モータ２４１４８を停止させる電流の変化を検出するように動作する。モータは、次いで、制限スイッチのホーム位置まで逆転する。複数の制限スイッチが提供されてもよい。しかしながら、示される実施形態では、１つのみが必要である。浄化水洗が完了したとき、リフトアームは、２４２３８０ａ上に静置するであろう。通常動作では、リフト作動アームが移動することも開始されることもないときに、リフトアームは、表面２４３８０ａ上に静置する。表面２４３８０ａ、２４３８２ａは、それぞれ、タンク、タンクライナの一部であり得る、または独立して配設され得る、支柱２４３８０、２４３８２の上にある。
【０４６５】
次いで、システム２４０００は、上記でも説明されるように、液体洗浄剤の投与量を送達した後に、周縁洗浄弁２４８０を少なくとも部分的に閉鎖する。周縁洗浄弁からの洗浄剤および水洗用水は、便器に進入し、洗浄作用で便器を洗浄するために十分な好ましい時間周期を有するであろう。保留時間（もしくは在留／滞留時間）を含む時間周期は、より短く（簡単洗浄サイクルのために約１分）またはより長く（徹底洗浄サイクルのために約５〜１０分、１０分が細菌を死滅させるために好ましい）あり得る。上記のような徹底洗浄サイクルでは、２つの投与量が、より深い洗浄のために滴下されるであろう。滞留または保留時間後に、浄化ステップが続き、約４．８５リットルの水洗用水が（これは設計によって変動されることができるが）、各洗浄サイクルの終わりに新しい水洗用水として便器の内部の中に導入される。
【０４６６】
制御システム動作における時間周期は、流体送達の観点から第１の時間周期および第２の時間周期として識別されるが、これら２つの時間周期は、特定の順序である必要はなく、また、同時に、または重複様式で動作し得ることが、本発明の範囲内であることに留意されたい。例えば、洗浄剤が洗浄弁に送達されてもよく、洗浄弁が洗浄剤送達と同時に開放されてもよい、または洗浄弁は、サイクルが編成される方法に応じて、洗浄剤の導入および送達の前に開放されてもよい。好ましいモードでは、第１の時間周期内の洗浄剤の送達は、第２の時間周期内の洗浄弁開放に先行するが、これは選好にすぎず、ステップは、第１および第２の時間周期を逆転させること、または同時もしくは重複様式でそれらを動作させることによって、流体送達のために改変もしくは変更されてもよい。また、簡単洗浄および／または徹底洗浄サイクルに適応して、ユーザ選好に適応するように、実施形態２４００で好まれるような開放およびタイミングを設定することも可能である。
【０４６７】
液体供給弁２４１２０は、弁自体が示されるような供給導管として作用し得るように、アクチュエータ通路を有する（所望される場合、他の継手も有してもよい）。本システムはさらに、制御システム２４０００によってもアクティブ化可能な歯車モータ２４１８７を含む。リザーバ２４０６は、リザーバを保持することが可能である、示されるように構成される筐体２４１２１および底部トレイ２０９４の中に据え付けられてもよい。
【０４６８】
制御システム２４０００は、アクティブ化可能であり、アクチュエータ特徴２４０４によって開始されることができる。アクチュエータ特徴は、洗浄サイクル２４００が所望されるときにユーザが手動でアクティブ化することができる、種々の特徴であってもよい。例えば、アクチュエータ特徴は、前の実施形態に示されるようなスイッチ、トグル、ボタン、一連のボタンオプションを伴うタッチパッドであってもよい、または示されるように、電磁スイッチの使用によるパネル蓋の開放に応じて動作可能であり、タッチスクリーンのパネルもしくは押しボタンサイクル選択を通してアクティブ化可能である、電子タッチパネルであってもよい。これはまた、例えば、自動水洗トイレにおいて水洗サイクルを開始するために、当技術分野で周知であるような遠隔制御および赤外線応答機構を使用することによって、遠隔でアクティブ化可能であり得る。図面に、または非限定的実施例として示される実施形態に示されるように、アクチュエータ特徴２４０４は、パネルの開放に応じてデバイスを起動させる電磁応答特徴もしくはスイッチと、示されるように、迅速および徹底洗浄選択を含む、一連の２つまたはそれを上回る特徴ボタンとを含む。制御システム２４０００および電磁応答特徴ならびにサイクル制御タッチアイコンはそれぞれ、制御システム２４０００をアクティブ化する信号を送信するように、通常の様式でスイッチ機構に電気的に接続される。アクチュエータ特徴２４０４のアクティブ化に応じて、制御システム２４０００は、１つまたはそれを上回るサイクル選択タッチアイコン２４３７６を通して洗浄サイクルを開始するように適合される。そのようなアイコンは、図７５および７６Ａ、７６Ｂに示されるような簡単洗浄および徹底洗浄等の種々の洗浄サイクルのための開始ボタンを指定することができる。パネルが（電磁スイッチによって等）電気的にアクティブ化されるとき、アイコンは、点灯されないが作動可能であり得る、または制御パネル２４９７の作動に応じて点灯し、１つもしくはそれを上回る洗浄サイクルを作動させるために使用され得る、ＬＥＤパネルの使用によって等、点灯することができる。
【０４６９】
一実施形態における制御システム２４０００は、上記で説明されるような設定タイミングシーケンス上で洗浄サイクル特徴を設定するためのプログラマブルコントローラを有する。制御システムは、例えば、上記のように、上記のタイミングシーケンスおよび種々の作用のために、例えば、Ｃ言語でプログラムされる、オープンソースまたは特殊化プログラマブルソフトウェアを使用するＣＰＵ、ならびにセンサを含み、示されるタッチアイコンおよび画面インターフェースを有する小型マイクロコンピュータボードを含む、入出力用の論理ボードは、好ましくは、ユーザの容易な相互作用のために使用され、また、液面、システムエラー、または保守の必要性、バッテリ寿命、洗浄剤面、および同等物等のフィードバックをユーザに与えるように、液面センサ（図示せず）ならびに他のセンサ機構を用いてプログラムされることもできる。実施形態２４００において図９３に示されるようなボード２４９７ａは、セキュリティのために別個のシート部分２４２９０ｂの中のリザーバシートの背後に、かつ利便性目的のためにタッチ制御画面２４９７およびアクチュエータアイコン２４０４の下方の近接内に配置される。多種多様な制御システムが、使用されてもよく、列挙される本オプションは、限定的と見なされるべきではない。本システムは、いったんプログラムされると、プログラムシーケンスを記憶するための記憶メモリを有し、また、所望される場合、制御システムまたはシーケンスを再プログラムするため、もしくは当技術分野で公知である、または開発される任意の好適な様式で、所望に応じてインターネットもしくは他のオプションにアクセスしてアップグレードをプログラムにダウンロードするために、アクティブなアクセスメモリおよび双方向ソフトウェアを有し得ることが好ましい。制御システムは、好ましくは、示されるように、容易な配線および接続のために、アクチュエータ特徴に、またはその近傍に位置する。
【０４７０】
示されるように、制御システム２４０００の制御ボード２４９７ａは、筐体内の陥凹２４６３内に配置され、アクチュエータ特徴２４０４および制御パネル２４９７と電気通信する。しかしながら、アクチュエータ特徴が多種多様な場所に配置され得ることを理解されたい。示される実施形態では、アクチュエータ特徴２４０４は、タンク蓋の上部カバー２４９９内およびタンク蓋の上に形成される、ＬＥＤ対応表示画面２４９７を被覆する上部カバー２４９９の中のヒンジ連結パネルドア２４９８の内側に位置する、電磁応答特徴および制御パネルアクティブ化アイコンボタン２４３７６を含む。ＣＰＵ２４９７ａボードは、図９３で最も良く見られるように、筐体内の陥凹２４６３の中に位置する。所望に応じて、制御システムの種々の特徴のための表示画面上のＬＥＤ対応タッチアイコン２４３７６が、パネル２４９７と相互作用するよう提供されてもよい。他のＬＥＤ非タッチスクリーン警告の言葉またはアイコンもまた、パネル２４９７の一部として形成されてもよい。
【０４７１】
上部カバー２４９９は、好ましくは、制御システムパネル２４９７の上を覆って保護する。筐体２４１２１を伴うタンク蓋２４１７０がタンク２４６０の上にあるとき、完全に別個のタンク蓋として作用する。カバー２４９９は、清潔な上蓋外観をトイレに与えるように、所望される場合、縁２４１０２または類似くぼみ特徴を有してもよい。ヒンジ連結パネルドア２４９８が、ＬＥＤ対応ディスプレイパネル２４９７を被覆するように提供されてもよい。指リフト特徴が、ユーザにとってドア２４９８を持ち上げやすくするために提供されてもよい。ユーザは、蓋２４９９の中のドア２４９８を開放し、そうする際に、電磁アクチュエータ特徴のための接触を断ち、制御パネル２４９７からのアクションを開始し、また、任意のシステム通知ＬＥＤアラートの言葉またはアイコンも開始するために、選択アクチュエータアイコンへのアクセスを可能にしながら、「起動」信号をユニットに提供する。作動アイコン２４３７６は、ヒンジ連結パネルドア２４９８の下の蓋開口部２４１０１を通して出現する筐体の部分の上でアクセス可能である。ヒンジ連結ドア２４９８、蓋２４９９、およびトレイ２４９４は、種々の材料および成形された熱可塑性または熱硬化性ポリマーから成ることができるが、優先的に、一実施形態では、尿素ホルムアルデヒドまたはＤｕｒａｐｌａｓｔＴＭ等の形成可能ポリマーから成る。
【０４７２】
洗浄システム２４００はさらに、リザーバ２４０６を受容するように構成される筐体２４１２１を含む。筐体は、シート２４５７の中にリザーバを据え付けるとともに、複数のバッテリを受容するためのバッテリ受容ウェル２４６１を提供する。ウェル２４６１は、ポールに接触するように並べられ、所望のバッテリサイズを受容するように定寸される、所望のサイズのバッテリのそのようなポールと接続するための典型的特徴を含んでもよい。随意のカバー２４７３が、所望される場合、バッテリウェル２４６１の上に提供されてもよい。
【０４７３】
リザーバが示されるような出口部分等の異なる特徴を有する場合、筐体２４１２１は、好ましくは、流体供給弁２４１２０と連動するよう、上記で議論されるような特徴を受容するように構成されるシート部分２４７４を有する。シート部分２４７４は、リザーバを安定して受容するように、液体供給弁２４１２０の出口または他の特徴の形状を補完する形状を有するべきである。これは、過度に緊密である必要はなく、必要であるときにリザーバを交換および／または補充するために、ユーザが筐体の中ならびに外にリザーバを容易に摺動させることができるように構成されるが、子どもによる容易な除去を防止するために十分に緊密であるべきである。所望される場合、スナップ嵌合特徴または保持特徴２４３７８が、本発明の範囲内の随意の滑り嵌めのために提供されてもよいが、本発明に必要ではない。
【０４７４】
水洗アクティブ化アセンブリ２４１４０の制御システムの作動に関して、アセンブリは、上記で説明されるようなリフトアーム２４２８６ａ、２４２８６ｂ等の１つまたはそれを上回る水洗アクティブ化リフトアームを含み、そのうちの少なくとも１つ（２４２８６ｂ）は、洗浄サイクルにおける標準水洗または浄化ステップのために弁を動作させるように、標準水洗リフト機構（上記で説明されるような水洗アクティブ化バー２４７５および回転可能連結コネクタアセンブリ２４１４４等）に接続される、および／または係合することができる。本システムはまた、好ましくは、周縁および噴射弁、または実施形態１６００、１７００、および１８００に説明されるようなタイプの従来のトイレを使用する場合、少なくとも１つの洗浄弁を含む。洗浄サイクルモードであるとき、リフトアーム２４２８６ａは、周縁洗浄弁２４８０を持ち上げるであろう。第１のリフトアーム２４２８６ａは、上記のように歯車モータ２４１４８をアクティブ化する、制御システム２４０００によって動作され、かつ係合される。
【０４７５】
チェーンＣ３によって周縁弁に接続される第１のリフトアーム２４２８６ａはまた、好ましくは、図７７および８２−８３で最も良く見られるような延在部２４２８７ａも有する。そのような延在部は、変動する形状を有してもよく、ここでは、平坦部分を有する下向きに傾斜するタブとして示されている。延在タブは、上記のように歯車モータ２４１４８のアクチュエータ歯車上のカム作用表面に係合する。第２のリフトアーム２４２８６ｂは、類似する平坦延在部分２４２８７ｂと、同様に上記で説明されるような切り欠きとを有する。延在部２４２８７ａ、２４２８７ｂの個別の下部分２４２８７ｃ、２４２８７ｄはまた、洗浄サイクルに応答して、個別のリフト作動アームを移動させるためにサイクル内で動作する。第２のリフトアーム２４２８６ｂは、通常水洗動作のためにシステムの外側で機械的に動作され、受容タブ２４１４４ｃによって制限される。アクチュエータ歯車モータ２４１４８は、好ましくは、モータを収納するためのトレイの一部２４２９０の中のその独自の頑丈な筐体２４２９０ｄの中に位置付けられる。筐体部分２４２９０は、上記のポリマーまたは他の材料のうちのいずれかで成形されてもよく、単一の部品もしくは複数の取付可能／取外可能部品であってもよい。
【０４７６】
洗浄サイクル中に、コントローラ２４０００は、リフトアームアクチュエータアセンブリ２４１４０の中の液体供給弁モータ２４１８７およびアクチュエータ歯車モータ２４１４８の両方に係合する。したがって、両方のモータは、好ましくは、制御システム２４０００と電子通信する。歯車モータ２４１４８は、好まれるように歯車モータ筐体２４２９０ｄの中および筐体２４２９０内に位置付けられた場合、動作中に乾燥した状態で保たれ、保護されてもよい。モータは、所望に応じて、１つまたはそれを上回る関連付けられる制限スイッチを有してもよい。
【０４７７】
蓋２４１７０は、好ましくは、ロック機構２４１６４を有する。筐体２４１２１は、少なくとも１つの開口部２４３１１を有し、本明細書に示されるように、少なくとも２つのそのような開口部を有する。類似開口部２４３０９が、ロックを受容するためにトレイ９４を通して提供される。ロック機構（１つまたはそれを上回る）の中の部品またはロックの数は、係止されたときに蓋２４１７０が安定しているという前提で変動してもよい。そのようなロック機構は、随意であるが、安全およびセキュリティ、ならびに歯車および洗浄システムの円滑な動作のために有利である。開口部２４３１１は、筐体２４１２１を通って延在する。それらは、示されるもの等のロック機構を受容するために成形、定寸、および別様に構成されるが、開口部は、他のより様々な設計に適応するように変動してもよい。
【０４７８】
示される実施形態におけるロック機構（図９１−９２および９４参照）は、本明細書に示されるように、少なくとも１つの延在締結具２４３１２、好ましくは、上記の種々の開口部を通って延在するための螺入可能または旋回可能ヘッド２４３１２ａと、噛合係止特徴に係合するように種々の方法で構成され得る第２の係止端２４３１２ｂとをそれぞれ有する、少なくとも２つまたはそれを上回る締結具を含んでもよい。示されるように、係止端２４３１２ｂは、スナップ端であり、迅速ロック固着内に嵌合する。係止端は、図９４および９９Ａ−９９Ｅに示されるように、タンクライナ２４１６９の中の受容管２４１６８内の受容陥凹２４１６８ａの中へスナップ留めする。圧縮ばね２４３１３が、締結具２４３１２を調節可能に係止するために提供されてもよい。付加的ロック特徴（図示せず）が、ライナ２４１６９内の受容管陥凹２４１６８ａ内に嵌合してもよく、そのライナおよび管は、タンク２４６０等のトイレタンクの中に配置されることができる。他のロック機構が使用され得る（長いロッドロック、または係止ロッドのねじ山付き端部に係合する内部ねじ山を伴うキャップ上のねじ、他のスナップ嵌合係合および同等物等）。
【０４７９】
リザーバ筐体２４１２１、トレイ２４０４、およびタンク蓋２４１７０が統合されると、それらは、タンクの内部がアクセスされる必要がある任意の時間に、タンクのライナからアセンブリを係止解除した後に、１つのアセンブリとして保守のために容易に除去される。タンク蓋２４１７０は、トイレもしくはそのタンクのように陶磁器で形成されてもよい、または成形された複合材料もしくは成形された熱可塑性または熱硬化性ポリマー等のポリマー材料で形成されてもよい。タンク２０６０はさらに、リザーバの交換または補充のために容易なアクセスを依然として提供しながら、清潔な外観のためにリザーバ筐体２４１２１を覆って嵌合し、その上に位置付けられるよう、タンク蓋２４１７０の一部としてカバー２４９９を有してもよい。カバー２４９９は、タンク蓋２４１７０の上に位置付けられるように成形、定寸、または別様に構成されるべきであり、アクセス開口部２４１０１と、好ましくは、その上の電磁スイッチおよび洗浄サイクル選択タッチアイコンまたは任意の他の好適な作動制御等のアクチュエータ特徴２４０４も有する、好ましくは、制御パネル／電子アセンブリ２４９７を視認してアクセスするための上記で本明細書の他の実施形態に説明されるような随意のドア２４９８とを有してもよい。
【０４８０】
ライナ２４１６９は、ポリ塩化ビニルまたは類似する水安全ポリマー材料等の種々の材料で形成されてもよい。ライナとタンクとの間の小さい空隙が、凝縮防止性質を提供するために使用されることができる。ライナはまた、示されるような係止ロッド受容管を形成するために使用されてもよい。漏斗２４１６６または類似ガイド特徴もまた、好ましくは、便器に進入する前に水洗用水と組み合わせるためにリザーバ、供給弁、および投与チャンバから下流流動の中へ、直接、洗浄剤流を誘導または指向するように提供される。示されるように、これは、溢流管２４１９０に進入するよう供給導管２４７９を通して水を指向するであろう。好ましい実施形態では、カバー２４９９は、リフトアーム機構に対してカバーのより一貫した垂直および水平位置付けを提供するように、ライナ２４１６９の上部に接触する。開口部２４１６９ａが、タンク２０６０に形成された対応する孔を通過する、水洗アクチュエータアセンブリ２４２８５の延在車軸２４３３４およびブッシング２４３５２部分の通過を受容するように、ライナ２４１６９の中に提供される。
【０４８１】
上記で議論されるようなリフト作動アーム２４２８６ａ、２４２８６ｂは、好ましくは、独立して洗浄弁２０８０に動作可能に接続し、リフトアーム２４２８６ｂはまた、好ましくは、直接または間接連結部を通して、上記で説明されるもののような噴射弁２４７０に接続され、その連結部は、調節可能であり得る。リフトアームアクチュエータアセンブリはまた、上記のようにリフトアームアクチュエータ歯車モータ２４１４８および少なくとも１つの歯車１５１、１５２の動作によって、ハンドル２４０２を伴わずに周縁洗浄弁を動作させるよう配列される。したがって、洗浄サイクル中に、ユーザは、システムを開始するために蓋を開放し、洗浄に従事するために他のアクチュエータボタンまたは他のアクチュエータ特徴２４０４（本明細書では電磁特徴および少なくとも１つのＬＥＤタッチアイコンとして示される）を使用する必要のみあり、ハンドルの動作を見ることも水洗ハンドルを押下する必要もないであろう。いったん洗浄サイクルが終わり、水洗ハンドルが作動されると、トイレは、通常水洗に戻る。
【０４８２】
アイコンを押下することに応じて、接触が、制御システム２４０００を作動させるために、ＣＰＵ２４９７ａへのパネル２４９７の下部分で行われる。制御システムは、次いで、モータ２４１８７を通して液体供給弁に係合し、弁アクチュエータ２４１８５を持ち上げる。本システムは、投与チャンバ２４３６２が所望の投与量（２５ｍｌ投与量に関して、時間は変動し得るが、好ましくは、約１９０ミリ秒である）まで充填するための時間周期にわたって待機するであろう。投与量が装填されるとき、本システムは、歯車モータ２４１４８を開始し、リフト作動アーム２４２８６ａを動作させて、周縁洗浄弁２４８０の開放と、投与チャンバ２４３６２内から、投与リフトカップ２４３６６を通し、漏斗２４１６６、溢流管２４１９０の中へ、かつ周縁洗浄弁２４８０の中へ、およびその中から便器への周縁入口ポートへ、洗浄剤溶液の放出のタイミングとを調整するように、時期を決められる。好ましくは、約４．８ｌの水が周縁入口ポートを通って流動するために約５秒かかるべきである。本システムはまた、洗浄剤溶液が投与チャンバ２４３６２から流動するために、約７０ミリ秒を可能にするべきである（但し、これは変動され得る）。いったん水が放出されると、弁アクチュエータ２４１８５は、次いで、投与リフトカップ２４３６６とともに再び上昇させられ、さらなる投与量が、投与チャンバ２４３６２の中へ装填されてもよく、これは、約１９０ミリ秒のさらなる待機周期を要し得る。徹底洗浄サイクルに関して、本時点で、さらなる投与量は、弁アクチュエータ２４１８５を再び低下させることによって、システムの中へ滴下されてもよい。いずれか一方のサイクルでは、いったん投与が完了すると、本システムは、約１．５秒（所望される場合）待機し、次いで、リフト作動アーム２４２８６ａを低下させるであろう。
【０４８３】
便器の中への液体洗浄剤および水洗用水の導入後、溶液および水洗用水は、所望の洗浄サイクルに従って変動し得る、事前判定された量の保留時間にわたって便器の中にとどまるべきである。洗浄滞留／保留時間は、サイクルが終了する前の約１分〜約３０分、好ましくは、約５分〜約２５分または５分〜１０分に変動し得る。徹底洗浄サイクルでは、少なくとも１０分の保留時間が好ましいが、少なくとも１分の簡単洗浄サイクルが適切である。
【０４８４】
サイクルは、次いで、実施形態２４００が、リフト作動アーム２４２８６ｂの動作を通して洗浄システム２４０００によって開始される、随意の浄化ステップを有する。水洗用水中の洗浄剤溶液は、便器から洗浄剤を除去する浄化ステップにおいて除去される。トイレは、次いで、次の使用時の通常動作のために再設定される。通常動作では、水洗ハンドルは、ユーザによって押下され、ハンドルは、順序付けられた様式で、上記で説明される平衡および時限水洗を可能にし、周縁および噴射洗浄弁の両方を持ち上げるように、リフト作動アーム２４２８６ｂおよびタブ２４１４４ｃと協働するであろう。
【０４８５】
洗浄サイクル中に、歯車モータ２４１８７は、液体供給弁２４１２０を開放して流体の投与量を放出するように動作される。投与量は、好ましくは、プログラミング目的のために事前判定され、上記のように、液体供給弁、投与チャンバ、および投与リフトカップを通して、漏斗を通した溢流管の中への洗浄剤の体積流速に基づいて、設定時間にわたってプログラムされるであろう。タイミングは、単一の投与量中で、約２０ｍｌ〜約６０ｍｌの液体洗浄剤、より好ましくは、約２５ｍｌの液体洗浄剤の所望の量が、供給導管、この場合、液体供給弁通路から、周縁入口ポート２８と連通する洗浄弁２４８０の内部空間２４１０３に通過するように設定されるべきである。
【０４８６】
供給導管は、周縁洗浄弁２４８０の溢流管への直接注入によって、または周縁洗浄弁の弁体２４１０４の内側の内部空間１０３と連通する洗浄弁２４８０の基部に位置付けられた注入器機構（図示せず）を介してのいずれかで、洗浄剤溶液を導入してもよい。代替として、供給導管は、洗浄弁２４８０を完全に迂回し、開口部を通って、またはタンク２４６０の側面に沿ってタンク２４６０から外に出て、洗浄剤が混和して付加的水洗用水とともに導入され得るように、随意の周縁マニホールド、または実施形態１０の周縁入口ポート２８等の周縁入口ポートの前および上流の任意の場所における本明細書に説明されるような周縁水洗経路上の他の場所のいずれかを通して、周縁の中へトイレに再進入するように構成されてもよい。
【０４８７】
制御システム２４０００はまた、設定された第２の時間周期にわたって水洗用水とともに液体洗浄剤の投与量を導入するよう、洗浄弁２４８０を動作させて洗浄弁２４８０を機械的に開放するように構成およびプログラムされる。本時間周期は、タンク内の水洗用水が、より長い時間周期にわたって動作していないトイレの中へ流れ落ちて、水洗用水と希釈して洗浄剤の分布を可能にし、かつ設定された時間周期にわたってトイレ内で保持することができるように、次いで、通常洗浄において洗浄弁のより遅い開放を可能にする。洗浄弁動作は、制御システムが、正しい時間に（投与後）、かつ第２の時間周期にわたって洗浄弁の機械的開放を制御するように、上記で説明されるように修正される。
【０４８８】
周縁洗浄弁は、タンク内からトイレに、約４ｌ〜約１５ｌ、好ましくは、約９ｌ未満を送達するよう開放される。これは、約３秒〜約１５秒、好ましくは、約９秒未満かかるが、タイミングは、所望される場合、異なるシステム、トイレ、および用途のために上記のように変動されることができる。トイレは、好ましくは、十分な洗浄が達成されるまで、トイレがトラップウェイの中へ洗浄剤および水洗用水を放出することを回避するために、そのような設計が使用される場合、洗浄サイクル中にアクティブ化された噴射口を有していない。しかしながら、従来のサイホン式水洗トイレでは、洗浄弁の制御が重要になり、好ましくは、洗浄サイクルにおいて本ステップ中でトラップウェイを遮断し、堰を乗り越える水の損失を回避するように、機構が提供される。したがって、本実施形態２４００では、噴流経路が洗浄サイクルの動作から分離し得るように、実施形態１０における隔離された周縁経路および噴流経路を有する、アセンブリにトイレを組み込むことが、好ましい。
【０４８９】
洗浄機能以上が所望され、ユーザが洗浄して消毒または衛生化することを所望する場合には、洗浄サイクルは、洗浄とともに消毒および／または衛生化機能を最適化するように修正されてもよい。衛生化または消毒の要求のためにＵＳ  ＥＰＡによって要求される殺菌レベルをより容易に達成するために、２つの投与ステップで便器に投与量を追加することが有利である。第１の投与量、次いで、洗浄サイクルにおいて最後の５００〜１，０００ｍｌの水とともに洗浄剤の第２の投与量が、投与されて保持されてもよい。これは、比較的高い濃度の活性成分が保留サイクルの在留時間にわたって便器の中に留まることを確実にする。洗浄流体のより高い濃度およびより長い保留サイクルが、ＥＰＡ要求効能レベルに達する際に有益である。
【０４９０】
トイレアセンブリ１０のための隔離された周縁流路を有する、示される好ましい実施形態では、トイレは、周縁洗浄弁２４８０を機械的かつ制御可能に開放する制御システム２４０００の動作が、噴射洗浄弁２４７０を開放せず、それによって、トラップウェイの中のサイホンの形成を回避し、より効果的な洗浄サイクルを可能にするように、別個の噴射洗浄弁機構２４７０を有する。制御システム２４０００は、所望の洗浄剤溶液を送達するように、設定された時間周期にわたって制御された速度でそのフラッパカバー２４１０５を持ち上げ、弁を通した周縁入口ポートまでの水洗用水流を希釈することによって、周縁洗浄弁２４８０を機械的に開放する。
【０４９１】
制御システム２４０００は、次いで、第２の時間周期中に、好ましくは投与チャンバ２４３６２を使用して事前投与された液体洗浄剤の１つまたは複数の投与量を送達した後に、洗浄弁を少なくとも部分的に閉鎖する（複数回投与の場合、第２の時間周期は、消毒および／または衛生化のために上記のような介入保留周期とともに１つもしくはそれを上回る投与ステップを含むことに留意されたい）。投与が完了した後、制御システムは、次いで、便器の中の洗浄溶液の在留を可能にし、所望のレベルの消毒および／または洗浄作用を達成するように、さらなる第３の時間周期にわたって動作を保留するであろう。水は、定着するまで、上記で説明されるような最適な洗浄時間にわたって保持される。
【０４９２】
洗浄時間周期または「洗浄保留時間」後に、制御システムは、随意に、（実施形態１０における便器３０を参照して）洗浄弁をさらに機械的に再開放し、便器３０の内部領域３６を浄化するようにプログラムされてもよい。随意に、（本明細書の以下でさらに説明されるような）噴射洗浄弁はまた、付加的な水を導入し、トラップウェイの中でサイホンを開始し、より大量の洗浄流体を排水管路に放出して、より完全な浄化を達成するように、（タイミングは噴射洗浄弁の開放の開始点に関して変動し得るが）周縁からの浄化水の導入中に開放されてもよい。代替として、制御システム２４０００は、保留周期の終わりに洗浄サイクルを単純に停止させるようにプログラムされてもよい。ユーザは、次いで、洗浄サイクルの終わりに便器を浄化するように新しい水洗用水を導入する、通常水洗サイクルを開始するように、水洗アクチュエータ（ハンドル）を単純に作動させるであろう。第１のオプションは、安全特徴として、ユーザがさらなる水洗を開始して便器を浄化することを忘れた場合に、洗浄剤が便器の中に残されないことを確実にするため好ましいが、両方のオプションが容認可能であり、本明細書の本発明の範囲内である。
【０４９３】
実施形態１０による、洗浄溶液および水洗用水送達の好ましいタイミングが、本明細書の他の場所で議論され、サイクルの開始時に、洗浄剤溶液は、約１９０ミリ秒で約２５ｍｌの洗浄剤溶液を送達する流速を提供するように弁２４１２０を部分的に開放することによって、リザーバから分注されることに留意されたい。上記で説明されるような投与チャンバを使用して事前投与される、本初期投与量は、リフトアーム機構２４２８６ａを介した周縁洗浄弁の開放によって、便器の全体を通して分注される。水は、次いで、約９秒またはそれ未満にわたって約１，２００ｍｌ／秒〜約８００ｍｌ／秒の速度でタンクから周縁出口ポートまで流動し、タンク内の水滴の高さとして流速を減少させる。徹底洗浄サイクルでは、洗浄剤溶液の約２５ｍｌの第２の投与量（好ましくは、事前投与もされる）が追加され、来たる保留周期のために便器の中により高い濃度の活性成分を残す。制御システム２４０００は、次いで、少なくとも１０分の保留周期になり、その後、リフトアーム２４２８６ｂがシステムを浄化するように動作される、浄化ステップが開始されるであろう。
【０４９４】
その広義の発明の概念から逸脱することなく、上記で説明される実施形態に変更が行われ得ることが、当業者によって理解されるであろう。したがって、本発明は、開示される特定の実施形態に限定されないが、添付の請求項によって定義されるような本発明の精神および範囲内の修正を網羅することを意図していることが理解される。
【図１】
2018534451.tif 000003
【図２】
2018534451.tif 000004
【図３】
2018534451.tif 000005
【図３Ａ】
2018534451.tif 000006
【図４】
2018534451.tif 000007
【図５】
2018534451.tif 000008
【図６】
2018534451.tif 000009
【図７】
2018534451.tif 000010
【図８】
2018534451.tif 000011
【図９】
2018534451.tif 000012
【図１０】
2018534451.tif 000013
【図１１】
2018534451.tif 000014
【図１２】
2018534451.tif 000015
【図１３】
2018534451.tif 000016
【図１４】
2018534451.tif 000017
【図１５】
2018534451.tif 000018
【図１６】
2018534451.tif 000019
【図１７】
2018534451.tif 000020
【図１８】
2018534451.tif 000021
【図１９】
2018534451.tif 000022
【図２０】
2018534451.tif 000023
【図２１】
2018534451.tif 000024
【図２２】
2018534451.tif 000025
【図２３】
2018534451.tif 000026
【図２４】
2018534451.tif 000027
【図２５】
2018534451.tif 000028
【図２６】
2018534451.tif 000029
【図２７】
2018534451.tif 000030
【図２８】
2018534451.tif 000031
【図２９】
2018534451.tif 000032
【図２９Ａ】
2018534451.tif 000033
【図２９Ｂ】
2018534451.tif 000034
【図３０】
2018534451.tif 000035
【図３１】
2018534451.tif 000036
【図３２】
2018534451.tif 000037
【図３３】
2018534451.tif 000038
【図３４】
2018534451.tif 000039
【図３５】
2018534451.tif 000040
【図３６】
2018534451.tif 000041
【図３７】
2018534451.tif 000042
【図３８】
2018534451.tif 000043
【図３９】
2018534451.tif 000044
【図４０】
2018534451.tif 000045
【図４１】
2018534451.tif 000046
【図４２】
2018534451.tif 000047
【図４３】
2018534451.tif 000048
【図４４】
2018534451.tif 000049
【図４５】
2018534451.tif 000050
【図４６】
2018534451.tif 000051
【図４７】
2018534451.tif 000052
【図４８】
2018534451.tif 000053
【図４９】
2018534451.tif 000054
【図５０】
2018534451.tif 000055
【図５１】
2018534451.tif 000056
【図５２】
2018534451.tif 000057
【図５３】
2018534451.tif 000058
【図５４】
2018534451.tif 000059
【図５５】
2018534451.tif 000060
【図５６】
2018534451.tif 000061
【図５７】
2018534451.tif 000062
【図５８】
2018534451.tif 000063
【図５９】
2018534451.tif 000064
【図６０】
2018534451.tif 000065
【図６１】
2018534451.tif 000066
【図６２】
2018534451.tif 000067
【図６３】
2018534451.tif 000068
【図６４】
2018534451.tif 000069
【図６５】
2018534451.tif 000070
【図６６】
2018534451.tif 000071
【図６７】
2018534451.tif 000072
【図６８】
2018534451.tif 000073
【図６９】
2018534451.tif 000074
【図７０】
2018534451.tif 000075
【図７１】
2018534451.tif 000076
【図７２】
2018534451.tif 000077
【図７３】
2018534451.tif 000078
【図７４】
2018534451.tif 000079
【図７４Ａ】
2018534451.tif 000080
【図７５】
2018534451.tif 000081
【図７６】
2018534451.tif 000082
【図７７】
2018534451.tif 000083
【図７７Ａ】
2018534451.tif 000084
【図７８】
2018534451.tif 000085
【図７９】
2018534451.tif 000086
【図８０】
2018534451.tif 000087
【図８１】
2018534451.tif 000088
【図８２】
2018534451.tif 000089
【図８３】
2018534451.tif 000090
【図８４】
2018534451.tif 000091
【図８４Ａ】
2018534451.tif 000092
【図８５】
2018534451.tif 000093
【図８６Ａ】
2018534451.tif 000094
【図８６Ｂ】
2018534451.tif 000095
【図８６Ｃ】
2018534451.tif 000096
【図８７Ａ】
2018534451.tif 000097
【図８７Ｂ】
2018534451.tif 000098
【図８９】
2018534451.tif 000099
【図９０】
2018534451.tif 000100
【図９０Ａ】
2018534451.tif 000101
【図９０Ｂ】
2018534451.tif 000102
【図９０Ｃ】
2018534451.tif 000103
【図９０Ｄ】
2018534451.tif 000104
【図９０Ｅ】
2018534451.tif 000105
【図９１】
2018534451.tif 000106
【図９２】
2018534451.tif 000107
【図９３】
2018534451.tif 000108
【図９４】
2018534451.tif 000109
【図９５】
2018534451.tif 000110
【図９５Ａ】
2018534451.tif 000111
【図９６Ａ】
2018534451.tif 000112
【図９６Ｂ】
2018534451.tif 000113
【図９６Ｃ】
2018534451.tif 000114
【図９６Ｄ】
2018534451.tif 000115
【図９６Ｅ】
2018534451.tif 000116
【図９６Ｆ】
2018534451.tif 000117
【図９６Ｇ】
2018534451.tif 000118
【図９７】
2018534451.tif 000119
【図９８】
2018534451.tif 000120
【図９８Ａ】
2018534451.tif 000121
【図９９Ａ】
2018534451.tif 000122
【図９９Ｂ】
2018534451.tif 000123
【図９９Ｃ】
2018534451.tif 000124
【図９９Ｄ】
2018534451.tif 000125
【図９９Ｅ】
2018534451.tif 000126
【国際調査報告】
2018534451.tif 000127